(57)【要約】  物体側から像側へ正パワーの第１レンズ群、負パワーの第２レンズ群、正パワーの第３レンズ群及び後続レンズ群を備え、ズーミング時に第１〜第３レンズ群を光軸に沿って移動させて変倍し、第３レンズ群の一部が光軸に対して垂直方向に移動する第３ｂレンズ群で、条件：１．５＜（Ｄ２＋Ｄ３ｂ＋ＤＢ）／Ｉｒ＜２．４及びＢＦ／Ｉｒ＜１．４５（Ｚ＝ｆＴ／ｆＷ＞９．０、Ｄ２、Ｄ３ｂ：第２、第３ｂレンズ群の光軸上での厚み、ＤＢ：各後続レンズ群の光軸上での厚みの総和、ＢＦ：最像側レンズ面頂と像面との空気換算した場合の光軸上の最短距離、Ｉｒ＝ｆＴ×ｔａｎωＴ、ｆＴ、ｆＷ：望遠端、広角端での全系の焦点距離、ωＴ：望遠端での半画角）を満足する、高解像度、高ズーミング比及びぶれ補正機能を有し、沈胴時の薄型化も可能なズームレンズ系、撮像装置及びカメラ。
2011102091.tif 000002
【特許請求の範囲】
【請求項１】
少なくとも１枚のレンズ素子で構成されたレンズ群を複数有するズームレンズ系であって、
物体側から像側へと順に、
正のパワーを有する第１レンズ群と、
負のパワーを有する第２レンズ群と、
正のパワーを有する第３レンズ群と、
後続レンズ群とを備え、
撮像時の広角端から望遠端へのズーミングの際に、前記第１レンズ群と、前記第２レンズ群と、前記第３レンズ群とを光軸に沿って移動させて変倍を行い、
前記第３レンズ群の一部が、像のぶれを光学的に補正するために光軸に対して垂直方向に移動する第３ｂレンズ群であり、
以下の条件（２）及び（３）を満足する、ズームレンズ系：
１．５＜（Ｄ２＋Ｄ３ｂ＋ＤＢ）／Ｉｒ＜２．４  ・・・（２）
ＢＦ／Ｉｒ＜１．４５  ・・・（３）
（ただし、Ｚ＝ｆＴ／ｆＷ＞９．０である）
ここで、
Ｄ２：第２レンズ群の光軸上での厚み、
Ｄ３ｂ：第３ｂレンズ群の光軸上での厚み、
ＤＢ：各後続レンズ群の光軸上での厚みの総和、
ＢＦ：最像側レンズ面頂と像面との空気換算した場合の光軸上の最短距離、
Ｉｒ：次式で表される値
Ｉｒ＝ｆＴ×ｔａｎ（ωＴ）、
ｆＴ：望遠端での全系の焦点距離、
ｆＷ：広角端での全系の焦点距離、
ωＴ：望遠端での半画角（°）
である。
【請求項２】
後続レンズ群が、正のパワーを有する第４レンズ群からなる、請求項１に記載のズームレンズ系。
【請求項３】
第４レンズ群が、撮像時の広角端から望遠端へのズーミングの際に、光軸に沿って移動する、請求項２に記載のズームレンズ系。
【請求項４】
第４レンズ群が、無限遠合焦状態から近接物体合焦状態へのフォーカシングの際に、光軸に沿って物体側へ移動する、請求項２に記載のズームレンズ系。
【請求項５】
第４レンズ群が、２枚以下のレンズ素子からなる、請求項２に記載のズームレンズ系。
【請求項６】
後続レンズ群が、第４レンズ群と、正のパワーを有する第５レンズ群とからなる、請求項１に記載のズームレンズ系。
【請求項７】
第４レンズ群が、撮像時の広角端から望遠端へのズーミングの際に、光軸に沿って移動する、請求項６に記載のズームレンズ系。
【請求項８】
第５レンズ群が、撮像時の広角端から望遠端へのズーミングの際に、光軸に沿って移動する、請求項６に記載のズームレンズ系。
【請求項９】
第４レンズ群及び第５レンズ群のいずれかが、無限遠合焦状態から近接物体合焦状態へのフォーカシングの際に、光軸に沿って物体側へ移動する、請求項６に記載のズームレンズ系。
【請求項１０】
第４レンズ群及び第５レンズ群が、それぞれ２枚以下のレンズ素子からなる、請求項６に記載のズームレンズ系。
【請求項１１】
以下の条件（４）及び（５）を満足する、請求項１に記載のズームレンズ系：
１．５＜ＬＴ／Ｄ＜３．０  ・・・（４）
３．０＜Ｄ／Ｉｒ＜６．５  ・・・（５）
ここで、
ＬＴ：望遠端におけるレンズ全長（第１レンズ群の最物体側面から像面までの距離）、
Ｄ：各レンズ群の光軸上での厚みの総和、
Ｉｒ：次式で表される値
Ｉｒ＝ｆＴ×ｔａｎ（ωＴ）、
ｆＴ：望遠端での全系の焦点距離、
ωＴ：望遠端での半画角（°）
である。
【請求項１２】
以下の条件（６）及び（７）を満足する、請求項１に記載のズームレンズ系：
ＬＷ／Ｉｒ＜１４．０  ・・・（６）
ＬＴ／Ｉｒ＜１７．０  ・・・（７）
ここで、
ＬＷ：広角端におけるレンズ全長（第１レンズ群の最物体側面から像面までの距離）、
ＬＴ：望遠端におけるレンズ全長（第１レンズ群の最物体側面から像面までの距離）、
Ｉｒ：次式で表される値
Ｉｒ＝ｆＴ×ｔａｎ（ωＴ）、
ｆＴ：望遠端での全系の焦点距離、
ωＴ：望遠端での半画角（°）
である。
【請求項１３】
以下の条件（８）を満足する、請求項１に記載のズームレンズ系：
Ｍ１２／Ｉｒ＜４．７  ・・・（８）
ここで、
Ｍ１２：撮像時の広角端から望遠端へのズーミングの際の、第１レンズ群と第２レンズ群との相対移動量、
Ｉｒ：次式で表される値
Ｉｒ＝ｆＴ×ｔａｎ（ωＴ）、
ｆＴ：望遠端での全系の焦点距離、
ωＴ：望遠端での半画角（°）
である。
【請求項１４】
以下の条件（９）を満足する、請求項１に記載のズームレンズ系：
Ｍ１２×ｆ１／Ｉｒ２＜４４．０  ・・・（９）
ここで、
Ｍ１２：撮像時の広角端から望遠端へのズーミングの際の、第１レンズ群と第２レンズ群との相対移動量、
ｆ１：第１レンズ群の合成焦点距離、
Ｉｒ：次式で表される値
Ｉｒ＝ｆＴ×ｔａｎ（ωＴ）、
ｆＴ：望遠端での全系の焦点距離、
ωＴ：望遠端での半画角（°）
である。
【請求項１５】
以下の条件（１０）を満足する、請求項１に記載のズームレンズ系：
０．５０＜｜ｆ１／ｆ３ｂ｜＜１．５０  ・・・（１０）
ここで、
ｆ１：第１レンズ群の合成焦点距離、
ｆ３ｂ：第３ｂレンズ群の合成焦点距離
である。
【請求項１６】
以下の条件（１１）を満足する、請求項１に記載のズームレンズ系：
０．１０＜｜ｆ３ａ／ｆ３ｂ｜＜０．６５  ・・・（１１）
ここで、
ｆ３ａ：第３ａレンズ群の合成焦点距離、
ｆ３ｂ：第３ｂレンズ群の合成焦点距離
である。
【請求項１７】
第３ｂレンズ群が、１枚のレンズ素子からなる、請求項１に記載のズームレンズ系。
【請求項１８】
第３レンズ群が、少なくとも２つの空気間隔を有し、物体側から像側へと順に、
正のパワーを有するレンズ素子と、
正のパワーを有するレンズ素子と、
最像側に位置する負のパワーを有するレンズ素子とを含む、請求項１に記載のズームレンズ系。
【請求項１９】
以下の条件（１２）及び（１３）を全系において満足する、請求項１に記載のズームレンズ系：
｜ＹＴ｜＞｜Ｙ｜  ・・・（１２）
１．５＜（Ｙ／ＹＴ）／（ｆ／ｆＴ）＜３．０  ・・・（１３）
ここで、
ｆ：全系の焦点距離、
ｆＴ：望遠端における全系の焦点距離、
Ｙ：全系の焦点距離ｆにおける、第３ｂレンズ群の、最大ぶれ補正時の光軸に対して垂直方向への移動量、
ＹＴ：望遠端での全系の焦点距離ｆＴにおける、第３ｂレンズ群の、最大ぶれ補正時の光軸に対して垂直方向への移動量
である。
【請求項２０】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、請求項１に記載のズームレンズ系である、撮像装置。
【請求項２１】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。
【発明の詳細な説明】
【技術分野】
【０００１】
本発明は、ズームレンズ系、撮像装置及びカメラに関する。特に本発明は、解像度が高いのは勿論のこと、高いズーミング比を有しながら、手ぶれ、振動等による像のぶれを光学的に補正するぶれ補正機能を有するだけでなく、特に沈胴時の薄型化が可能なズームレンズ系、該ズームレンズ系を含む撮像装置、及び該撮像装置を備えた薄型でコンパクトなカメラに関する。
【背景技術】
【０００２】
デジタルスチルカメラやデジタルビデオカメラ等の、光電変換を行う撮像素子を持つカメラ（以下、単にデジタルカメラという）に対しては、特に近年、高い解像度や高いズーミング比と共に、手ぶれ、振動等による像のぶれを光学的に補正するぶれ補正機能や薄型化が要求されており、種々のズームレンズ系が提案されている。【０００３】
特開２００７−１２２０１９号公報は、物体側から順に、正屈折力を有し、負メニスカスレンズ、第１正レンズ及び第２正レンズで構成される第１レンズ群と、負屈折力を有する第２レンズ群と、正屈折力を有する第３レンズ群と、正屈折力を有する第４レンズ群で構成され、変倍に際して各レンズ群全てを光軸に沿って移動させ、第１レンズ群及び第２レンズ群の焦点距離、負メニスカスレンズの屈折率、並びに第１正レンズの屈折率の関係を規定した高変倍ズームレンズを開示している。この高変倍ズームレンズでは、第３レンズ群全体にぶれ補正機能が付与されている。【０００４】
特開２００９−２８２４３９号公報は、物体側より像側へ順に、正の屈折力の第１レンズ群と、負の屈折力の第２レンズ群と、正の屈折力の第３ａレンズ群及び負の屈折力の第３ｂレンズ群を有し、第３ｂレンズ群が単一の負レンズで構成されている、全体で正の屈折力の第３レンズ群と、正の屈折力の第４レンズ群とを備え、ズーミングに際して少なくとも第１レンズ群が移動するズームレンズを開示している。このズームレンズでは、第３ａレンズ群にぶれ補正機能が付与されている。【０００５】
特開２００３−２９５０６０号公報は、物体側より順に、正の屈折力の第１レンズ群と、負の屈折力の第２レンズ群と、正の屈折力の第３ａレンズ群及び負の屈折力の第３ｂレンズ群を有する、全体で正の屈折力の第３レンズ群とを有し、各レンズ群の間隔を変化させてズーミングを行い、第３ｂレンズ群を光軸と垂直方向に移動させ、隣り合うレンズ群同士の間隔、全系の焦点距離、第２レンズ群及び第３ｂレンズ群の焦点距離、並びに望遠端で第３ｂレンズ群を光軸と垂直方向に移動させたときの結像位置の光軸と垂直方向の変位量の関係を規定したズームレンズを開示している。このズームレンズでは、第３ｂレンズ群にぶれ補正機能が付与されている。
【先行技術文献】
【特許文献】
【０００６】
【特許文献１】特開２００７−１２２０１９号公報
【特許文献２】特開２００９−２８２４３９号公報
【特許文献３】特開２００３−２９５０６０号公報
【発明の概要】
【発明が解決しようとする課題】
【０００７】
しかしながら、前記各特許文献に開示のズームレンズはいずれも、高いズーミング比を有し、かつ何れかのレンズ群にぶれ補正機能が付与されているものの、薄型化、特に沈胴時の薄型化を達成し得るのに適したレンズ群配置がなされておらず、近年のデジタルカメラに対する要求を満足し得るものではない。【０００８】
本発明の目的は、解像度が高いのは勿論のこと、高いズーミング比を有しながら、手ぶれ、振動等による像のぶれを光学的に補正するぶれ補正機能を有するだけでなく、特に沈胴時の薄型化が可能なズームレンズ系、該ズームレンズ系を含む撮像装置、及び該撮像装置を備えた薄型でコンパクトなカメラを提供することである。
【課題を解決するための手段】
【０００９】
上記目的の１つは、以下のズームレンズ系により達成される。すなわち本発明は、
少なくとも１枚のレンズ素子で構成されたレンズ群を複数有するズームレンズ系であって、
物体側から像側へと順に、
正のパワーを有する第１レンズ群と、
負のパワーを有する第２レンズ群と、
正のパワーを有する第３レンズ群と、
後続レンズ群とを備え、
撮像時の広角端から望遠端へのズーミングの際に、前記第１レンズ群と、前記第２レンズ群と、前記第３レンズ群とを光軸に沿って移動させて変倍を行い、
前記第３レンズ群の一部が、像のぶれを光学的に補正するために光軸に対して垂直方向に移動する第３ｂレンズ群であり、
以下の条件（２）及び（３）：
１．５＜（Ｄ２＋Ｄ３ｂ＋ＤＢ）／Ｉｒ＜２．４  ・・・（２）
ＢＦ／Ｉｒ＜１．４５  ・・・（３）
（ただし、Ｚ＝ｆＴ／ｆＷ＞９．０である）
（ここで、
Ｄ２：第２レンズ群の光軸上での厚み、
Ｄ３ｂ：第３ｂレンズ群の光軸上での厚み、
ＤＢ：各後続レンズ群の光軸上での厚みの総和、
ＢＦ：最像側レンズ面頂と像面との空気換算した場合の光軸上の最短距離、
Ｉｒ：次式で表される値
Ｉｒ＝ｆＴ×ｔａｎ（ωＴ）、
ｆＴ：望遠端での全系の焦点距離、
ｆＷ：広角端での全系の焦点距離、
ωＴ：望遠端での半画角（°）
である）
を満足する、ズームレンズ系
に関する。【００１０】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
少なくとも１枚のレンズ素子で構成されたレンズ群を複数有し、
物体側から像側へと順に、
正のパワーを有する第１レンズ群と、
負のパワーを有する第２レンズ群と、
正のパワーを有する第３レンズ群と、
後続レンズ群とを備え、
撮像時の広角端から望遠端へのズーミングの際に、前記第１レンズ群と、前記第２レンズ群と、前記第３レンズ群とを光軸に沿って移動させて変倍を行い、
前記第３レンズ群の一部が、像のぶれを光学的に補正するために光軸に対して垂直方向に移動する第３ｂレンズ群であり、
以下の条件（２）及び（３）：
１．５＜（Ｄ２＋Ｄ３ｂ＋ＤＢ）／Ｉｒ＜２．４  ・・・（２）
ＢＦ／Ｉｒ＜１．４５  ・・・（３）
（ただし、Ｚ＝ｆＴ／ｆＷ＞９．０である）
（ここで、
Ｄ２：第２レンズ群の光軸上での厚み、
Ｄ３ｂ：第３ｂレンズ群の光軸上での厚み、
ＤＢ：各後続レンズ群の光軸上での厚みの総和、
ＢＦ：最像側レンズ面頂と像面との空気換算した場合の光軸上の最短距離、
Ｉｒ：次式で表される値
Ｉｒ＝ｆＴ×ｔａｎ（ωＴ）、
ｆＴ：望遠端での全系の焦点距離、
ｆＷ：広角端での全系の焦点距離、
ωＴ：望遠端での半画角（°）
である）
を満足するズームレンズ系である、撮像装置
に関する。【００１１】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
少なくとも１枚のレンズ素子で構成されたレンズ群を複数有し、
物体側から像側へと順に、
正のパワーを有する第１レンズ群と、
負のパワーを有する第２レンズ群と、
正のパワーを有する第３レンズ群と、
後続レンズ群とを備え、
撮像時の広角端から望遠端へのズーミングの際に、前記第１レンズ群と、前記第２レンズ群と、前記第３レンズ群とを光軸に沿って移動させて変倍を行い、
前記第３レンズ群の一部が、像のぶれを光学的に補正するために光軸に対して垂直方向に移動する第３ｂレンズ群であり、
以下の条件（２）及び（３）：
１．５＜（Ｄ２＋Ｄ３ｂ＋ＤＢ）／Ｉｒ＜２．４  ・・・（２）
ＢＦ／Ｉｒ＜１．４５  ・・・（３）
（ただし、Ｚ＝ｆＴ／ｆＷ＞９．０である）
（ここで、
Ｄ２：第２レンズ群の光軸上での厚み、
Ｄ３ｂ：第３ｂレンズ群の光軸上での厚み、
ＤＢ：各後続レンズ群の光軸上での厚みの総和、
ＢＦ：最像側レンズ面頂と像面との空気換算した場合の光軸上の最短距離、
Ｉｒ：次式で表される値
Ｉｒ＝ｆＴ×ｔａｎ（ωＴ）、
ｆＴ：望遠端での全系の焦点距離、
ｆＷ：広角端での全系の焦点距離、
ωＴ：望遠端での半画角（°）
である）
を満足するズームレンズ系である、カメラ
に関する。
【発明の効果】
【００１２】
本発明によれば、解像度が高いのは勿論のこと、高いズーミング比を有しながら、手ぶれ、振動等による像のぶれを光学的に補正するぶれ補正機能を有するだけでなく、特に沈胴時の薄型化が可能なズームレンズ系、該ズームレンズ系を含む撮像装置、及び該撮像装置を備えた薄型でコンパクトなカメラを提供することができる。
【図面の簡単な説明】
【００１３】
【図１】図１は、実施の形態１（実施例１）に係るズームレンズ系の無限遠合焦状態を示すレンズ配置図である。
【図２】図２は、実施例１に係るズームレンズ系の無限遠合焦状態の縦収差図である。
【図３】図３は、実施例１に係るズームレンズ系の望遠端における、像ぶれ補正を行っていない基本状態及び像ぶれ補正状態での横収差図である。
【図４】図４は、実施の形態２（実施例２）に係るズームレンズ系の無限遠合焦状態を示すレンズ配置図である。
【図５】図５は、実施例２に係るズームレンズ系の無限遠合焦状態の縦収差図である。
【図６】図６は、実施例２に係るズームレンズ系の望遠端における、像ぶれ補正を行っていない基本状態及び像ぶれ補正状態での横収差図である。
【図７】図７は、実施の形態３（実施例３）に係るズームレンズ系の無限遠合焦状態を示すレンズ配置図である。
【図８】図８は、実施例３に係るズームレンズ系の無限遠合焦状態の縦収差図である。
【図９】図９は、実施例３に係るズームレンズ系の望遠端における、像ぶれ補正を行っていない基本状態及び像ぶれ補正状態での横収差図である。
【図１０】図１０は、実施の形態４（実施例４）に係るズームレンズ系の無限遠合焦状態を示すレンズ配置図である。
【図１１】図１１は、実施例４に係るズームレンズ系の無限遠合焦状態の縦収差図である。
【図１２】図１２は、実施例４に係るズームレンズ系の望遠端における、像ぶれ補正を行っていない基本状態及び像ぶれ補正状態での横収差図である。
【図１３】図１３は、実施の形態５（実施例５）に係るズームレンズ系の無限遠合焦状態を示すレンズ配置図である。
【図１４】図１４は、実施例５に係るズームレンズ系の無限遠合焦状態の縦収差図である。
【図１５】図１５は、実施例５に係るズームレンズ系の望遠端における、像ぶれ補正を行っていない基本状態及び像ぶれ補正状態での横収差図である。
【図１６】図１６は、実施の形態６（実施例６）に係るズームレンズ系の無限遠合焦状態を示すレンズ配置図である。
【図１７】図１７は、実施例６に係るズームレンズ系の無限遠合焦状態の縦収差図である。
【図１８】図１８は、実施例６に係るズームレンズ系の望遠端における、像ぶれ補正を行っていない基本状態及び像ぶれ補正状態での横収差図である。
【図１９】図１９は、実施の形態７（実施例７）に係るズームレンズ系の無限遠合焦状態を示すレンズ配置図である。
【図２０】図２０は、実施例７に係るズームレンズ系の無限遠合焦状態の縦収差図である。
【図２１】図２１は、実施例７に係るズームレンズ系の望遠端における、像ぶれ補正を行っていない基本状態及び像ぶれ補正状態での横収差図である。
【図２２】図２２は、実施の形態８（実施例８）に係るズームレンズ系の無限遠合焦状態を示すレンズ配置図である。
【図２３】図２３は、実施例８に係るズームレンズ系の無限遠合焦状態の縦収差図である。
【図２４】図２４は、実施例８に係るズームレンズ系の望遠端における、像ぶれ補正を行っていない基本状態及び像ぶれ補正状態での横収差図である。
【図２５】図２５は、実施の形態９に係るデジタルスチルカメラの概略構成図である。
【発明を実施するための形態】
【００１４】
（実施の形態１〜８）
図１、４、７、１０、１３、１６、１９及び２２は、各々実施の形態１〜８に係るズームレンズ系のレンズ配置図である。
【００１５】
図１、４、７、１０、１３、１６、１９及び２２は、いずれも無限遠合焦状態にあるズームレンズ系を表している。各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。また各図において、（ａ）図と（ｂ）図との間に設けられた直線乃至曲線の矢印は、広角端から中間位置を経由して望遠端への、各レンズ群の動きを示す。さらに各図において、レンズ群に付された矢印は、無限遠合焦状態から近接物体合焦状態へのフォーカシングを表す。すなわち、図１、４、７、１０、１９及び２２では、後述する第４レンズ群Ｇ４が無限遠合焦状態から近接物体合焦状態へのフォーカシングの際に移動する方向を示しており、図１３及び１６では、後述する第５レンズ群Ｇ５が無限遠合焦状態から近接物体合焦状態へのフォーカシングの際に移動する方向を示している。
【００１６】
実施の形態１〜４及び８に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４とを備える。各実施の形態に係るズームレンズ系では、ズーミングに際して、各レンズ群の間隔、すなわち、前記第１レンズ群Ｇ１と第２レンズ群Ｇ２との間隔、第２レンズ群Ｇ２と第３レンズ群Ｇ３との間隔、及び第３レンズ群Ｇ３と第４レンズ群Ｇ４との間隔がいずれも変化するように、全てのレンズ群が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００１７】
実施の形態５〜７に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、第４レンズ群Ｇ４と、正のパワーを有する第５レンズ群Ｇ５とを備え、実施の形態５に係るズームレンズ系では、第４レンズ群Ｇ４は負のパワーを有し、実施の形態６及び７に係るズームレンズ系では、第４レンズ群Ｇ４は正のパワーを有する。各実施の形態に係るズームレンズ系では、ズーミングに際して、各レンズ群の間隔、すなわち、前記第１レンズ群Ｇ１と第２レンズ群Ｇ２との間隔、第２レンズ群Ｇ２と第３レンズ群Ｇ３との間隔、第３レンズ群Ｇ３と第４レンズ群Ｇ４との間隔、及び第４レンズ群Ｇ４と第５レンズ群Ｇ５との間隔がいずれも変化するように、全てのレンズ群が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００１８】
なお図１、４、７、１０、１３、１６、１９及び２２において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（図１、４、７、１０及び２２：像面Ｓと第４レンズ群Ｇ４の最像側レンズ面との間、図１３、１６及び１９：像面Ｓと第５レンズ群Ｇ５の最像側レンズ面との間）には、光学的ローパスフィルタや撮像素子のフェースプレート等と等価な平行平板Ｐが設けられている。
【００１９】
さらに図１、４、７、１０、１３、１６、１９及び２２において、第３レンズ群Ｇ３の最物体側、すなわち、第２レンズ群Ｇ２と第３レンズ群Ｇ３との間に開口絞りＡが設けられている。該開口絞りＡは、撮像時の広角端から望遠端へのズーミングの際に、第３レンズ群Ｇ３と一体的に光軸上を物体側へ移動する。
【００２０】
図１に示すように、実施の形態１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００２１】
実施の形態１に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６とからなる。これらのうち、第４レンズ素子Ｌ４は、その両面が非球面であり、第５レンズ素子Ｌ５は、その物体側面が非球面である。
【００２２】
また実施の形態１に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第７レンズ素子Ｌ７は、その両面が非球面である。
【００２３】
なお前記第３レンズ群Ｇ３は、後に詳述するように、物体側から像側へと順に、第３ａレンズ群Ｇ３ａと第３ｂレンズ群Ｇ３ｂとで構成されており、第３ａレンズ群Ｇ３ａは、物体側から像側へと順に、第７レンズ素子Ｌ７と第８レンズ素子Ｌ８と第９レンズ素子Ｌ９とからなり、第３ｂレンズ群Ｇ３ｂは、第１０レンズ素子Ｌ１０のみからなる。
【００２４】
また実施の形態１に係るズームレンズ系において、第４レンズ群Ｇ４は、物体側に凸面を向けた正メニスカス形状の第１１レンズ素子Ｌ１１のみからなる。この第１１レンズ素子Ｌ１１は、その両面が非球面である。
【００２５】
なお、実施の形態１に係るズームレンズ系において、像面Ｓの物体側（像面Ｓと第１１レンズ素子Ｌ１１との間）には、平行平板Ｐが設けられている。
【００２６】
実施の形態１に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側に凸の軌跡を描いて像側へ移動し、第４レンズ群Ｇ４は、望遠端での位置が広角端での位置と略同じになるように物体側に凸の軌跡を描いて移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００２７】
図４に示すように、実施の形態２に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２とからなる。これら第１レンズ素子Ｌ１と第２レンズ素子Ｌ２とは接合されており、後述する対応数値実施例における面データでは、第１レンズ素子Ｌ１と第２レンズ素子Ｌ２との間の接着剤層に面番号２が付与されている。また、第２レンズ素子Ｌ２は、その像側面が非球面である。
【００２８】
実施の形態２に係るズームレンズ系において、第２レンズ群Ｇ２は、物体側から像側へと順に、物体側に凸面を向けた負メニスカス形状の第３レンズ素子Ｌ３と、像側に凸面を向けた負メニスカス形状の第４レンズ素子Ｌ４と、両凸形状の第５レンズ素子Ｌ５とからなる。これらのうち、第３レンズ素子Ｌ３は、その両面が非球面であり、第４レンズ素子Ｌ４は、その物体側面が非球面である。
【００２９】
また実施の形態２に係るズームレンズ系において、第３レンズ群Ｇ３は、物体側から像側へと順に、両凸形状の第６レンズ素子Ｌ６と、両凸形状の第７レンズ素子Ｌ７と、両凹形状の第８レンズ素子Ｌ８と、両凸形状の第９レンズ素子Ｌ９とからなる。これらのうち、第７レンズ素子Ｌ７と第８レンズ素子Ｌ８とは接合されており、後述する対応数値実施例における面データでは、これら第７レンズ素子Ｌ７と第８レンズ素子Ｌ８との間の接着剤層に面番号１５が付与されている。また、第６レンズ素子Ｌ６は、その両面が非球面である。
【００３０】
なお前記第３レンズ群Ｇ３は、後に詳述するように、物体側から像側へと順に、第３ａレンズ群Ｇ３ａと第３ｂレンズ群Ｇ３ｂとで構成されており、第３ａレンズ群Ｇ３ａは、物体側から像側へと順に、第６レンズ素子Ｌ６と第７レンズ素子Ｌ７と第８レンズ素子Ｌ８とからなり、第３ｂレンズ群Ｇ３ｂは、第９レンズ素子Ｌ９のみからなる。
【００３１】
また実施の形態２に係るズームレンズ系において、第４レンズ群Ｇ４は、物体側に凸面を向けた正メニスカス形状の第１０レンズ素子Ｌ１０のみからなる。この第１０レンズ素子Ｌ１０は、その両面が非球面である。
【００３２】
なお、実施の形態２に係るズームレンズ系において、像面Ｓの物体側（像面Ｓと第１０レンズ素子Ｌ１０との間）には、平行平板Ｐが設けられている。
【００３３】
実施の形態２に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側に凸の軌跡を描いて像側へ移動し、第４レンズ群Ｇ４は、望遠端での位置が広角端での位置と略同じになるように物体側に凸の軌跡を描いて移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００３４】
図７に示すように、実施の形態３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００３５】
実施の形態３に係るズームレンズ系において、第２レンズ群Ｇ２は、物体側から像側へと順に、両凹形状の第４レンズ素子Ｌ４と、像側に凸面を向けた負メニスカス形状の第５レンズ素子Ｌ５と、両凸形状の第６レンズ素子Ｌ６とからなる。これらのうち、第４レンズ素子Ｌ４は、その両面が非球面であり、第５レンズ素子Ｌ５は、その物体側面が非球面である。
【００３６】
また実施の形態３に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第７レンズ素子Ｌ７は、その両面が非球面である。
【００３７】
なお前記第３レンズ群Ｇ３は、後に詳述するように、物体側から像側へと順に、第３ａレンズ群Ｇ３ａと第３ｂレンズ群Ｇ３ｂとで構成されており、第３ａレンズ群Ｇ３ａは、物体側から像側へと順に、第７レンズ素子Ｌ７と第８レンズ素子Ｌ８と第９レンズ素子Ｌ９とからなり、第３ｂレンズ群Ｇ３ｂは、第１０レンズ素子Ｌ１０のみからなる。
【００３８】
また実施の形態３に係るズームレンズ系において、第４レンズ群Ｇ４は、物体側に凸面を向けた正メニスカス形状の第１１レンズ素子Ｌ１１のみからなる。この第１１レンズ素子Ｌ１１は、その両面が非球面である。
【００３９】
なお、実施の形態３に係るズームレンズ系において、像面Ｓの物体側（像面Ｓと第１１レンズ素子Ｌ１１との間）には、平行平板Ｐが設けられている。
【００４０】
実施の形態３に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側に凸の軌跡を描いて像側へ移動し、第４レンズ群Ｇ４は、望遠端での位置が広角端での位置と略同じになるように物体側に凸の軌跡を描いて移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００４１】
図１０に示すように、実施の形態４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００４２】
実施の形態４に係るズームレンズ系において、第２レンズ群Ｇ２は、物体側から像側へと順に、両凹形状の第４レンズ素子Ｌ４と、両凹形状の第５レンズ素子Ｌ５と、両凸形状の第６レンズ素子Ｌ６とからなる。これらのうち、第４レンズ素子Ｌ４は、その両面が非球面であり、第５レンズ素子Ｌ５は、その物体側面が非球面である。
【００４３】
また実施の形態４に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第７レンズ素子Ｌ７は、その両面が非球面である。
【００４４】
なお前記第３レンズ群Ｇ３は、後に詳述するように、物体側から像側へと順に、第３ａレンズ群Ｇ３ａと第３ｂレンズ群Ｇ３ｂとで構成されており、第３ａレンズ群Ｇ３ａは、物体側から像側へと順に、第７レンズ素子Ｌ７と第８レンズ素子Ｌ８と第９レンズ素子Ｌ９とからなり、第３ｂレンズ群Ｇ３ｂは、第１０レンズ素子Ｌ１０のみからなる。
【００４５】
また実施の形態４に係るズームレンズ系において、第４レンズ群Ｇ４は、物体側に凸面を向けた正メニスカス形状の第１１レンズ素子Ｌ１１のみからなる。この第１１レンズ素子Ｌ１１は、その両面が非球面である。
【００４６】
なお、実施の形態４に係るズームレンズ系において、像面Ｓの物体側（像面Ｓと第１１レンズ素子Ｌ１１との間）には、平行平板Ｐが設けられている。
【００４７】
実施の形態４に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側に凸の軌跡を描いて像側へ移動し、第４レンズ群Ｇ４は、望遠端での位置が広角端での位置と略同じになるように物体側に凸の軌跡を描いて移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００４８】
図１３に示すように、実施の形態５に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００４９】
実施の形態５に係るズームレンズ系において、第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６とからなる。これらのうち、第４レンズ素子Ｌ４は、その両面が非球面であり、第５レンズ素子Ｌ５は、その物体側面が非球面である。
【００５０】
また実施の形態５に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、両凸形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第７レンズ素子Ｌ７は、その両面が非球面である。
【００５１】
なお前記第３レンズ群Ｇ３は、後に詳述するように、物体側から像側へと順に、第３ａレンズ群Ｇ３ａと第３ｂレンズ群Ｇ３ｂとで構成されており、第３ａレンズ群Ｇ３ａは、物体側から像側へと順に、第７レンズ素子Ｌ７と第８レンズ素子Ｌ８と第９レンズ素子Ｌ９とからなり、第３ｂレンズ群Ｇ３ｂは、第１０レンズ素子Ｌ１０のみからなる。
【００５２】
また実施の形態５に係るズームレンズ系において、第４レンズ群Ｇ４は、両凹形状の第１１レンズ素子Ｌ１１のみからなる。この第１１レンズ素子Ｌ１１は、その像側面が非球面である。
【００５３】
また実施の形態５に係るズームレンズ系において、第５レンズ群Ｇ５は、物体側に凸面を向けた正メニスカス形状の第１２レンズ素子Ｌ１２のみからなる。この第１２レンズ素子Ｌ１２は、その両面が非球面である。
【００５４】
なお、実施の形態５に係るズームレンズ系において、像面Ｓの物体側（像面Ｓと第１２レンズ素子Ｌ１２との間）には、平行平板Ｐが設けられている。
【００５５】
実施の形態５に係るズームレンズ系において、撮像時の広角端から望遠端へのズーミングの際に、第１レンズ群Ｇ１、第３レンズ群Ｇ３及び第４レンズ群Ｇ４は、物体側へ移動し、第２レンズ群Ｇ２は、像側に凸の軌跡を描いて像側へ移動し、第５レンズ群Ｇ５は、望遠端での位置が広角端での位置と略同じになるように物体側に凸の軌跡を描いて移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第４レンズ群Ｇ４と第５レンズ群Ｇ５との間隔が増大するように、各レンズ群が光軸に沿ってそれぞれ移動する。
【００５６】
図１６に示すように、実施の形態６に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００５７】
実施の形態６に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６とからなる。これらのうち、第４レンズ素子Ｌ４は、その両面が非球面であり、第５レンズ素子Ｌ５は、その物体側面が非球面である。
【００５８】
また実施の形態６に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第７レンズ素子Ｌ７は、その両面が非球面である。
【００５９】
なお前記第３レンズ群Ｇ３は、後に詳述するように、物体側から像側へと順に、第３ａレンズ群Ｇ３ａと第３ｂレンズ群Ｇ３ｂとで構成されており、第３ａレンズ群Ｇ３ａは、物体側から像側へと順に、第７レンズ素子Ｌ７と第８レンズ素子Ｌ８と第９レンズ素子Ｌ９とからなり、第３ｂレンズ群Ｇ３ｂは、第１０レンズ素子Ｌ１０のみからなる。
【００６０】
また実施の形態６に係るズームレンズ系において、第４レンズ群Ｇ４は、両凸形状の第１１レンズ素子Ｌ１１のみからなる。
【００６１】
また実施の形態６に係るズームレンズ系において、第５レンズ群Ｇ５は、物体側に凸面を向けた正メニスカス形状の第１２レンズ素子Ｌ１２のみからなる。この第１２レンズ素子Ｌ１２は、その両面が非球面である。
【００６２】
なお、実施の形態６に係るズームレンズ系において、像面Ｓの物体側（像面Ｓと第１２レンズ素子Ｌ１２との間）には、平行平板Ｐが設けられている。
【００６３】
実施の形態６に係るズームレンズ系において、撮像時の広角端から望遠端へのズーミングの際に、第１レンズ群Ｇ１、第３レンズ群Ｇ３及び第４レンズ群Ｇ４は、物体側へ移動し、第２レンズ群Ｇ２は、像側に凸の軌跡を描いて像側へ移動し、第５レンズ群Ｇ５は、望遠端での位置が広角端での位置と略同じになるように物体側に凸の軌跡を描いて移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第４レンズ群Ｇ４と第５レンズ群Ｇ５との間隔が増大するように、各レンズ群が光軸に沿ってそれぞれ移動する。
【００６４】
図１９に示すように、実施の形態７に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００６５】
実施の形態７に係るズームレンズ系において、第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６とからなる。これらのうち、第４レンズ素子Ｌ４は、その両面が非球面であり、第５レンズ素子Ｌ５は、その物体側面が非球面である。
【００６６】
また実施の形態７に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第７レンズ素子Ｌ７は、その両面が非球面である。
【００６７】
なお前記第３レンズ群Ｇ３は、後に詳述するように、物体側から像側へと順に、第３ａレンズ群Ｇ３ａと第３ｂレンズ群Ｇ３ｂとで構成されており、第３ａレンズ群Ｇ３ａは、物体側から像側へと順に、第７レンズ素子Ｌ７と第８レンズ素子Ｌ８と第９レンズ素子Ｌ９とからなり、第３ｂレンズ群Ｇ３ｂは、第１０レンズ素子Ｌ１０のみからなる。
【００６８】
また実施の形態７に係るズームレンズ系において、第４レンズ群Ｇ４は、物体側に凸面を向けた正メニスカス形状の第１１レンズ素子Ｌ１１のみからなる。この第１１レンズ素子Ｌ１１は、その両面が非球面である。
【００６９】
また実施の形態７に係るズームレンズ系において、第５レンズ群Ｇ５は、両凸形状の第１２レンズ素子Ｌ１２のみからなる。この第１２レンズ素子Ｌ１２は、その物体側面が非球面である。
【００７０】
なお、実施の形態７に係るズームレンズ系において、像面Ｓの物体側（像面Ｓと第１２レンズ素子Ｌ１２との間）には、平行平板Ｐが設けられている。
【００７１】
実施の形態７に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側に凸の軌跡を描いて像側へ移動し、第４レンズ群Ｇ４は、望遠端での位置が広角端での位置と略同じになるように物体側に凸の軌跡を描いて移動し、第５レンズ群Ｇ５は、像側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００７２】
図２２に示すように、実施の形態８に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００７３】
実施の形態８に係るズームレンズ系において、第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６とからなる。これらのうち、第４レンズ素子Ｌ４は、その両面が非球面であり、第５レンズ素子Ｌ５は、その物体側面が非球面である。
【００７４】
また実施の形態８に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、両凹形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第７レンズ素子Ｌ７は、その両面が非球面であり、第９レンズ素子Ｌ９は、その像側面が非球面である。
【００７５】
なお前記第３レンズ群Ｇ３は、後に詳述するように、物体側から像側へと順に、第３ａレンズ群Ｇ３ａと第３ｂレンズ群Ｇ３ｂとで構成されており、第３ａレンズ群Ｇ３ａは、物体側から像側へと順に、第７レンズ素子Ｌ７と第８レンズ素子Ｌ８と第９レンズ素子Ｌ９とからなり、第３ｂレンズ群Ｇ３ｂは、第１０レンズ素子Ｌ１０のみからなる。
【００７６】
また実施の形態８に係るズームレンズ系において、第４レンズ群Ｇ４は、両凸形状の第１１レンズ素子Ｌ１１のみからなる。この第１１レンズ素子Ｌ１１は、その両面が非球面である。
【００７７】
なお、実施の形態８に係るズームレンズ系において、像面Ｓの物体側（像面Ｓと第１１レンズ素子Ｌ１１との間）には、平行平板Ｐが設けられている。
【００７８】
実施の形態８に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側に凸の軌跡を描いて像側へ移動し、第４レンズ群Ｇ４は、望遠端での位置が広角端での位置よりも僅かに物体側になるように物体側に凸の軌跡を描いて移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００７９】
実施の形態１〜４及び８に係るズームレンズ系は、後続レンズ群として正のパワーを有する第４レンズ群Ｇ４を有し、撮像時の広角端から望遠端へのズーミングの際に、この第４レンズ群Ｇ４が、第１レンズ群Ｇ１、第２レンズ群Ｇ２及び第３レンズ群Ｇ３と共に光軸に沿って移動するので、高い光学性能を保持しつつ、レンズ系全体の小型化を可能にしている。
【００８０】
実施の形態１〜４及び８に係るズームレンズ系では、無限遠合焦状態から近接物体合焦状態へのフォーカシングの際に、前記第４レンズ群Ｇ４が光軸に沿って物体側へ移動するので、近接物体合焦状態においても高い光学性能を保持することができる。また、第４レンズ群Ｇ４を構成するレンズ素子は、非球面を有しており、広角端から望遠端における軸外の像面湾曲を良好に補正することができる。
【００８１】
実施の形態１〜４及び８に係るズームレンズ系では、前記第４レンズ群Ｇ４が２枚以下のレンズ素子で構成されているので、レンズ系全体の小型化を可能にしており、かつ、無限遠物体から近距離物体へフォーカスを行う場合に、迅速なフォーカスを容易にしている。
【００８２】
実施の形態５〜７に係るズームレンズ系は、後続レンズ群として、正のパワー又は負のパワーを有する第４レンズ群Ｇ４と、正のパワーを有する第５レンズ群Ｇ５とを有し、撮像時の広角端から望遠端へのズーミングの際に、これら第４レンズ群Ｇ４及び第５レンズ群Ｇ５が、第１レンズ群Ｇ１、第２レンズ群Ｇ２及び第３レンズ群Ｇ３と共に光軸に沿って移動するので、高い光学性能を保持しつつ、レンズ系全体の小型化を可能にしている。
【００８３】
実施の形態５〜７に係るズームレンズ系では、無限遠合焦状態から近接物体合焦状態へのフォーカシングの際に、前記第４レンズ群Ｇ４又は第５レンズ群Ｇ５が光軸に沿って物体側へ移動するので、近接物体合焦状態においても高い光学性能を保持することができる。また、第４レンズ群Ｇ４又は第５レンズ群Ｇ５を構成するレンズ素子は、非球面を有しており、広角端から望遠端における軸外の像面湾曲を良好に補正することができる。
【００８４】
実施の形態５〜７に係るズームレンズ系では、前記第４レンズ群Ｇ４及び第５レンズ群Ｇ５が、それぞれ２枚以下のレンズ素子で構成されているので、レンズ系全体の小型化を可能にしており、かつ、無限遠物体から近距離物体へフォーカスを行う場合に、迅速なフォーカスを容易にしている。
【００８５】
実施の形態８に係るズームレンズ系では、第３レンズ群Ｇ３が、少なくとも２つの空気間隔を有し、物体側から像側へと順に、正のパワーを有するレンズ素子と、正のパワーを有するレンズ素子と、最像側に位置する負のパワーを有するレンズ素子とを含むので、球面収差、コマ収差、色収差を良好に補正することができる。
【００８６】
なお、実施の形態１〜４及び８に係るズームレンズ系は、後続レンズ群として第４レンズ群Ｇ４を備えた４群構成であり、実施の形態５〜７に係るズームレンズ系は、後続レンズ群として第４レンズ群Ｇ４及び第５レンズ群Ｇ５を備えた５群構成であるが、後続レンズ群を構成するレンズ群の数には特に限定がない。また、後続レンズ群を構成する各レンズ群のパワーにも特に限定がない。
【００８７】
実施の形態１〜８に係るズームレンズ系では、第３レンズ群Ｇ３の一部が、像のぶれを光学的に補正するために光軸に対して垂直方向に移動する第３ｂレンズ群Ｇ３ｂである。すなわち、該第３レンズ群Ｇ３が、物体側から像側へと順に、沈胴時に、撮像時とは異なる軸に沿って退避するレンズ群（第３ａレンズ群Ｇ３ａ）と、光軸に対して垂直方向に移動する第３ｂレンズ群Ｇ３ｂとで構成されており、この第３ｂレンズ群Ｇ３ｂによって、全系の振動による像点移動を補正する、すなわち、手ぶれ、振動等による像のぶれを光学的に補正することができる。
【００８８】
全系の振動による像点移動を補正する際に、このように第３ｂレンズ群Ｇ３ｂを構成するレンズ素子が光軸に直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【００８９】
なお、実施の形態１〜８に係るズームレンズ系では、第３レンズ群Ｇ３は、２つの空気間隔で分けられる３つのレンズユニットから構成されており、物体側から像側へと順に、Ｇ３１ユニット、Ｇ３２ユニット、Ｇ３３ユニットとした場合、第３ｂレンズ群Ｇ３ｂは、Ｇ３３ユニットと等価であってもよく、Ｇ３２ユニットとＧ３３ユニットとを併せたユニットと等価であってもよい。さらに、Ｇ３３ユニットは、１枚のレンズ素子で構成されていてもよく、複数のレンズ素子で構成されていてもよい。
【００９０】
また、実施の形態１〜８に係るズームレンズ系では、第３ｂレンズ群Ｇ３ｂが１枚のレンズ素子で構成されているので、手ぶれ、振動等による像のぶれを光学的に補正する場合に、高精度で迅速な補正を容易にしている。
【００９１】
以下、例えば実施の形態１〜８に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００９２】
例えば実施の形態１〜８に係るズームレンズ系のように、少なくとも１枚のレンズ素子で構成されたレンズ群を複数有し、物体側から像側へと順に、正のパワーを有する第１レンズ群と、負のパワーを有する第２レンズ群と、正のパワーを有する第３レンズ群と、後続レンズ群とを備え、撮像時の広角端から望遠端へのズーミングの際に、これら第１レンズ群、第２レンズ群及び第３レンズ群を光軸に沿って移動させて変倍を行い、第３レンズ群の一部が、像のぶれを光学的に補正するために光軸に対して垂直方向に移動する第３ｂレンズ群である（以下、このレンズ構成を、実施の形態の基本構成という）ズームレンズ系は、以下の条件（２）及び（３）を同時に満足する。
１．５＜（Ｄ２＋Ｄ３ｂ＋ＤＢ）／Ｉｒ＜２．４  ・・・（２）
ＢＦ／Ｉｒ＜１．４５  ・・・（３）
（ただし、Ｚ＝ｆＴ／ｆＷ＞９．０である）
ここで、
Ｄ２：第２レンズ群の光軸上での厚み、
Ｄ３ｂ：第３ｂレンズ群の光軸上での厚み、
ＤＢ：各後続レンズ群の光軸上での厚みの総和、
ＢＦ：最像側レンズ面頂と像面との空気換算した場合の光軸上の最短距離、
Ｉｒ：次式で表される値
Ｉｒ＝ｆＴ×ｔａｎ（ωＴ）、
ｆＴ：望遠端での全系の焦点距離、
ｆＷ：広角端での全系の焦点距離、
ωＴ：望遠端での半画角（°）
である。
【００９３】
前記条件（２）及び（３）は、沈胴時の厚みに関する条件である。条件（２）の下限を下回ると、厚みを薄くすることはできるが、撮像時において良好な光学性能を確保するのに必要な最低限の厚みを下回ることになり、像面湾曲や歪曲収差等の諸収差の補正が困難となる。逆に条件（２）の上限を上回ると、性能確保において必要以上に厚みを持つことになる。さらには、沈胴時の厚みが厚くなり、コンパクトなレンズ鏡筒や撮像装置、カメラを提供することが困難となる。また、条件（３）の上限を上回ると、最像側レンズ面頂と像面との光軸上の最短距離が大きくなり過ぎ、レンズ全長も大きくなる方向に影響することから、コンパクトなレンズ鏡筒や撮像装置、カメラを提供することが困難となる。
【００９４】
なお、さらに以下の条件（２）’及び（２）’’の少なくとも１つを満足することにより、前記効果をさらに奏功させることができる。
１．９＜（Ｄ２＋Ｄ３ｂ＋ＤＢ）／Ｉｒ  ・・・（２）’
（Ｄ２＋Ｄ３ｂ＋ＤＢ）／Ｉｒ＜２．２  ・・・（２）’’
【００９５】
さらに以下の条件（３）’を満足することにより、前記効果をさらに奏功させることができる。
ＢＦ／Ｉｒ＜１．３０  ・・・（３）’
【００９６】
例えば実施の形態１〜８に係るズームレンズ系のように、基本構成を有するズームレンズ系は、以下の条件（４）及び（５）を同時に満足することが好ましい。
１．５＜ＬＴ／Ｄ＜３．０  ・・・（４）
３．０＜Ｄ／Ｉｒ＜６．５  ・・・（５）
ここで、
ＬＴ：望遠端におけるレンズ全長（第１レンズ群の最物体側面から像面までの距離）、
Ｄ：各レンズ群の光軸上での厚みの総和、
Ｉｒ：次式で表される値
Ｉｒ＝ｆＴ×ｔａｎ（ωＴ）、
ｆＴ：望遠端での全系の焦点距離、
ωＴ：望遠端での半画角（°）
である。
【００９７】
前記条件（４）は、望遠端におけるレンズ全長と各レンズ群の光軸上での厚みの総和との比を規定する条件である。条件（４）の下限を下回ると、厚みの総和に対してレンズ全長が短くなりすぎ、像面性の確保や色収差等の諸収差の補正が困難となる恐れがある。また、レンズ全長については性能維持に必要な長さを確保し、その分厚みの総和を増大させることも考えられるが、その場合コンパクトなレンズ鏡筒や撮像装置、カメラを提供することが困難となる恐れがある。そのため、前記条件（５）で厚みの総和が大きくなりすぎないように上限を規定している。逆に条件（４）の上限を上回ると、レンズ全長に対して厚みの総和が小さくなりすぎ、球面収差やコマ収差等の諸収差の補正が困難となる恐れがある。
【００９８】
なお、さらに以下の条件（４）’を満足することにより、前記効果をさらに奏功させることができる。
２．３＜ＬＴ／Ｄ  ・・・（４）’
【００９９】
前記条件（５）は、各レンズ群の光軸上での厚みの総和に関する条件である。条件（５）の下限を下回ると、厚みを薄くすることはできるが、撮像時において良好な光学性能を確保するのに必要な最低限の厚みを下回ることになり、特に球面収差やコマ収差等の諸収差の補正が困難となる恐れがある。逆に条件（５）の上限を上回ると、性能確保において必要以上に大きな厚みを持つことになり、コンパクトなレンズ鏡筒や撮像装置、カメラを提供することが困難となる恐れがある。
【０１００】
なお、さらに以下の条件（５）’及び（５）’’の少なくとも１つを満足することにより、前記効果をさらに奏功させることができる。
４．５＜Ｄ／Ｉｒ  ・・・（５）’
Ｄ／Ｉｒ＜５．６  ・・・（５）’’
【０１０１】
例えば実施の形態１〜８に係るズームレンズ系のように、基本構成を有するズームレンズ系は、以下の条件（６）及び（７）を同時に満足することが好ましい。
ＬＷ／Ｉｒ＜１４．０  ・・・（６）
ＬＴ／Ｉｒ＜１７．０  ・・・（７）
ここで、
ＬＷ：広角端におけるレンズ全長（第１レンズ群の最物体側面から像面までの距離）、
ＬＴ：望遠端におけるレンズ全長（第１レンズ群の最物体側面から像面までの距離）、
Ｉｒ：次式で表される値
Ｉｒ＝ｆＴ×ｔａｎ（ωＴ）、
ｆＴ：望遠端での全系の焦点距離、
ωＴ：望遠端での半画角（°）
である。
【０１０２】
前記条件（６）は、広角端におけるズームレンズ系のレンズ全長と最大像高との関係を規定する条件である。条件（６）の上限を上回ると、ズームレンズ系の広角端における全長が大きくなる傾向が著しくなり、コンパクトなズームレンズ系を達成することが困難になる恐れがある。
【０１０３】
なお、さらに以下の条件（６）’を満足することにより、前記効果をさらに奏功させることができる。
ＬＷ／Ｉｒ＜１２．６  ・・・（６）’
【０１０４】
前記条件（７）は、望遠端におけるズームレンズ系のレンズ全長と最大像高との関係を規定する条件である。条件（７）の上限を上回ると、ズームレンズ系の望遠端における全長が大きくなる傾向が著しくなり、コンパクトなズームレンズ系を達成することが困難になる恐れがある。
【０１０５】
なお、さらに以下の条件（７）’を満足することにより、前記効果をさらに奏功させることができる。
ＬＴ／Ｉｒ＜１５．０  ・・・（７）’
【０１０６】
例えば実施の形態１〜８に係るズームレンズ系のように、基本構成を有するズームレンズ系は、以下の条件（８）を満足することが好ましい。
Ｍ１２／Ｉｒ＜４．７  ・・・（８）
ここで、
Ｍ１２：撮像時の広角端から望遠端へのズーミングの際の、第１レンズ群と第２レンズ群との相対移動量、
Ｉｒ：次式で表される値
Ｉｒ＝ｆＴ×ｔａｎ（ωＴ）、
ｆＴ：望遠端での全系の焦点距離、
ωＴ：望遠端での半画角（°）
である。
【０１０７】
前記条件（８）は、第１レンズ群と第２レンズ群との相対移動量と、最大像高との関係を規定する条件である。高倍率を確保するためには、第１レンズ群と第２レンズ群との相対移動量は大きくなる傾向にあるが、条件（８）の上限を上回ると、相対移動量が大きくなり過ぎ、コンパクトなレンズ鏡筒や撮像装置、カメラを提供することが困難となる恐れがある。
【０１０８】
なお、さらに以下の条件（８）’を満足することにより、前記効果をさらに奏功させることができる。
Ｍ１２／Ｉｒ＜４．２  ・・・（８）’
【０１０９】
例えば実施の形態１〜８に係るズームレンズ系のように、基本構成を有するズームレンズ系は、以下の条件（９）を満足することが好ましい。
Ｍ１２×ｆ１／Ｉｒ２＜４４．０  ・・・（９）
ここで、
Ｍ１２：撮像時の広角端から望遠端へのズーミングの際の、第１レンズ群と第２レンズ群との相対移動量、
ｆ１：第１レンズ群の合成焦点距離、
Ｉｒ：次式で表される値
Ｉｒ＝ｆＴ×ｔａｎ（ωＴ）、
ｆＴ：望遠端での全系の焦点距離、
ωＴ：望遠端での半画角（°）
である。
【０１１０】
前記条件（９）は、第１レンズ群と第２レンズ群との相対移動量と第１レンズ群の焦点距離との乗数と、最大像高との関係を規定する条件である。条件（９）の上限を上回ると、相対移動量が大きくなり過ぎ、コンパクトなレンズ鏡筒や撮像装置、カメラを提供することが困難となる恐れがある。また、第１レンズ群の焦点距離が大きくなり、高倍率を確保するために必要な第１レンズ群の移動量が大きくなり過ぎ、コンパクトなレンズ鏡筒や撮像装置、カメラを提供することが困難となる恐れがある。
【０１１１】
なお、さらに以下の条件（９）’を満足することにより、前記効果をさらに奏功させることができる。
Ｍ１２×ｆ１／Ｉｒ２＜３５．０  ・・・（９）’
【０１１２】
例えば実施の形態１〜８に係るズームレンズ系のように、基本構成を有するズームレンズ系は、以下の条件（１０）を満足することが好ましい。
０．５０＜｜ｆ１／ｆ３ｂ｜＜１．５０  ・・・（１０）
ここで、
ｆ１：第１レンズ群の合成焦点距離、
ｆ３ｂ：第３ｂレンズ群の合成焦点距離
である。
【０１１３】
前記条件（１０）は、第１レンズ群の焦点距離と第３ｂレンズ群の焦点距離との比を規定する条件である。条件（１０）の下限を下回ると、第１レンズ群の焦点距離が小さくなり過ぎ、変倍時の収差変動が大きくなって緒収差の補正が困難になるとともに、第１レンズ群の径も大きくなることから、コンパクトなレンズ鏡筒や撮像装置、カメラを提供することが困難となる恐れがある。また、第１レンズ群の傾きに対する誤差感度も高くなり過ぎ、光学系の組み立てが困難になる場合がある。逆に条件（１０）の上限を上回ると、第３ｂレンズ群の焦点距離が小さくなり過ぎ、ぶれ補正時の収差変動が大きくなって緒収差の補正が困難になる恐れがある。また、第１レンズ群の焦点距離が大きくなり、高倍率を確保するために必要な第１レンズ群の移動量が大きくなり過ぎ、コンパクトなレンズ鏡筒や撮像装置、カメラを提供することが困難となる恐れがある。
【０１１４】
なお、さらに以下の条件（１０）’及び（１０）’’の少なくとも１つを満足することにより、前記効果をさらに奏功させることができる。
０．８５＜｜ｆ１／ｆ３ｂ｜  ・・・（１０）’
｜ｆ１／ｆ３ｂ｜＜１．３０  ・・・（１０）’’
【０１１５】
例えば実施の形態１〜８に係るズームレンズ系のように、基本構成を有するズームレンズ系は、以下の条件（１１）を満足することが好ましい。
０．１０＜｜ｆ３ａ／ｆ３ｂ｜＜０．６５  ・・・（１１）
ここで、
ｆ３ａ：第３ａレンズ群の合成焦点距離、
ｆ３ｂ：第３ｂレンズ群の合成焦点距離
である。
【０１１６】
前記条件（１１）は、第３ａレンズ群の焦点距離と第３ｂレンズ群の焦点距離との比を規定する条件である。条件（１１）の下限を下回ると、第３ｂレンズ群の焦点距離が大きくなり過ぎ、充分にぶれを補正することができなくなる恐れがある。また、第３ｂレンズ群が光軸に対して垂直方向に移動する移動量が大きくなり過ぎ、コンパクトなレンズ鏡筒や撮像装置、カメラを提供することが困難となる恐れがある。逆に条件（１１）の上限を上回ると、第３ｂレンズ群の焦点距離が小さくなり過ぎ、ぶれ補正時の収差変動が大きくなって緒収差の補正が困難になる恐れがある。
【０１１７】
なお、さらに以下の条件（１１）’及び（１１）’’の少なくとも１つを満足することにより、前記効果をさらに奏功させることができる。
０．３０＜｜ｆ３ａ／ｆ３ｂ｜  ・・・（１１）’
｜ｆ３ａ／ｆ３ｂ｜＜０．４５  ・・・（１１）’’
【０１１８】
例えば実施の形態１〜８に係るズームレンズ系のように、基本構成を有するズームレンズ系は、以下の条件（１２）及び（１３）を全系において満足することが好ましい。
｜ＹＴ｜＞｜Ｙ｜  ・・・（１２）
１．５＜（Ｙ／ＹＴ）／（ｆ／ｆＴ）＜３．０  ・・・（１３）
ここで、
ｆ：全系の焦点距離、
ｆＴ：望遠端における全系の焦点距離、
Ｙ：全系の焦点距離ｆにおける、第３ｂレンズ群の、最大ぶれ補正時の光軸に対して垂直方向への移動量、
ＹＴ：望遠端での全系の焦点距離ｆＴにおける、第３ｂレンズ群の、最大ぶれ補正時の光軸に対して垂直方向への移動量
である。
【０１１９】
前記条件（１２）及び（１３）は、光軸に対して垂直方向に移動する第３ｂレンズ群の最大ぶれ補正時の垂直方向への移動量を規定する条件である。ズームレンズ系の場合、補正角が全ズーム域で一定のときには、ズーム比が大きいほど、光軸に対して垂直方向に移動するレンズ群やレンズ素子の移動量が大きく、逆にズーム比が小さいほど、光軸に対して垂直方向に移動するレンズ群やレンズ素子の移動量が小さくなる。条件（１２）を満足しない場合又は条件（１３）の上限を上回ると、ぶれ補正が過剰となり、光学性能の劣化が大きくなる恐れがある。一方、条件（１３）の下限を下回ると、充分にぶれを補正することができなくなる恐れがある。
【０１２０】
なお、さらに以下の条件（１３）’及び（１３）’’の少なくとも１つを満足することにより、前記効果をさらに奏功させることができる。
２．０＜（Ｙ／ＹＴ）／（ｆ／ｆＴ）  ・・・（１３）’
（Ｙ／ＹＴ）／（ｆ／ｆＴ）＜２．５  ・・・（１３）’’
【０１２１】
実施の形態１〜８に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【０１２２】
さらに各実施の形態では、像面Ｓの物体側（実施の形態１〜４及び８：像面Ｓと第４レンズ群Ｇ４の最像側レンズ面との間、実施の形態５〜７：像面Ｓと第５レンズ群Ｇ５の最像側レンズ面との間）には、光学的ローパスフィルタや撮像素子のフェースプレート等と等価な平行平板Ｐを配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【０１２３】
（実施の形態９）
図２５は、実施の形態９に係るデジタルスチルカメラの概略構成図であり、（ａ）図は撮像時の概略構成図を示し、（ｂ）図は沈胴時の概略構成図を示す。図２５において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図２５において、ズームレンズ系１は、第１レンズ群Ｇ１と、第２レンズ群Ｇ２と、開口絞りＡと、第３ａレンズ群Ｇ３ａ及び第３ｂレンズ群Ｇ３ｂからなる第３レンズ群Ｇ３と、第４レンズ群Ｇ４とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【０１２４】
鏡筒は、主鏡筒５と、移動鏡筒６と、円筒カム７とで構成されている。円筒カム７を回転させると、第１レンズ群Ｇ１、第２レンズ群Ｇ２、開口絞りＡと第３レンズ群Ｇ３及び第４レンズ群Ｇ４が撮像素子２を基準にした所定の位置に移動し、広角端から望遠端までのズーミングを行うことができる。この鏡筒は、いわゆるスライディング鏡筒であり、（ｂ）図に示すように、沈胴時に、第３レンズ群Ｇ３の一部である第３ａレンズ群Ｇ３ａは光軸上から退避する。すなわち、沈胴時に、第３ａレンズ群Ｇ３ａは撮像時とは異なる軸に沿って退避する。また、第４レンズ群Ｇ４はフォーカス調整用モータにより光軸方向に移動可能である。
【０１２５】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図２５に示したデジタルスチルカメラには、実施の形態１に係るズームレンズ系の替わりに実施の形態２〜８に係るズームレンズ系のいずれかを用いてもよい。また、図２５に示したデジタルスチルカメラの光学系は、動画像を対象とするデジタルビデオカメラに用いることもできる。この場合、静止画像だけでなく、解像度の高い動画像を撮影することができる。
【０１２６】
なお、本実施の形態９に係るデジタルスチルカメラでは、ズームレンズ系１として実施の形態１〜８に係るズームレンズ系を示したが、これらのズームレンズ系は、全てのズーミング域を使用する必要はない。すなわち、所望のズーミング域に応じて、光学性能が確保されている範囲を切り出し、実施の形態１〜８で説明したズームレンズ系よりも低倍率のズームレンズ系として使用してもよい。
【０１２７】
また、以上説明した実施の形態１〜８に係るズームレンズ系と、ＣＣＤやＣＭＯＳ等の撮像素子とから構成される撮像装置を、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等に適用することもできる。
【０１２８】
以下、実施の形態１〜８に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2011102091.tif 000003
ここで、κは円錐定数、Ａ４、Ａ６、Ａ８、Ａ１０、Ａ１２及びＡ１４は、それぞれ４次、６次、８次、１０次、１２次及び１４次の非球面係数である。
【０１２９】
図２、５、８、１１、１４、１７、２０及び２３は、各々実施の形態１〜８に係るズームレンズ系の縦収差図である。
【０１３０】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１３１】
また図３、６、９、１２、１５、１８、２１及び２４は、各々実施の形態１〜８に係るズームレンズ系の望遠端における横収差図である。
【０１３２】
各横収差図において、上段３つの収差図は、望遠端における像ぶれ補正を行っていない基本状態、下段３つの収差図は、第３レンズ群Ｇ３の最像側レンズ素子（第３ｂレンズ群Ｇ３ｂ）を光軸と垂直な方向に所定量移動させた望遠端における像ぶれ補正状態に、それぞれ対応する。基本状態の各横収差図のうち、上段は最大像高の７５％の像点における横収差、中段は軸上像点における横収差、下段は最大像高の−７５％の像点における横収差に、それぞれ対応する。像ぶれ補正状態の各横収差図のうち、上段は最大像高の７５％の像点における横収差、中段は軸上像点における横収差、下段は最大像高の−７５％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第３レンズ群Ｇ３の光軸とを含む平面としている。
【０１３３】
なお、各実施例のズームレンズ系について、望遠端における、像ぶれ補正状態での第３レンズ群Ｇ３の最像側レンズ素子（第３ｂレンズ群Ｇ３ｂ）の光軸と垂直な方向への移動量は、以下に示すとおりである。
実施例１    ０．３８０ｍｍ
実施例２    ０．４２０ｍｍ
実施例３    ０．３６０ｍｍ
実施例４    ０．４６０ｍｍ
実施例５    ０．３２０ｍｍ
実施例６    ０．４１０ｍｍ
実施例７    ０．４１０ｍｍ
実施例８    ０．７９０ｍｍ
【０１３４】
撮影距離が∞で望遠端において、ズームレンズ系が０．３°だけ傾いた場合の像偏心量は、第３レンズ群Ｇ３の最像側レンズ素子（第３ｂレンズ群Ｇ３ｂ）が光軸と垂直な方向に上記の各値だけ平行移動するときの像偏心量に等しい。
【０１３５】
各横収差図から明らかなように、軸上像点における横収差の対称性は良好であることがわかる。また、＋７５％像点における横収差と−７５％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【０１３６】
（数値実施例１）
数値実施例１のズームレンズ系は、図１に示した実施の形態１に対応する。数値実施例１のズームレンズ系の面データを表１に、非球面データを表２に、各種データを表３に示す。
【０１３７】
表  １（面データ）
面番号         r           d           nd         vd                
物面             ∞                                               
1         26.16640     0.65000     1.84666    23.8               
2         16.87260     0.01000     1.56732    42.8               
3         16.87260     2.29370     1.49700    81.6               
4         58.08220     0.15000                                   
5         22.56010     1.68840     1.80420    46.5               
6        113.60170        可変                                   
7*       479.64580     0.30000     1.80470    41.0               
8*         5.35330     3.55510                                   
9*       -13.06530     0.40000     1.77200    50.0               
10       1020.12530     0.15000                                   
11         19.55860     1.07810     1.94595    18.0               
12        -89.63610        可変                                   
13(絞り)           ∞     0.00000                                   
14*         5.17740     2.23510     1.51845    70.0               
15*       -22.90790     0.73320                                   
16          7.12790     2.09740     1.74400    44.7               
17         -6.83580     0.01000     1.56732    42.8               
18         -6.83580     0.30000     1.90366    31.3               
19          4.35700     1.28850                                   
20         13.81280     0.89600     1.49700    81.6               
21        859.87630        可変                                   
22*        17.51620     1.34500     1.77200    50.0               
23*        96.78090        可変                                   
24               ∞     0.78000     1.51680    64.2               
25               ∞        (BF)                                       
像面             ∞                                               
【０１３８】
表  ２（非球面データ）
第7面
K= 0.00000E+00, A4=-3.89079E-04, A6= 4.98917E-05, A8=-1.89028E-06 
A10= 3.10699E-08, A12=-1.99009E-10, A14= 0.00000E+00 
第8面
K= 0.00000E+00, A4=-7.18555E-04, A6= 3.47356E-05, A8= 2.99389E-06 
A10=-3.29477E-07, A12= 1.83371E-08, A14=-4.67338E-10 
第9面
K= 0.00000E+00, A4=-3.01424E-05, A6= 1.09721E-05, A8=-1.80340E-06 
A10= 1.74030E-07, A12=-6.08132E-09, A14= 6.70912E-11 
第14面
K= 0.00000E+00, A4=-1.01933E-04, A6= 9.17188E-05, A8=-2.38544E-05 
A10= 5.70399E-06, A12=-4.54685E-07, A14= 9.77076E-09 
第15面
K= 0.00000E+00, A4= 1.03317E-03, A6= 7.86252E-05, A8=-2.01278E-06 
A10= 8.02553E-07, A12= 2.13081E-07, A14=-2.40496E-08 
第22面
K= 0.00000E+00, A4=-6.34089E-05, A6=-1.95567E-06, A8=-1.07258E-06 
A10= 6.45858E-09, A12= 0.00000E+00, A14= 0.00000E+00 
第23面
K= 0.00000E+00, A4= 1.99061E-05, A6=-1.83589E-05, A8=-4.73078E-07 
A10= 0.00000E+00, A12= 0.00000E+00, A14= 0.00000E+00
【０１３９】
表  ３（各種データ）
ズーム比     9.39150
広角      中間      望遠
焦点距離       4.6449   14.2408   43.6229
Ｆナンバー     3.19247   4.33397   5.80463
画角        42.5914   15.1233    5.0150
像高         3.7000    3.9020    3.9020
レンズ全長     43.7701   45.3322   53.9940
ＢＦ        0.77806   0.76271   0.76177
d6           0.3063    7.9591   15.8810 
d12         16.7125    5.2676    0.3000 
d21          3.1000    4.6876   13.9219 
d23          2.9127    6.6947    3.1688 
入射瞳位置      7.1954   22.6435   61.4754
射出瞳位置      9.9523  -37.8815  -60.9063
前側主点位置   14.1921   31.6364   74.2402
後側主点位置   39.1251   31.0914   10.3710
単レンズデータ
レンズ     始面     焦点距離
1         1      -57.9664
2         3       46.9808
3         5       34.7174
4         7       -6.7295
5         9      -16.7071
6        11       17.0546
7        14        8.3729
8        16        5.0111
9        18       -2.9077
10        20       28.2363
11        22       27.5001
ズームレンズ群データ
群   始面    焦点距離  レンズ構成長    前側主点位置  後側主点位置
1      1    31.72186     4.79210         0.91444       2.70158
2      7    -6.95359     5.48320        -0.03537       0.56284
3     13    10.18296     7.56020        -3.00192       0.70435
4     22    27.50006     1.34500        -0.16650       0.42504
ズームレンズ群倍率
群   始面    広角       中間       望遠
1      1    0.00000    0.00000    0.00000
2      7   -0.31033   -0.47130   -1.01778
3     13   -0.57991   -1.40767   -1.67862
4     22    0.81364    0.67667    0.80492
【０１４０】
（数値実施例２）
数値実施例２のズームレンズ系は、図４に示した実施の形態２に対応する。数値実施例２のズームレンズ系の面データを表４に、非球面データを表５に、各種データを表６に示す。
【０１４１】
表  ４（面データ）
面番号         r           d           nd         vd                
物面             ∞                                               
1         18.18950     0.65000     1.84666    23.8               
2         13.48870     0.01000     1.56732    42.8               
3         13.48870     3.59480     1.58332    59.1               
4*      -390.98650        可変                                   
5*        83.26520     0.30000     1.84973    40.6               
6*         5.25780     3.48870                                   
7*       -13.26330     0.40000     1.68966    53.0               
8       -221.99470     0.15000                                   
9         23.18200     1.05020     1.94595    18.0               
10        -72.81230        可変                                   
11(絞り)           ∞     0.00000                                   
12*         4.52630     2.62910     1.51845    70.0               
13*       -65.83540     0.15150                                   
14          6.57030     2.01120     1.72916    54.7               
15         -6.66480     0.01000     1.56732    42.8               
16         -6.66480     0.30000     1.91082    35.2               
17          4.30720     1.29980                                   
18         15.44020     0.86440     1.49700    81.6               
19      -1122.04350        可変                                   
20*        11.59550     1.24960     1.58332    59.1               
21*        33.00420        可変                                   
22               ∞     0.78000     1.51680    64.2               
23               ∞        (BF)                                       
像面             ∞                                               
【０１４２】
表  ５（非球面データ）
第4面
K= 0.00000E+00, A4= 8.13298E-06, A6=-6.20822E-09, A8=-9.01085E-11 
A10= 3.92960E-13, A12= 0.00000E+00, A14= 0.00000E+00 
第5面
K= 0.00000E+00, A4=-5.31248E-04, A6= 4.94090E-05, A8=-1.86957E-06 
A10= 3.16100E-08, A12=-2.16209E-10, A14= 0.00000E+00 
第6面
K= 0.00000E+00, A4=-7.58792E-04, A6= 2.71556E-05, A8= 3.41683E-06 
A10=-4.11882E-07, A12= 2.09001E-08, A14=-4.78902E-10 
第7面
K= 0.00000E+00, A4= 9.87471E-05, A6= 1.93881E-05, A8=-2.73583E-06 
A10= 2.29004E-07, A12=-7.42552E-09, A14= 9.63360E-11 
第12面
K= 0.00000E+00, A4= 1.94518E-04, A6= 1.15042E-04, A8=-2.37675E-05 
A10= 5.97973E-06, A12=-4.62688E-07, A14= 9.77076E-09 
第13面
K= 0.00000E+00, A4= 2.04364E-03, A6= 1.65386E-04, A8=-1.08751E-06 
A10= 2.65193E-06, A12= 2.13080E-07, A14=-2.40496E-08 
第20面
K= 0.00000E+00, A4=-2.24128E-04, A6= 4.26709E-05, A8=-2.71062E-06 
A10= 3.07043E-08, A12= 0.00000E+00, A14= 0.00000E+00 
第21面
K= 0.00000E+00, A4=-6.63149E-05, A6= 2.08287E-05, A8=-1.52882E-06 
A10= 0.00000E+00, A12= 0.00000E+00, A14= 0.00000E+00
【０１４３】
表  ６（各種データ）
ズーム比     9.39159
広角      中間      望遠
焦点距離       4.6450   14.2411   43.6237
Ｆナンバー     2.40348   3.41386   4.57845
画角        42.5499   15.1048    5.0138
像高         3.7000    3.9020    3.9020
レンズ全長     42.8050   44.7925   53.9765
ＢＦ        0.77744   0.76167   0.74695
d4           0.3001    8.7237   17.4211 
d10         17.0211    5.5104    0.3000 
d19          2.5007    4.2219   13.0968 
d21          3.2664    6.6355    3.4723 
入射瞳位置      6.9221   24.0722   67.3514
射出瞳位置      9.9739  -32.8631  -45.0331
前側主点位置   13.9132   32.2818   69.4062
後側主点位置   38.1601   30.5514   10.3528
単レンズデータ
レンズ     始面     焦点距離
1         1      -65.8192
2         3       22.4263
3         5       -6.6164
4         7      -20.4697
5         9       18.6879
6        12        8.2744
7        14        4.8482
8        16       -2.8356
9        18       30.6530
10        20       30.0000
ズームレンズ群データ
群   始面    焦点距離  レンズ構成長    前側主点位置  後側主点位置
1      1    34.82157     4.25480        -0.10165       1.51673
2      5    -7.26682     5.38890        -0.18610       0.30059
3     11    10.17703     7.26600        -3.19460       0.57446
4     20    30.00002     1.24960        -0.41847       0.05852
ズームレンズ群倍率
群   始面    広角       中間       望遠
1      1    0.00000    0.00000    0.00000
2      5   -0.29417   -0.44639   -0.95847
3     11   -0.56096   -1.31524   -1.62870
4     20    0.80836    0.69658    0.80251
【０１４４】
（数値実施例３）
数値実施例３のズームレンズ系は、図７に示した実施の形態３に対応する。数値実施例３のズームレンズ系の面データを表７に、非球面データを表８に、各種データを表９に示す。
【０１４５】
表  ７（面データ）
面番号         r           d           nd         vd                
物面             ∞                                               
1         32.98660     0.65000     1.84666    23.8               
2         19.29210     0.01000     1.56732    42.8               
3         19.29210     2.88350     1.49700    81.6               
4        186.62540     0.15000                                   
5         22.85250     2.12650     1.80420    46.5               
6        113.68470        可変                                   
7*       -56.70780     0.30000     1.80470    41.0               
8*         5.58800     3.50600                                   
9*       -11.53190     0.40000     1.77200    50.0               
10       -150.26040     0.15000                                   
11         22.72440     1.09220     1.94595    18.0               
12        -50.17290        可変                                   
13(絞り)           ∞     0.00000                                   
14*         5.47000     3.42540     1.51845    70.0               
15*       -27.25050     1.17550                                   
16          9.08990     1.96990     1.74400    44.7               
17         -6.53250     0.01000     1.56732    42.8               
18         -6.53250     0.30000     1.90366    31.3               
19          5.32010     1.12400                                   
20         10.05270     1.22400     1.49700    81.6               
21         58.52130        可変                                   
22*        15.06450     1.53970     1.77200    50.0               
23*        89.61500        可変                                   
24               ∞     0.78000     1.51680    64.2               
25               ∞        (BF)                                       
像面             ∞                                               
【０１４６】
表  ８（非球面データ）
第7面
K= 0.00000E+00, A4=-1.78054E-04, A6= 4.87857E-05, A8=-1.92618E-06 
A10= 3.11771E-08, A12=-1.98035E-10, A14= 0.00000E+00 
第8面
K= 0.00000E+00, A4=-6.15715E-04, A6= 3.54329E-05, A8= 3.39574E-06 
A10=-3.24029E-07, A12= 2.30597E-08, A14=-6.62002E-10 
第9面
K= 0.00000E+00, A4=-6.89382E-05, A6= 4.47455E-06, A8=-8.95100E-07 
A10= 1.67335E-07, A12=-7.34789E-09, A14= 1.12687E-10 
第14面
K= 0.00000E+00, A4=-1.83783E-04, A6= 8.23332E-05, A8=-2.90236E-05 
A10= 5.73502E-06, A12=-4.54757E-07, A14= 9.77076E-09 
第15面
K= 0.00000E+00, A4= 9.56808E-04, A6= 4.66025E-05, A8=-2.44285E-06 
A10= 2.23228E-07, A12= 2.13081E-07, A14=-2.40496E-08 
第22面
K= 0.00000E+00, A4=-6.66750E-05, A6= 1.44621E-05, A8=-6.43388E-07 
A10= 5.48989E-09, A12= 0.00000E+00, A14= 0.00000E+00 
第23面
K= 0.00000E+00, A4=-2.27364E-05, A6= 6.22248E-06, A8=-3.33711E-07 
A10= 0.00000E+00, A12= 0.00000E+00, A14= 0.00000E+00
【０１４７】
表  ９（各種データ）
ズーム比    11.28083
広角      中間      望遠
焦点距離       4.6450   15.5999   52.3994
Ｆナンバー     3.22157   4.34379   5.85721
画角        42.5970   13.8787    4.1805
像高         3.7000    3.9020    3.9020
レンズ全長     48.2367   51.3826   59.4444
ＢＦ        0.77545   0.75181   0.74337
d6           0.4906    8.9958   16.5000 
d12         17.6570    5.6905    0.3000 
d21          3.8367    6.4278   16.0843 
d23          2.6602    6.7000    3.0000 
入射瞳位置      8.0530   27.1025   73.7442
射出瞳位置      9.1198  -82.0690 -304.0824
前側主点位置   15.2837   39.7640  117.1362
後側主点位置   43.5917   35.7827    7.0450
単レンズデータ
レンズ     始面     焦点距離
1         1      -56.1068
2         3       43.0464
3         5       35.1984
4         7       -6.3078
5         9      -16.1997
6        11       16.6555
7        14        9.1126
8        16        5.3992
9        18       -3.2062
10        20       24.2190
11        22       23.2476
ズームレンズ群データ
群   始面    焦点距離  レンズ構成長    前側主点位置  後側主点位置
1      1    30.43445     5.82000         1.47940       3.65346
2      7    -6.56017     5.44820        -0.08374       0.46328
3     13    10.92688     9.22880        -2.97444       1.41732
4     22    23.24756     1.53970        -0.17401       0.50453
ズームレンズ群倍率
群   始面    広角       中間       望遠
1      1    0.00000    0.00000    0.00000
2      7   -0.30798   -0.51269   -1.23976
3     13   -0.63084   -1.63147   -1.79813
4     22    0.78557    0.61281    0.77233
【０１４８】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【０１４９】
表  １０（面データ）
面番号         r           d           nd         vd                
物面             ∞                                               
1         36.53130     0.65000     1.84666    23.8               
2         20.60560     0.01000     1.56732    42.8               
3         20.60560     3.69600     1.49700    81.6               
4        495.95260     0.15000                                   
5         23.57650     2.56190     1.80420    46.5               
6        118.98210        可変                                   
7*       -31.36170     0.30000     1.80470    41.0               
8*         5.89080     3.39080                                   
9*       -12.80210     0.40000     1.77200    50.0               
10        325.88280     0.15000                                   
11         19.13470     1.14430     1.94595    18.0               
12        -70.46300        可変                                   
13(絞り)           ∞     0.00000                                   
14*         5.72660     3.42480     1.51845    70.0               
15*       -31.26490     1.37100                                   
16          8.94370     2.05870     1.74400    44.7               
17         -6.23260     0.01000     1.56732    42.8               
18         -6.23260     0.30000     1.90366    31.3               
19          5.56600     1.09310                                   
20         11.24320     1.15270     1.49700    81.6               
21         65.75400        可変                                   
22*        14.74060     1.59400     1.77200    50.0               
23*        93.11780        可変                                   
24               ∞     0.78000     1.51680    64.2               
25               ∞        (BF)                                       
像面             ∞                                               
【０１５０】
表  １１（非球面データ）
第7面
K= 0.00000E+00, A4=-8.58774E-05, A6= 4.93898E-05, A8=-1.93244E-06 
A10= 3.10404E-08, A12=-1.96085E-10, A14= 0.00000E+00 
第8面
K= 0.00000E+00, A4=-6.32340E-04, A6= 3.47251E-05, A8= 3.55755E-06 
A10=-3.27972E-07, A12= 2.35443E-08, A14=-6.48041E-10 
第9面
K= 0.00000E+00, A4=-1.52455E-04, A6=-1.19476E-06, A8=-6.60745E-07 
A10= 1.65320E-07, A12=-7.45618E-09, A14= 1.09719E-10 
第14面
K= 0.00000E+00, A4=-1.66766E-04, A6= 9.35994E-05, A8=-3.19597E-05 
A10= 5.97000E-06, A12=-4.56658E-07, A14= 9.85421E-09 
第15面
K= 0.00000E+00, A4= 7.92875E-04, A6= 4.44402E-05, A8=-3.65432E-06 
A10= 2.43466E-07, A12= 2.14983E-07, A14=-2.39062E-08 
第22面
K= 0.00000E+00, A4=-5.26996E-05, A6= 1.71711E-05, A8=-5.23359E-07 
A10= 5.54034E-09, A12= 0.00000E+00, A14= 0.00000E+00 
第23面
K= 0.00000E+00, A4=-2.22035E-05, A6= 1.08471E-05, A8=-2.27154E-07 
A10= 0.00000E+00, A12= 0.00000E+00, A14= 0.00000E+00
【０１５１】
表  １２（各種データ）
ズーム比    13.13225
広角      中間      望遠
焦点距離       4.6449   16.7994   60.9984
Ｆナンバー     3.24252   4.33845   5.88945
画角        42.3856   12.8500    3.5930
像高         3.7000    3.9020    3.9020
レンズ全長     51.2734   55.7916   62.8055
ＢＦ        0.77607   0.74365   0.74673
d6           0.6275   10.4291   17.5772 
d12         18.6962    6.6413    0.3000 
d21          3.9936    7.0403   16.8915 
d23          2.9427    6.7000    3.0528 
入射瞳位置      9.0743   33.4049   88.1132
射出瞳位置      8.5390 -167.7650-6439.5354
前側主点位置   16.4985   48.5294  148.5338
後側主点位置   46.6284   38.9923    1.8071
単レンズデータ
レンズ     始面     焦点距離
1         1      -56.8912
2         3       43.1460
3         5       36.1290
4         7       -6.1408
5         9      -15.9480
6        11       16.0075
7        14        9.6404
8        16        5.2400
9        18       -3.2149
10        20       27.0980
11        22       22.4859
ズームレンズ群データ
群   始面    焦点距離  レンズ構成長    前側主点位置  後側主点位置
1      1    30.85080     7.06790         1.98462       4.61364
2      7    -6.44428     5.38510        -0.09673       0.49650
3     13    11.35332     9.41030        -3.26879       1.37313
4     22    22.48587     1.59400        -0.16769       0.53466
ズームレンズ群倍率
群   始面    広角       中間       望遠
1      1    0.00000    0.00000    0.00000
2      7   -0.30083   -0.55459   -1.44109
3     13   -0.65454   -1.63923   -1.80281
4     22    0.76464    0.59898    0.76105
【０１５２】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１５３】
表  １３（面データ）
面番号         r           d           nd         vd                
物面             ∞                                               
1         34.09060     0.65000     1.84666    23.8               
2         19.49590     0.01000     1.56732    42.8               
3         19.49590     2.44880     1.49700    81.6               
4        108.72980     0.15000                                   
5         21.78740     1.93480     1.80420    46.5               
6        107.26760        可変                                   
7*       226.21220     0.30000     1.80470    41.0               
8*         5.31320     3.75900                                   
9*       -11.38950     0.40000     1.77200    50.0               
10        -86.57080     0.15000                                   
11         26.72740     1.07590     1.94595    18.0               
12        -43.48240        可変                                   
13(絞り)           ∞     0.00000                                   
14*         5.39480     2.26460     1.51845    70.0               
15*       -22.40410     0.55810                                   
16          6.63210     2.11530     1.74400    44.7               
17         -8.04460     0.01000     1.56732    42.8               
18         -8.04460     0.30000     1.90366    31.3               
19          4.37760     1.28410                                   
20         17.49510     0.94390     1.49700    81.6               
21        -38.81860        可変                                   
22        -45.42900     0.30000     1.90715    35.4               
23*        45.42900        可変                                   
24*        13.42830     1.68010     1.77200    50.0               
25*       164.09720        可変                                   
26               ∞     0.78000     1.51680    64.2               
27               ∞        (BF)                                       
像面             ∞                                               
【０１５４】
表  １４（非球面データ）
第7面
K= 0.00000E+00, A4=-4.00321E-04, A6= 4.98170E-05, A8=-1.89114E-06 
A10= 3.10475E-08, A12=-1.99601E-10, A14= 0.00000E+00 
第8面
K= 0.00000E+00, A4=-6.99056E-04, A6= 3.31724E-05, A8= 3.05555E-06 
A10=-3.30343E-07, A12= 1.83075E-08, A14=-4.71629E-10 
第9面
K= 0.00000E+00, A4=-5.01540E-06, A6= 1.33919E-05, A8=-1.84607E-06 
A10= 1.72431E-07, A12=-6.04585E-09, A14= 7.25462E-11 
第14面
K= 0.00000E+00, A4=-2.48823E-05, A6= 8.72076E-05, A8=-2.47595E-05 
A10= 5.77557E-06, A12=-4.54685E-07, A14= 9.77076E-09 
第15面
K= 0.00000E+00, A4= 1.00098E-03, A6= 7.10112E-05, A8=-3.23801E-06 
A10= 8.13026E-07, A12= 2.13081E-07, A14=-2.40496E-08 
第23面
K= 0.00000E+00, A4= 1.04453E-04, A6= 9.06780E-06, A8=-7.08667E-08 
A10=-1.91277E-08, A12= 0.00000E+00, A14= 0.00000E+00 
第24面
K= 0.00000E+00, A4=-5.17281E-05, A6=-1.07031E-06, A8=-7.28533E-07 
A10= 2.51487E-09, A12= 0.00000E+00, A14= 0.00000E+00 
第25面
K= 0.00000E+00, A4= 1.61721E-05, A6=-1.47876E-05, A8=-3.54720E-07 
A10= 0.00000E+00, A12= 0.00000E+00, A14= 0.00000E+00
【０１５５】
表  １５（各種データ）
ズーム比     9.39186
広角      中間      望遠
焦点距離       4.6449   14.2407   43.6245
Ｆナンバー     3.20683   4.23507   5.83306
画角        42.6300   15.0486    5.0149
像高         3.7000    3.9020    3.9020
レンズ全長     45.6712   46.2980   54.2910
ＢＦ        0.76810   0.77191   0.74951
d6           0.3000    8.4080   15.7445 
d12         17.5838    5.6751    0.4137 
d21          0.9587    2.5673    4.5000 
d23          2.1000    1.6426    8.2315 
d25          2.8460    6.1185    3.5372 
入射瞳位置      7.4845   24.2561   60.8988
射出瞳位置      9.9637  -33.7302  -81.9963
前側主点位置   14.4758   32.6190   81.5239
後側主点位置   41.0263   32.0573   10.6665
単レンズデータ
レンズ     始面     焦点距離
1         1      -54.9075
2         3       47.3663
3         5       33.6577
4         7       -6.7656
5         9      -17.0277
6        11       17.6301
7        14        8.6262
8        16        5.2061
9        18       -3.1016
10        20       24.4012
11        22      -25.0000
12        24       18.8528
ズームレンズ群データ
群   始面    焦点距離  レンズ構成長    前側主点位置  後側主点位置
1      1    31.55091     5.19360         1.27528       3.22895
2      7    -7.01843     5.68490        -0.07928       0.43656
3     13     9.61320     7.47600        -2.06466       1.08534
4     22   -25.00003     0.30000         0.07853       0.22147
5     24    18.85283     1.68010        -0.08409       0.65245
ズームレンズ群倍率
群   始面    広角       中間       望遠
1      1    0.00000    0.00000    0.00000
2      7   -0.31406   -0.49290   -1.01678
3     13   -0.47177   -0.98867   -1.18115
4     22    1.36765    1.67571    1.66652
5     24    0.72651    0.55273    0.69084
【０１５６】
（数値実施例６）
数値実施例６のズームレンズ系は、図１６に示した実施の形態６に対応する。数値実施例６のズームレンズ系の面データを表１６に、非球面データを表１７に、各種データを表１８に示す。
【０１５７】
表  １６（面データ）
面番号         r           d           nd         vd                
物面             ∞                                               
1         27.36560     0.65000     1.84666    23.8               
2         17.50700     0.01000     1.56732    42.8               
3         17.50700     2.31140     1.49700    81.6               
4         66.55860     0.15000                                   
5         22.99430     1.70060     1.80420    46.5               
6        116.77250        可変                                   
7*       423.06520     0.30000     1.80470    41.0               
8*         5.38070     3.51300                                   
9*       -13.49680     0.40000     1.77200    50.0               
10        165.15700     0.15000                                   
11         17.77750     1.08830     1.94595    18.0               
12       -142.52680        可変                                   
13(絞り)           ∞     0.00000                                   
14*         5.18600     2.17260     1.51845    70.0               
15*       -22.50980     0.70730                                   
16          7.26580     2.07390     1.74400    44.7               
17         -6.83130     0.01000     1.56732    42.8               
18         -6.83130     0.30000     1.90366    31.3               
19          4.41440     1.27610                                   
20         13.96520     0.86220     1.49700    81.6               
21        145.93880        可変                                   
22        139.69450     0.30000     1.69878    47.1               
23       -139.69450        可変                                   
24*        19.69770     1.29890     1.77200    50.0               
25*       126.90490        可変                                   
26               ∞     0.78000     1.51680    64.2               
27               ∞        (BF)                                       
像面             ∞                                               
【０１５８】
表  １７（非球面データ）
第7面
K= 0.00000E+00, A4=-3.88394E-04, A6= 4.99032E-05, A8=-1.89039E-06 
A10= 3.10733E-08, A12=-1.98706E-10, A14= 0.00000E+00 
第8面
K= 0.00000E+00, A4=-7.25095E-04, A6= 3.40011E-05, A8= 2.96023E-06 
A10=-3.26939E-07, A12= 1.83618E-08, A14=-4.65100E-10 
第9面
K= 0.00000E+00, A4=-6.24673E-05, A6= 1.03630E-05, A8=-1.79004E-06 
A10= 1.74942E-07, A12=-6.10851E-09, A14= 6.48782E-11 
第14面
K= 0.00000E+00, A4=-9.96181E-05, A6= 9.15266E-05, A8=-2.37780E-05 
A10= 5.74371E-06, A12=-4.54685E-07, A14= 9.77076E-09 
第15面
K= 0.00000E+00, A4= 1.01627E-03, A6= 7.72953E-05, A8=-1.86830E-06 
A10= 8.22156E-07, A12= 2.13081E-07, A14=-2.40496E-08 
第24面
K= 0.00000E+00, A4=-6.15277E-05, A6=-2.15138E-06, A8=-9.97641E-07 
A10= 3.46774E-09, A12= 0.00000E+00, A14= 0.00000E+00 
第25面
K= 0.00000E+00, A4= 1.92574E-05, A6=-1.75853E-05, A8=-4.83897E-07 
A10= 0.00000E+00, A12= 0.00000E+00, A14= 0.00000E+00
【０１５９】
表  １８（各種データ）
ズーム比     9.39168
広角      中間      望遠
焦点距離       4.6449   14.2406   43.6233
Ｆナンバー     3.19972   4.26584   5.82401
画角        42.5729   15.0788    5.0149
像高         3.7000    3.9020    3.9020
レンズ全長     44.1001   45.9749   54.9776
ＢＦ        0.77494   0.75804   0.75192
d6           0.3000    8.2464   15.8375 
d12         16.7452    5.3138    0.3000 
d21          1.2038    2.5000    4.6538 
d23          2.4727    2.5296   10.3801 
d25          2.5492    6.5728    3.0000 
入射瞳位置      7.1777   23.3643   60.5395
射出瞳位置      9.5663  -43.4130  -70.1216
前側主点位置   14.2767   33.0138   77.3123
後側主点位置   39.4553   31.7343   11.3543
単レンズデータ
レンズ     始面     焦点距離
1         1      -59.1863
2         3       47.0616
3         5       35.3182
4         7       -6.7749
5         9      -16.1464
6        11       16.7645
7        14        8.3536
8        16        5.0493
9        18       -2.9303
10        20       31.0053
11        22      100.0000
12        24       30.0446
ズームレンズ群データ
群   始面    焦点距離  レンズ構成長    前側主点位置  後側主点位置
1      1    31.79584     4.82200         0.97100       2.76922
2      7    -6.89612     5.45130         0.01312       0.65991
3     13    10.42079     7.40210        -3.18120       0.56003
4     22   100.00002     0.30000         0.08834       0.21166
5     24    30.04459     1.29890        -0.13397       0.43576
ズームレンズ群倍率
群   始面    広角       中間       望遠
1      1    0.00000    0.00000    0.00000
2      7   -0.30603   -0.47274   -0.98568
3     13   -0.61512   -1.56482   -2.01062
4     22    0.91999    0.85254    0.83480
5     24    0.84352    0.71016    0.82928
【０１６０】
（数値実施例７）
数値実施例７のズームレンズ系は、図１９に示した実施の形態７に対応する。数値実施例７のズームレンズ系の面データを表１９に、非球面データを表２０に、各種データを表２１に示す。
【０１６１】
表  １９（面データ）
面番号         r           d           nd         vd                
物面             ∞                                               
1         35.13230     0.65000     1.84666    23.8               
2         20.03470     0.01000     1.56732    42.8               
3         20.03470     2.45180     1.49700    81.6               
4        123.44660     0.15000                                   
5         20.37390     2.07020     1.80420    46.5               
6         76.91630        可変                                   
7*       165.08270     0.30000     1.80470    41.0               
8*         5.33090     3.68440                                   
9*       -10.47890     0.40000     1.77200    50.0               
10        -64.17700     0.15000                                   
11         28.22460     1.05370     1.94595    18.0               
12        -39.00710        可変                                   
13(絞り)           ∞     0.00000                                   
14*         5.16230     2.41130     1.51845    70.0               
15*       -24.91140     0.74930                                   
16          7.15140     2.09050     1.74400    44.7               
17         -6.58510     0.01000     1.56732    42.8               
18         -6.58510     0.30000     1.90366    31.3               
19          4.41910     1.27510                                   
20         12.15630     0.88220     1.49700    81.6               
21         64.76980        可変                                   
22*        19.74400     1.20050     1.77200    50.0               
23*        72.01610        可変                                   
24*        48.62150     1.00000     1.48786    70.3               
25        -48.62150        可変                                   
26               ∞     0.78000     1.51680    64.2               
27               ∞        (BF)                                       
像面             ∞                                               
【０１６２】
表  ２０（非球面データ）
第7面
K= 0.00000E+00, A4=-4.08575E-04, A6= 4.96900E-05, A8=-1.89373E-06 
A10= 3.10661E-08, A12=-1.98167E-10, A14= 0.00000E+00 
第8面
K= 0.00000E+00, A4=-6.80426E-04, A6= 2.69976E-05, A8= 3.43955E-06 
A10=-3.38451E-07, A12= 1.82942E-08, A14=-4.71760E-10 
第9面
K= 0.00000E+00, A4= 3.73019E-06, A6= 1.28953E-05, A8=-1.73323E-06 
A10= 1.69941E-07, A12=-6.09688E-09, A14= 7.13836E-11 
第14面
K= 0.00000E+00, A4=-3.84337E-05, A6= 9.01694E-05, A8=-2.51217E-05 
A10= 5.73805E-06, A12=-4.54685E-07, A14= 9.77076E-09 
第15面
K= 0.00000E+00, A4= 1.14168E-03, A6= 7.41960E-05, A8=-2.50130E-06 
A10= 8.24987E-07, A12= 2.13081E-07, A14=-2.40496E-08 
第22面
K= 0.00000E+00, A4=-9.61949E-05, A6=-1.04964E-05, A8=-3.17950E-07 
A10=-1.18593E-08, A12= 0.00000E+00, A14= 0.00000E+00 
第23面
K= 0.00000E+00, A4=-1.31920E-04, A6=-1.02358E-05, A8=-4.94168E-07 
A10= 0.00000E+00, A12= 0.00000E+00, A14= 0.00000E+00 
第24面
K= 0.00000E+00, A4=-6.75514E-04, A6= 5.77171E-05, A8=-2.48485E-06 
A10= 6.06957E-08, A12= 0.00000E+00, A14= 0.00000E+00
【０１６３】
表  ２１（各種データ）
ズーム比     9.39173
広角      中間      望遠
焦点距離       4.6450   14.2412   43.6250
Ｆナンバー     3.20080   4.26732   5.81510
画角        42.7385   15.0377    5.0098
像高         3.7000    3.9020    3.9020
レンズ全長     44.7349   46.6754   54.7598
ＢＦ        0.77338   0.76409   0.74452
d6           0.3581    8.5800   15.8330 
d12         16.5784    5.5630    0.3000 
d21          2.5197    3.0714   13.3706 
d23          1.8844    5.7064    2.3404 
d25          1.0019    1.3715    0.5523 
入射瞳位置      7.6861   25.1824   63.1594
射出瞳位置      9.3709  -62.0134 -202.3563
前側主点位置   14.8407   36.1929   97.4140
後側主点位置   40.0898   32.4342   11.1348
単レンズデータ
レンズ     始面     焦点距離
1         1      -56.1732
2         3       47.7455
3         5       33.9097
4         7       -6.8515
5         9      -16.2754
6        11       17.4443
7        14        8.4801
8        16        4.9278
9        18       -2.8890
10        20       29.9441
11        22       34.8862
12        24       50.0000
ズームレンズ群データ
群   始面    焦点距離  レンズ構成長    前側主点位置  後側主点位置
1      1    31.46718     5.33200         1.17189       3.20003
2      7    -6.97759     5.58810        -0.04159       0.48197
3     13    10.28493     7.71840        -3.23322       0.73114
4     22    34.88620     1.20050        -0.25336       0.27637
5     24    50.00000     1.00000         0.33719       0.66281
ズームレンズ群倍率
群   始面    広角       中間       望遠
1      1    0.00000    0.00000    0.00000
2      7   -0.31657   -0.50492   -1.06265
3     13   -0.59269   -1.34414   -1.63764
4     22    0.83036    0.70921    0.83241
5     24    0.94747    0.94026    0.95704
【０１６４】
（数値実施例８）
数値実施例８のズームレンズ系は、図２２に示した実施の形態８に対応する。数値実施例８のズームレンズ系の面データを表２２に、非球面データを表２３に、各種データを表２４に示す。
【０１６５】
表  ２２（面データ）
面番号         r           d           nd         vd                
物面             ∞                                               
1         26.52200     0.65000     1.84666    23.8               
2         17.32350     0.01000     1.56732    42.8               
3         17.32350     2.46240     1.49700    81.6               
4         61.07240     0.15000                                   
5         21.02000     1.99660     1.80420    46.5               
6         81.41130        可変                                   
7*       308.54550     0.30000     1.80470    41.0               
8*         5.28620     3.58240                                   
9*       -13.42040     0.40000     1.77200    50.0               
10       -648.30400     0.15000                                   
11         20.44370     1.04240     1.94595    18.0               
12        -93.28300        可変                                   
13(絞り)           ∞     0.00000                                   
14*         5.16880     3.02350     1.51845    70.0               
15*       -19.58140     0.82300                                   
16          7.38130     2.08110     1.74338    44.7               
17         -5.52350     0.01000     1.56732    42.8               
18         -5.52350     0.30000     1.90453    29.3               
19*         5.41140     1.13900                                   
20        -48.32330     0.90490     1.52625    52.4               
21         58.13950        可変                                   
22*        14.92940     2.13320     1.77200    50.0               
23*       -47.83980        可変                                   
24               ∞     0.78000     1.51680    64.2               
25               ∞        (BF)                                       
像面             ∞                                               
【０１６６】
表  ２３（非球面データ）
第7面
K= 0.00000E+00, A4=-3.91513E-04, A6= 4.98664E-05, A8=-1.89044E-06 
A10= 3.10698E-08, A12=-1.99335E-10, A14= 0.00000E+00 
第8面
K= 0.00000E+00, A4=-7.40892E-04, A6= 3.46511E-05, A8= 3.10370E-06 
A10=-3.29090E-07, A12= 1.82092E-08, A14=-4.80007E-10 
第9面
K= 0.00000E+00, A4= 1.10557E-05, A6= 9.63559E-06, A8=-1.78891E-06 
A10= 1.74520E-07, A12=-6.09446E-09, A14= 6.73871E-11 
第14面
K= 0.00000E+00, A4=-1.09054E-04, A6= 7.98463E-05, A8=-2.54906E-05 
A10= 5.45100E-06, A12=-4.54685E-07, A14= 9.77076E-09 
第15面
K= 0.00000E+00, A4= 1.08055E-03, A6= 5.91226E-05, A8=-4.56934E-06 
A10= 7.60109E-07, A12= 2.13081E-07, A14=-2.40496E-08 
第19面
K= 0.00000E+00, A4= 5.19188E-04, A6= 5.37414E-05, A8=-6.41731E-07 
A10=-5.83048E-07, A12= 0.00000E+00, A14= 0.00000E+00 
第22面
K= 0.00000E+00, A4= 4.86875E-06, A6= 3.83391E-06, A8=-7.12995E-07 
A10= 8.21904E-10, A12= 0.00000E+00, A14= 0.00000E+00 
第23面
K= 0.00000E+00, A4= 1.72646E-04, A6=-1.23123E-05, A8=-2.90937E-07 
A10= 0.00000E+00, A12= 0.00000E+00, A14= 0.00000E+00
【０１６７】
表  ２４（各種データ）
ズーム比     9.39159
広角      中間      望遠
焦点距離       4.6450   14.2410   43.6241
Ｆナンバー     3.20252   4.26837   5.81038
画角        42.6783   15.2150    5.0176
像高         3.7000    3.9020    3.9020
レンズ全長     43.8768   46.7180   55.9985
ＢＦ        0.77921   0.74823   0.76884
d6           0.3693    8.4012   15.6921 
d12         16.0481    5.2222    0.3000 
d21          2.1709    4.8185   13.3777 
d23          2.5708    5.5894    3.9214 
入射瞳位置      7.7241   25.1267   64.4437
射出瞳位置      9.3660  -91.4581   86.1051
前側主点位置   14.8819   37.1682  130.3686
後側主点位置   39.2318   32.4771   12.3744
単レンズデータ
レンズ     始面     焦点距離
1         1      -60.9702
2         3       47.7660
3         5       34.7237
4         7       -6.6866
5         9      -17.7563
6        11       17.8063
7        14        8.2310
8        16        4.5638
9        18       -2.9831
10        20      -50.0000
11        22       14.9605
ズームレンズ群データ
群   始面    焦点距離  レンズ構成長    前側主点位置  後側主点位置
1      1    31.23752     5.26900         0.86635       2.85909
2      7    -6.97011     5.47480        -0.05130       0.52211
3     13    10.13775     8.28150        -5.09894       0.80696
4     22    14.96050     2.13320         0.29063       1.20190
ズームレンズ群倍率
群   始面    広角       中間       望遠
1      1    0.00000    0.00000    0.00000
2      7   -0.32360   -0.51601   -1.12119
3     13   -0.67631   -1.84156   -2.11162
4     22    0.67945    0.47975    0.58987
【０１６８】
以下の表２５に、各数値実施例のズームレンズ系における各条件の対応値を示す。ただし表２５中、ＹＷは、
ＹＷ：広角端での全系の焦点距離ｆＷにおける、第３ｂレンズ群の、最大ぶれ補正時の光軸に対して垂直方向への移動量
を示し、ズームレンズ系が広角端の状態のとき、すなわち条件（１３）においてＹ＝ＹＷ（ｆ＝ｆＷ）のときの対応値（ＹＷ／ＹＴ）／（ｆＷ／ｆＴ）を求めた。
【０１６９】
表  ２５（条件の対応値）
【表２５】
2011102091.tif 000004
【産業上の利用可能性】
【０１７０】
本発明に係るズームレンズ系は、デジタルカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルカメラ等の高画質が要求される撮影光学系に好適である。
【符号の説明】
【０１７１】
Ｇ１    第１レンズ群
Ｇ２    第２レンズ群
Ｇ３    第３レンズ群
Ｇ３ａ  第３ａレンズ群
Ｇ３ｂ  第３ｂレンズ群
Ｇ４    第４レンズ群
Ｇ５    第５レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ａ      開口絞り
Ｐ      平行平板
Ｓ      像面
１      ズームレンズ系
２      撮像素子
３      液晶モニタ
４      筐体
５      主鏡筒
６      移動鏡筒
７      円筒カム
【図１】
2011102091.tif 000005
【図２】
2011102091.tif 000006
【図３】
2011102091.tif 000007
【図４】
2011102091.tif 000008
【図５】
2011102091.tif 000009
【図６】
2011102091.tif 000010
【図７】
2011102091.tif 000011
【図８】
2011102091.tif 000012
【図９】
2011102091.tif 000013
【図１０】
2011102091.tif 000014
【図１１】
2011102091.tif 000015
【図１２】
2011102091.tif 000016
【図１３】
2011102091.tif 000017
【図１４】
2011102091.tif 000018
【図１５】
2011102091.tif 000019
【図１６】
2011102091.tif 000020
【図１７】
2011102091.tif 000021
【図１８】
2011102091.tif 000022
【図１９】
2011102091.tif 000023
【図２０】
2011102091.tif 000024
【図２１】
2011102091.tif 000025
【図２２】
2011102091.tif 000026
【図２３】
2011102091.tif 000027
【図２４】
2011102091.tif 000028
【図２５】
2011102091.tif 000029
【手続補正書】
【提出日】平成24年8月8日(2012.8.8)
【手続補正１】
【補正対象書類名】明細書
【補正対象項目名】全文
【補正方法】変更
【補正の内容】
【発明の詳細な説明】
【技術分野】
【０００１】
本発明は、ズームレンズ系、撮像装置及びカメラに関する。特に本発明は、解像度が高いのは勿論のこと、高いズーミング比を有しながら、手ぶれ、振動等による像のぶれを光学的に補正するぶれ補正機能を有するだけでなく、特に沈胴時の薄型化が可能なズームレンズ系、該ズームレンズ系を含む撮像装置、及び該撮像装置を備えた薄型でコンパクトなカメラに関する。
【背景技術】
【０００２】
デジタルスチルカメラやデジタルビデオカメラ等の、光電変換を行う撮像素子を持つカメラ（以下、単にデジタルカメラという）に対しては、特に近年、高い解像度や高いズーミング比と共に、手ぶれ、振動等による像のぶれを光学的に補正するぶれ補正機能や薄型化が要求されており、種々のズームレンズ系が提案されている。
【０００３】
特開２００７−１２２０１９号公報は、物体側から順に、正屈折力を有し、負メニスカスレンズ、第１正レンズ及び第２正レンズで構成される第１レンズ群と、負屈折力を有する第２レンズ群と、正屈折力を有する第３レンズ群と、正屈折力を有する第４レンズ群で構成され、変倍に際して各レンズ群全てを光軸に沿って移動させ、第１レンズ群及び第２レンズ群の焦点距離、負メニスカスレンズの屈折率、並びに第１正レンズの屈折率の関係を規定した高変倍ズームレンズを開示している。この高変倍ズームレンズでは、第３レンズ群全体にぶれ補正機能が付与されている。
【０００４】
特開２００９−２８２４３９号公報は、物体側より像側へ順に、正の屈折力の第１レンズ群と、負の屈折力の第２レンズ群と、正の屈折力の第３ａレンズ群及び負の屈折力の第３ｂレンズ群を有し、第３ｂレンズ群が単一の負レンズで構成されている、全体で正の屈折力の第３レンズ群と、正の屈折力の第４レンズ群とを備え、ズーミングに際して少なくとも第１レンズ群が移動するズームレンズを開示している。このズームレンズでは、第３ａレンズ群にぶれ補正機能が付与されている。
【０００５】
特開２００３−２９５０６０号公報は、物体側より順に、正の屈折力の第１レンズ群と、負の屈折力の第２レンズ群と、正の屈折力の第３ａレンズ群及び負の屈折力の第３ｂレンズ群を有する、全体で正の屈折力の第３レンズ群とを有し、各レンズ群の間隔を変化させてズーミングを行い、第３ｂレンズ群を光軸と垂直方向に移動させ、隣り合うレンズ群同士の間隔、全系の焦点距離、第２レンズ群及び第３ｂレンズ群の焦点距離、並びに望遠端で第３ｂレンズ群を光軸と垂直方向に移動させたときの結像位置の光軸と垂直方向の変位量の関係を規定したズームレンズを開示している。このズームレンズでは、第３ｂレンズ群にぶれ補正機能が付与されている。
【先行技術文献】
【特許文献】
【０００６】
【特許文献１】特開２００７−１２２０１９号公報
【特許文献２】特開２００９−２８２４３９号公報
【特許文献３】特開２００３−２９５０６０号公報
【発明の概要】
【発明が解決しようとする課題】
【０００７】
しかしながら、前記各特許文献に開示のズームレンズはいずれも、高いズーミング比を有し、かつ何れかのレンズ群にぶれ補正機能が付与されているものの、薄型化、特に沈胴時の薄型化を達成し得るのに適したレンズ群配置がなされておらず、近年のデジタルカメラに対する要求を満足し得るものではない。
【０００８】
本発明の目的は、解像度が高いのは勿論のこと、高いズーミング比を有しながら、手ぶれ、振動等による像のぶれを光学的に補正するぶれ補正機能を有するだけでなく、特に沈胴時の薄型化が可能なズームレンズ系、該ズームレンズ系を含む撮像装置、及び該撮像装置を備えた薄型でコンパクトなカメラを提供することである。
【課題を解決するための手段】
【０００９】
上記目的の１つは、以下のズームレンズ系により達成される。すなわち本発明は、
少なくとも１枚のレンズ素子で構成されたレンズ群を複数有するズームレンズ系であって、
物体側から像側へと順に、
正のパワーを有する第１レンズ群と、
負のパワーを有する第２レンズ群と、
正のパワーを有する第３レンズ群と、
後続レンズ群とを備え、
撮像時の広角端から望遠端へのズーミングの際に、前記第１レンズ群と、前記第２レンズ群と、前記第３レンズ群とを光軸に沿って移動させて変倍を行い、
前記第３レンズ群の一部が、像のぶれを光学的に補正するために光軸に対して垂直方向に移動する第３ｂレンズ群であり、
以下の条件（２）及び（３）：
１．５＜（Ｄ2＋Ｄ3b＋ＤB）／Ｉｒ＜２．４  ・・・（２）
ＢＦ／Ｉｒ＜１．４５  ・・・（３）
（ただし、Ｚ＝ｆT／ｆW＞９．０である）
（ここで、
Ｄ2：第２レンズ群の光軸上での厚み、
Ｄ3b：第３ｂレンズ群の光軸上での厚み、
ＤB：各後続レンズ群の光軸上での厚みの総和、
ＢＦ：最像側レンズ面頂と像面との空気換算した場合の光軸上の最短距離、
Ｉｒ：次式で表される値
Ｉｒ＝ｆT×ｔａｎ（ωT）、
ｆT：望遠端での全系の焦点距離、
ｆW：広角端での全系の焦点距離、
ωT：望遠端での半画角（°）
である）
を満足する、ズームレンズ系
に関する。
【００１０】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
少なくとも１枚のレンズ素子で構成されたレンズ群を複数有し、
物体側から像側へと順に、
正のパワーを有する第１レンズ群と、
負のパワーを有する第２レンズ群と、
正のパワーを有する第３レンズ群と、
後続レンズ群とを備え、
撮像時の広角端から望遠端へのズーミングの際に、前記第１レンズ群と、前記第２レンズ群と、前記第３レンズ群とを光軸に沿って移動させて変倍を行い、
前記第３レンズ群の一部が、像のぶれを光学的に補正するために光軸に対して垂直方向に移動する第３ｂレンズ群であり、
以下の条件（２）及び（３）：
１．５＜（Ｄ2＋Ｄ3b＋ＤB）／Ｉｒ＜２．４  ・・・（２）
ＢＦ／Ｉｒ＜１．４５  ・・・（３）
（ただし、Ｚ＝ｆT／ｆW＞９．０である）
（ここで、
Ｄ2：第２レンズ群の光軸上での厚み、
Ｄ3b：第３ｂレンズ群の光軸上での厚み、
ＤB：各後続レンズ群の光軸上での厚みの総和、
ＢＦ：最像側レンズ面頂と像面との空気換算した場合の光軸上の最短距離、
Ｉｒ：次式で表される値
Ｉｒ＝ｆT×ｔａｎ（ωT）、
ｆT：望遠端での全系の焦点距離、
ｆW：広角端での全系の焦点距離、
ωT：望遠端での半画角（°）
である）
を満足するズームレンズ系である、撮像装置
に関する。
【００１１】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
少なくとも１枚のレンズ素子で構成されたレンズ群を複数有し、
物体側から像側へと順に、
正のパワーを有する第１レンズ群と、
負のパワーを有する第２レンズ群と、
正のパワーを有する第３レンズ群と、
後続レンズ群とを備え、
撮像時の広角端から望遠端へのズーミングの際に、前記第１レンズ群と、前記第２レンズ群と、前記第３レンズ群とを光軸に沿って移動させて変倍を行い、
前記第３レンズ群の一部が、像のぶれを光学的に補正するために光軸に対して垂直方向に移動する第３ｂレンズ群であり、
以下の条件（２）及び（３）：
１．５＜（Ｄ2＋Ｄ3b＋ＤB）／Ｉｒ＜２．４  ・・・（２）
ＢＦ／Ｉｒ＜１．４５  ・・・（３）
（ただし、Ｚ＝ｆT／ｆW＞９．０である）
（ここで、
Ｄ2：第２レンズ群の光軸上での厚み、
Ｄ3b：第３ｂレンズ群の光軸上での厚み、
ＤB：各後続レンズ群の光軸上での厚みの総和、
ＢＦ：最像側レンズ面頂と像面との空気換算した場合の光軸上の最短距離、
Ｉｒ：次式で表される値
Ｉｒ＝ｆT×ｔａｎ（ωT）、
ｆT：望遠端での全系の焦点距離、
ｆW：広角端での全系の焦点距離、
ωT：望遠端での半画角（°）
である）
を満足するズームレンズ系である、カメラ
に関する。
【発明の効果】
【００１２】
本発明によれば、解像度が高いのは勿論のこと、高いズーミング比を有しながら、手ぶれ、振動等による像のぶれを光学的に補正するぶれ補正機能を有するだけでなく、特に沈胴時の薄型化が可能なズームレンズ系、該ズームレンズ系を含む撮像装置、及び該撮像装置を備えた薄型でコンパクトなカメラを提供することができる。
【図面の簡単な説明】
【００１３】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５（実施例５）に係るズームレンズ系の無限遠合焦状態を示すレンズ配置図
【図１４】実施例５に係るズームレンズ系の無限遠合焦状態の縦収差図
【図１５】実施例５に係るズームレンズ系の望遠端における、像ぶれ補正を行っていない基本状態及び像ぶれ補正状態での横収差図
【図１６】実施の形態６（実施例６）に係るズームレンズ系の無限遠合焦状態を示すレンズ配置図
【図１７】実施例６に係るズームレンズ系の無限遠合焦状態の縦収差図
【図１８】実施例６に係るズームレンズ系の望遠端における、像ぶれ補正を行っていない基本状態及び像ぶれ補正状態での横収差図
【図１９】実施の形態７（実施例７）に係るズームレンズ系の無限遠合焦状態を示すレンズ配置図
【図２０】実施例７に係るズームレンズ系の無限遠合焦状態の縦収差図
【図２１】実施例７に係るズームレンズ系の望遠端における、像ぶれ補正を行っていない基本状態及び像ぶれ補正状態での横収差図
【図２２】実施の形態８（実施例８）に係るズームレンズ系の無限遠合焦状態を示すレンズ配置図
【図２３】実施例８に係るズームレンズ系の無限遠合焦状態の縦収差図
【図２４】実施例８に係るズームレンズ系の望遠端における、像ぶれ補正を行っていない基本状態及び像ぶれ補正状態での横収差図
【図２５】実施の形態９に係るデジタルスチルカメラの概略構成図
【発明を実施するための形態】
【００１４】
（実施の形態１〜８）
図１、４、７、１０、１３、１６、１９及び２２は、各々実施の形態１〜８に係るズームレンズ系のレンズ配置図である。
【００１５】
図１、４、７、１０、１３、１６、１９及び２２は、いずれも無限遠合焦状態にあるズームレンズ系を表している。各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた直線乃至曲線の矢印は、広角端から中間位置を経由して望遠端への、各レンズ群の動きを示す。さらに各図において、レンズ群に付された矢印は、無限遠合焦状態から近接物体合焦状態へのフォーカシングを表す。すなわち、図１、４、７、１０、１９及び２２では、後述する第４レンズ群Ｇ４が無限遠合焦状態から近接物体合焦状態へのフォーカシングの際に移動する方向を示しており、図１３及び１６では、後述する第５レンズ群Ｇ５が無限遠合焦状態から近接物体合焦状態へのフォーカシングの際に移動する方向を示している。
【００１６】
実施の形態１〜４及び８に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４とを備える。各実施の形態に係るズームレンズ系では、ズーミングに際して、各レンズ群の間隔、すなわち、前記第１レンズ群Ｇ１と第２レンズ群Ｇ２との間隔、第２レンズ群Ｇ２と第３レンズ群Ｇ３との間隔、及び第３レンズ群Ｇ３と第４レンズ群Ｇ４との間隔がいずれも変化するように、全てのレンズ群が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００１７】
実施の形態５〜７に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、第４レンズ群Ｇ４と、正のパワーを有する第５レンズ群Ｇ５とを備え、実施の形態５に係るズームレンズ系では、第４レンズ群Ｇ４は負のパワーを有し、実施の形態６及び７に係るズームレンズ系では、第４レンズ群Ｇ４は正のパワーを有する。各実施の形態に係るズームレンズ系では、ズーミングに際して、各レンズ群の間隔、すなわち、前記第１レンズ群Ｇ１と第２レンズ群Ｇ２との間隔、第２レンズ群Ｇ２と第３レンズ群Ｇ３との間隔、第３レンズ群Ｇ３と第４レンズ群Ｇ４との間隔、及び第４レンズ群Ｇ４と第５レンズ群Ｇ５との間隔がいずれも変化するように、全てのレンズ群が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００１８】
なお図１、４、７、１０、１３、１６、１９及び２２において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（図１、４、７、１０及び２２：像面Ｓと第４レンズ群Ｇ４の最像側レンズ面との間、図１３、１６及び１９：像面Ｓと第５レンズ群Ｇ５の最像側レンズ面との間）には、光学的ローパスフィルタや撮像素子のフェースプレート等と等価な平行平板Ｐが設けられている。
【００１９】
さらに図１、４、７、１０、１３、１６、１９及び２２において、第３レンズ群Ｇ３の最物体側、すなわち、第２レンズ群Ｇ２と第３レンズ群Ｇ３との間に開口絞りＡが設けられている。該開口絞りＡは、撮像時の広角端から望遠端へのズーミングの際に、第３レンズ群Ｇ３と一体的に光軸上を物体側へ移動する。
【００２０】
図１に示すように、実施の形態１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００２１】
実施の形態１に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６とからなる。これらのうち、第４レンズ素子Ｌ４は、その両面が非球面であり、第５レンズ素子Ｌ５は、その物体側面が非球面である。
【００２２】
また実施の形態１に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第７レンズ素子Ｌ７は、その両面が非球面である。
【００２３】
なお前記第３レンズ群Ｇ３は、後に詳述するように、物体側から像側へと順に、第３ａレンズ群Ｇ３ａと第３ｂレンズ群Ｇ３ｂとで構成されており、第３ａレンズ群Ｇ３ａは、物体側から像側へと順に、第７レンズ素子Ｌ７と第８レンズ素子Ｌ８と第９レンズ素子Ｌ９とからなり、第３ｂレンズ群Ｇ３ｂは、第１０レンズ素子Ｌ１０のみからなる。
【００２４】
また実施の形態１に係るズームレンズ系において、第４レンズ群Ｇ４は、物体側に凸面を向けた正メニスカス形状の第１１レンズ素子Ｌ１１のみからなる。この第１１レンズ素子Ｌ１１は、その両面が非球面である。
【００２５】
なお、実施の形態１に係るズームレンズ系において、像面Ｓの物体側（像面Ｓと第１１レンズ素子Ｌ１１との間）には、平行平板Ｐが設けられている。
【００２６】
実施の形態１に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側に凸の軌跡を描いて像側へ移動し、第４レンズ群Ｇ４は、望遠端での位置が広角端での位置と略同じになるように物体側に凸の軌跡を描いて移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００２７】
図４に示すように、実施の形態２に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２とからなる。これら第１レンズ素子Ｌ１と第２レンズ素子Ｌ２とは接合されており、後述する対応数値実施例における面データでは、第１レンズ素子Ｌ１と第２レンズ素子Ｌ２との間の接着剤層に面番号２が付与されている。また、第２レンズ素子Ｌ２は、その像側面が非球面である。
【００２８】
実施の形態２に係るズームレンズ系において、第２レンズ群Ｇ２は、物体側から像側へと順に、物体側に凸面を向けた負メニスカス形状の第３レンズ素子Ｌ３と、像側に凸面を向けた負メニスカス形状の第４レンズ素子Ｌ４と、両凸形状の第５レンズ素子Ｌ５とからなる。これらのうち、第３レンズ素子Ｌ３は、その両面が非球面であり、第４レンズ素子Ｌ４は、その物体側面が非球面である。
【００２９】
また実施の形態２に係るズームレンズ系において、第３レンズ群Ｇ３は、物体側から像側へと順に、両凸形状の第６レンズ素子Ｌ６と、両凸形状の第７レンズ素子Ｌ７と、両凹形状の第８レンズ素子Ｌ８と、両凸形状の第９レンズ素子Ｌ９とからなる。これらのうち、第７レンズ素子Ｌ７と第８レンズ素子Ｌ８とは接合されており、後述する対応数値実施例における面データでは、これら第７レンズ素子Ｌ７と第８レンズ素子Ｌ８との間の接着剤層に面番号１５が付与されている。また、第６レンズ素子Ｌ６は、その両面が非球面である。
【００３０】
なお前記第３レンズ群Ｇ３は、後に詳述するように、物体側から像側へと順に、第３ａレンズ群Ｇ３ａと第３ｂレンズ群Ｇ３ｂとで構成されており、第３ａレンズ群Ｇ３ａは、物体側から像側へと順に、第６レンズ素子Ｌ６と第７レンズ素子Ｌ７と第８レンズ素子Ｌ８とからなり、第３ｂレンズ群Ｇ３ｂは、第９レンズ素子Ｌ９のみからなる。
【００３１】
また実施の形態２に係るズームレンズ系において、第４レンズ群Ｇ４は、物体側に凸面を向けた正メニスカス形状の第１０レンズ素子Ｌ１０のみからなる。この第１０レンズ素子Ｌ１０は、その両面が非球面である。
【００３２】
なお、実施の形態２に係るズームレンズ系において、像面Ｓの物体側（像面Ｓと第１０レンズ素子Ｌ１０との間）には、平行平板Ｐが設けられている。
【００３３】
実施の形態２に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側に凸の軌跡を描いて像側へ移動し、第４レンズ群Ｇ４は、望遠端での位置が広角端での位置と略同じになるように物体側に凸の軌跡を描いて移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００３４】
図７に示すように、実施の形態３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００３５】
実施の形態３に係るズームレンズ系において、第２レンズ群Ｇ２は、物体側から像側へと順に、両凹形状の第４レンズ素子Ｌ４と、像側に凸面を向けた負メニスカス形状の第５レンズ素子Ｌ５と、両凸形状の第６レンズ素子Ｌ６とからなる。これらのうち、第４レンズ素子Ｌ４は、その両面が非球面であり、第５レンズ素子Ｌ５は、その物体側面が非球面である。
【００３６】
また実施の形態３に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第７レンズ素子Ｌ７は、その両面が非球面である。
【００３７】
なお前記第３レンズ群Ｇ３は、後に詳述するように、物体側から像側へと順に、第３ａレンズ群Ｇ３ａと第３ｂレンズ群Ｇ３ｂとで構成されており、第３ａレンズ群Ｇ３ａは、物体側から像側へと順に、第７レンズ素子Ｌ７と第８レンズ素子Ｌ８と第９レンズ素子Ｌ９とからなり、第３ｂレンズ群Ｇ３ｂは、第１０レンズ素子Ｌ１０のみからなる。
【００３８】
また実施の形態３に係るズームレンズ系において、第４レンズ群Ｇ４は、物体側に凸面を向けた正メニスカス形状の第１１レンズ素子Ｌ１１のみからなる。この第１１レンズ素子Ｌ１１は、その両面が非球面である。
【００３９】
なお、実施の形態３に係るズームレンズ系において、像面Ｓの物体側（像面Ｓと第１１レンズ素子Ｌ１１との間）には、平行平板Ｐが設けられている。
【００４０】
実施の形態３に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側に凸の軌跡を描いて像側へ移動し、第４レンズ群Ｇ４は、望遠端での位置が広角端での位置と略同じになるように物体側に凸の軌跡を描いて移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００４１】
図１０に示すように、実施の形態４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００４２】
実施の形態４に係るズームレンズ系において、第２レンズ群Ｇ２は、物体側から像側へと順に、両凹形状の第４レンズ素子Ｌ４と、両凹形状の第５レンズ素子Ｌ５と、両凸形状の第６レンズ素子Ｌ６とからなる。これらのうち、第４レンズ素子Ｌ４は、その両面が非球面であり、第５レンズ素子Ｌ５は、その物体側面が非球面である。
【００４３】
また実施の形態４に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第７レンズ素子Ｌ７は、その両面が非球面である。
【００４４】
なお前記第３レンズ群Ｇ３は、後に詳述するように、物体側から像側へと順に、第３ａレンズ群Ｇ３ａと第３ｂレンズ群Ｇ３ｂとで構成されており、第３ａレンズ群Ｇ３ａは、物体側から像側へと順に、第７レンズ素子Ｌ７と第８レンズ素子Ｌ８と第９レンズ素子Ｌ９とからなり、第３ｂレンズ群Ｇ３ｂは、第１０レンズ素子Ｌ１０のみからなる。
【００４５】
また実施の形態４に係るズームレンズ系において、第４レンズ群Ｇ４は、物体側に凸面を向けた正メニスカス形状の第１１レンズ素子Ｌ１１のみからなる。この第１１レンズ素子Ｌ１１は、その両面が非球面である。
【００４６】
なお、実施の形態４に係るズームレンズ系において、像面Ｓの物体側（像面Ｓと第１１レンズ素子Ｌ１１との間）には、平行平板Ｐが設けられている。
【００４７】
実施の形態４に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側に凸の軌跡を描いて像側へ移動し、第４レンズ群Ｇ４は、望遠端での位置が広角端での位置と略同じになるように物体側に凸の軌跡を描いて移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００４８】
図１３に示すように、実施の形態５に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００４９】
実施の形態５に係るズームレンズ系において、第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６とからなる。これらのうち、第４レンズ素子Ｌ４は、その両面が非球面であり、第５レンズ素子Ｌ５は、その物体側面が非球面である。
【００５０】
また実施の形態５に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、両凸形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第７レンズ素子Ｌ７は、その両面が非球面である。
【００５１】
なお前記第３レンズ群Ｇ３は、後に詳述するように、物体側から像側へと順に、第３ａレンズ群Ｇ３ａと第３ｂレンズ群Ｇ３ｂとで構成されており、第３ａレンズ群Ｇ３ａは、物体側から像側へと順に、第７レンズ素子Ｌ７と第８レンズ素子Ｌ８と第９レンズ素子Ｌ９とからなり、第３ｂレンズ群Ｇ３ｂは、第１０レンズ素子Ｌ１０のみからなる。
【００５２】
また実施の形態５に係るズームレンズ系において、第４レンズ群Ｇ４は、両凹形状の第１１レンズ素子Ｌ１１のみからなる。この第１１レンズ素子Ｌ１１は、その像側面が非球面である。
【００５３】
また実施の形態５に係るズームレンズ系において、第５レンズ群Ｇ５は、物体側に凸面を向けた正メニスカス形状の第１２レンズ素子Ｌ１２のみからなる。この第１２レンズ素子Ｌ１２は、その両面が非球面である。
【００５４】
なお、実施の形態５に係るズームレンズ系において、像面Ｓの物体側（像面Ｓと第１２レンズ素子Ｌ１２との間）には、平行平板Ｐが設けられている。
【００５５】
実施の形態５に係るズームレンズ系において、撮像時の広角端から望遠端へのズーミングの際に、第１レンズ群Ｇ１、第３レンズ群Ｇ３及び第４レンズ群Ｇ４は、物体側へ移動し、第２レンズ群Ｇ２は、像側に凸の軌跡を描いて像側へ移動し、第５レンズ群Ｇ５は、望遠端での位置が広角端での位置と略同じになるように物体側に凸の軌跡を描いて移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第４レンズ群Ｇ４と第５レンズ群Ｇ５との間隔が増大するように、各レンズ群が光軸に沿ってそれぞれ移動する。
【００５６】
図１６に示すように、実施の形態６に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００５７】
実施の形態６に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６とからなる。これらのうち、第４レンズ素子Ｌ４は、その両面が非球面であり、第５レンズ素子Ｌ５は、その物体側面が非球面である。
【００５８】
また実施の形態６に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第７レンズ素子Ｌ７は、その両面が非球面である。
【００５９】
なお前記第３レンズ群Ｇ３は、後に詳述するように、物体側から像側へと順に、第３ａレンズ群Ｇ３ａと第３ｂレンズ群Ｇ３ｂとで構成されており、第３ａレンズ群Ｇ３ａは、物体側から像側へと順に、第７レンズ素子Ｌ７と第８レンズ素子Ｌ８と第９レンズ素子Ｌ９とからなり、第３ｂレンズ群Ｇ３ｂは、第１０レンズ素子Ｌ１０のみからなる。
【００６０】
また実施の形態６に係るズームレンズ系において、第４レンズ群Ｇ４は、両凸形状の第１１レンズ素子Ｌ１１のみからなる。
【００６１】
また実施の形態６に係るズームレンズ系において、第５レンズ群Ｇ５は、物体側に凸面を向けた正メニスカス形状の第１２レンズ素子Ｌ１２のみからなる。この第１２レンズ素子Ｌ１２は、その両面が非球面である。
【００６２】
なお、実施の形態６に係るズームレンズ系において、像面Ｓの物体側（像面Ｓと第１２レンズ素子Ｌ１２との間）には、平行平板Ｐが設けられている。
【００６３】
実施の形態６に係るズームレンズ系において、撮像時の広角端から望遠端へのズーミングの際に、第１レンズ群Ｇ１、第３レンズ群Ｇ３及び第４レンズ群Ｇ４は、物体側へ移動し、第２レンズ群Ｇ２は、像側に凸の軌跡を描いて像側へ移動し、第５レンズ群Ｇ５は、望遠端での位置が広角端での位置と略同じになるように物体側に凸の軌跡を描いて移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第４レンズ群Ｇ４と第５レンズ群Ｇ５との間隔が増大するように、各レンズ群が光軸に沿ってそれぞれ移動する。
【００６４】
図１９に示すように、実施の形態７に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００６５】
実施の形態７に係るズームレンズ系において、第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６とからなる。これらのうち、第４レンズ素子Ｌ４は、その両面が非球面であり、第５レンズ素子Ｌ５は、その物体側面が非球面である。
【００６６】
また実施の形態７に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第７レンズ素子Ｌ７は、その両面が非球面である。
【００６７】
なお前記第３レンズ群Ｇ３は、後に詳述するように、物体側から像側へと順に、第３ａレンズ群Ｇ３ａと第３ｂレンズ群Ｇ３ｂとで構成されており、第３ａレンズ群Ｇ３ａは、物体側から像側へと順に、第７レンズ素子Ｌ７と第８レンズ素子Ｌ８と第９レンズ素子Ｌ９とからなり、第３ｂレンズ群Ｇ３ｂは、第１０レンズ素子Ｌ１０のみからなる。
【００６８】
また実施の形態７に係るズームレンズ系において、第４レンズ群Ｇ４は、物体側に凸面を向けた正メニスカス形状の第１１レンズ素子Ｌ１１のみからなる。この第１１レンズ素子Ｌ１１は、その両面が非球面である。
【００６９】
また実施の形態７に係るズームレンズ系において、第５レンズ群Ｇ５は、両凸形状の第１２レンズ素子Ｌ１２のみからなる。この第１２レンズ素子Ｌ１２は、その物体側面が非球面である。
【００７０】
なお、実施の形態７に係るズームレンズ系において、像面Ｓの物体側（像面Ｓと第１２レンズ素子Ｌ１２との間）には、平行平板Ｐが設けられている。
【００７１】
実施の形態７に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側に凸の軌跡を描いて像側へ移動し、第４レンズ群Ｇ４は、望遠端での位置が広角端での位置と略同じになるように物体側に凸の軌跡を描いて移動し、第５レンズ群Ｇ５は、像側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００７２】
図２２に示すように、実施の形態８に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００７３】
実施の形態８に係るズームレンズ系において、第２レンズ群Ｇ２は、物体側から像側へと順に、物体側に凸面を向けた負メニスカス形状の第４レンズ素子Ｌ４と、像側に凸面を向けた負メニスカス形状の第５レンズ素子Ｌ５と、両凸形状の第６レンズ素子Ｌ６とからなる。これらのうち、第４レンズ素子Ｌ４は、その両面が非球面であり、第５レンズ素子Ｌ５は、その物体側面が非球面である。
【００７４】
また実施の形態８に係るズームレンズ系において、第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、両凹形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第７レンズ素子Ｌ７は、その両面が非球面であり、第９レンズ素子Ｌ９は、その像側面が非球面である。
【００７５】
なお前記第３レンズ群Ｇ３は、後に詳述するように、物体側から像側へと順に、第３ａレンズ群Ｇ３ａと第３ｂレンズ群Ｇ３ｂとで構成されており、第３ａレンズ群Ｇ３ａは、物体側から像側へと順に、第７レンズ素子Ｌ７と第８レンズ素子Ｌ８と第９レンズ素子Ｌ９とからなり、第３ｂレンズ群Ｇ３ｂは、第１０レンズ素子Ｌ１０のみからなる。
【００７６】
また実施の形態８に係るズームレンズ系において、第４レンズ群Ｇ４は、両凸形状の第１１レンズ素子Ｌ１１のみからなる。この第１１レンズ素子Ｌ１１は、その両面が非球面である。
【００７７】
なお、実施の形態８に係るズームレンズ系において、像面Ｓの物体側（像面Ｓと第１１レンズ素子Ｌ１１との間）には、平行平板Ｐが設けられている。
【００７８】
実施の形態８に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側に凸の軌跡を描いて像側へ移動し、第４レンズ群Ｇ４は、望遠端での位置が広角端での位置よりも僅かに物体側になるように物体側に凸の軌跡を描いて移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００７９】
実施の形態１〜４及び８に係るズームレンズ系は、後続レンズ群として正のパワーを有する第４レンズ群Ｇ４を有し、撮像時の広角端から望遠端へのズーミングの際に、この第４レンズ群Ｇ４が、第１レンズ群Ｇ１、第２レンズ群Ｇ２及び第３レンズ群Ｇ３と共に光軸に沿って移動するので、高い光学性能を保持しつつ、レンズ系全体の小型化を可能にしている。
【００８０】
実施の形態１〜４及び８に係るズームレンズ系では、無限遠合焦状態から近接物体合焦状態へのフォーカシングの際に、前記第４レンズ群Ｇ４が光軸に沿って物体側へ移動するので、近接物体合焦状態においても高い光学性能を保持することができる。また、第４レンズ群Ｇ４を構成するレンズ素子は、非球面を有しており、広角端から望遠端における軸外の像面湾曲を良好に補正することができる。
【００８１】
実施の形態１〜４及び８に係るズームレンズ系では、前記第４レンズ群Ｇ４が２枚以下のレンズ素子で構成されているので、レンズ系全体の小型化を可能にしており、かつ、無限遠物体から近距離物体へフォーカスを行う場合に、迅速なフォーカスを容易にしている。
【００８２】
実施の形態５〜７に係るズームレンズ系は、後続レンズ群として、正のパワー又は負のパワーを有する第４レンズ群Ｇ４と、正のパワーを有する第５レンズ群Ｇ５とを有し、撮像時の広角端から望遠端へのズーミングの際に、これら第４レンズ群Ｇ４及び第５レンズ群Ｇ５が、第１レンズ群Ｇ１、第２レンズ群Ｇ２及び第３レンズ群Ｇ３と共に光軸に沿って移動するので、高い光学性能を保持しつつ、レンズ系全体の小型化を可能にしている。
【００８３】
実施の形態５〜７に係るズームレンズ系では、無限遠合焦状態から近接物体合焦状態へのフォーカシングの際に、前記第４レンズ群Ｇ４又は第５レンズ群Ｇ５が光軸に沿って物体側へ移動するので、近接物体合焦状態においても高い光学性能を保持することができる。また、第４レンズ群Ｇ４又は第５レンズ群Ｇ５を構成するレンズ素子は、非球面を有しており、広角端から望遠端における軸外の像面湾曲を良好に補正することができる。
【００８４】
実施の形態５〜７に係るズームレンズ系では、前記第４レンズ群Ｇ４及び第５レンズ群Ｇ５が、それぞれ２枚以下のレンズ素子で構成されているので、レンズ系全体の小型化を可能にしており、かつ、無限遠物体から近距離物体へフォーカスを行う場合に、迅速なフォーカスを容易にしている。
【００８５】
実施の形態８に係るズームレンズ系では、第３レンズ群Ｇ３が、少なくとも２つの空気間隔を有し、物体側から像側へと順に、正のパワーを有するレンズ素子と、正のパワーを有するレンズ素子と、最像側に位置する負のパワーを有するレンズ素子とを含むので、球面収差、コマ収差、色収差を良好に補正することができる。
【００８６】
なお、実施の形態１〜４及び８に係るズームレンズ系は、後続レンズ群として第４レンズ群Ｇ４を備えた４群構成であり、実施の形態５〜７に係るズームレンズ系は、後続レンズ群として第４レンズ群Ｇ４及び第５レンズ群Ｇ５を備えた５群構成であるが、後続レンズ群を構成するレンズ群の数には特に限定がない。また、後続レンズ群を構成する各レンズ群のパワーにも特に限定がない。
【００８７】
実施の形態１〜８に係るズームレンズ系では、第３レンズ群Ｇ３の一部が、像のぶれを光学的に補正するために光軸に対して垂直方向に移動する第３ｂレンズ群Ｇ３ｂである。すなわち、該第３レンズ群Ｇ３が、物体側から像側へと順に、沈胴時に、撮像時とは異なる軸に沿って退避するレンズ群（第３ａレンズ群Ｇ３ａ）と、光軸に対して垂直方向に移動する第３ｂレンズ群Ｇ３ｂとで構成されており、この第３ｂレンズ群Ｇ３ｂによって、全系の振動による像点移動を補正する、すなわち、手ぶれ、振動等による像のぶれを光学的に補正することができる。
【００８８】
全系の振動による像点移動を補正する際に、このように第３ｂレンズ群Ｇ３ｂを構成するレンズ素子が光軸に直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【００８９】
なお、実施の形態１〜８に係るズームレンズ系では、第３レンズ群Ｇ３は、２つの空気間隔で分けられる３つのレンズユニットから構成されており、物体側から像側へと順に、Ｇ３１ユニット、Ｇ３２ユニット、Ｇ３３ユニットとした場合、第３ｂレンズ群Ｇ３ｂは、Ｇ３３ユニットと等価であってもよく、Ｇ３２ユニットとＧ３３ユニットとを併せたユニットと等価であってもよい。さらに、Ｇ３３ユニットは、１枚のレンズ素子で構成されていてもよく、複数のレンズ素子で構成されていてもよい。
【００９０】
また、実施の形態１〜８に係るズームレンズ系では、第３ｂレンズ群Ｇ３ｂが１枚のレンズ素子で構成されているので、手ぶれ、振動等による像のぶれを光学的に補正する場合に、高精度で迅速な補正を容易にしている。
【００９１】
以下、例えば実施の形態１〜８に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００９２】
例えば実施の形態１〜８に係るズームレンズ系のように、少なくとも１枚のレンズ素子で構成されたレンズ群を複数有し、物体側から像側へと順に、正のパワーを有する第１レンズ群と、負のパワーを有する第２レンズ群と、正のパワーを有する第３レンズ群と、後続レンズ群とを備え、撮像時の広角端から望遠端へのズーミングの際に、これら第１レンズ群、第２レンズ群及び第３レンズ群を光軸に沿って移動させて変倍を行い、第３レンズ群の一部が、像のぶれを光学的に補正するために光軸に対して垂直方向に移動する第３ｂレンズ群である（以下、このレンズ構成を、実施の形態の基本構成という）ズームレンズ系は、以下の条件（２）及び（３）を同時に満足する。
１．５＜（Ｄ2＋Ｄ3b＋ＤB）／Ｉｒ＜２．４  ・・・（２）
ＢＦ／Ｉｒ＜１．４５  ・・・（３）
（ただし、Ｚ＝ｆT／ｆW＞９．０である）
ここで、
Ｄ2：第２レンズ群の光軸上での厚み、
Ｄ3b：第３ｂレンズ群の光軸上での厚み、
ＤB：各後続レンズ群の光軸上での厚みの総和、
ＢＦ：最像側レンズ面頂と像面との空気換算した場合の光軸上の最短距離、
Ｉｒ：次式で表される値
Ｉｒ＝ｆT×ｔａｎ（ωT）、
ｆT：望遠端での全系の焦点距離、
ｆW：広角端での全系の焦点距離、
ωT：望遠端での半画角（°）
である。
【００９３】
前記条件（２）及び（３）は、沈胴時の厚みに関する条件である。条件（２）の下限を下回ると、厚みを薄くすることはできるが、撮像時において良好な光学性能を確保するのに必要な最低限の厚みを下回ることになり、像面湾曲や歪曲収差等の諸収差の補正が困難となる。逆に条件（２）の上限を上回ると、性能確保において必要以上に厚みを持つことになる。さらには、沈胴時の厚みが厚くなり、コンパクトなレンズ鏡筒や撮像装置、カメラを提供することが困難となる。また、条件（３）の上限を上回ると、最像側レンズ面頂と像面との光軸上の最短距離が大きくなり過ぎ、レンズ全長も大きくなる方向に影響することから、コンパクトなレンズ鏡筒や撮像装置、カメラを提供することが困難となる。
【００９４】
なお、さらに以下の条件（２）’及び（２）’’の少なくとも１つを満足することにより、前記効果をさらに奏功させることができる。
１．９＜（Ｄ2＋Ｄ3b＋ＤB）／Ｉｒ  ・・・（２）’
（Ｄ2＋Ｄ3b＋ＤB）／Ｉｒ＜２．２  ・・・（２）’’
【００９５】
さらに以下の条件（３）’を満足することにより、前記効果をさらに奏功させることができる。
ＢＦ／Ｉｒ＜１．３０  ・・・（３）’
【００９６】
例えば実施の形態１〜８に係るズームレンズ系のように、基本構成を有するズームレンズ系は、以下の条件（４）及び（５）を同時に満足することが好ましい。
１．５＜ＬT／Ｄ＜３．０  ・・・（４）
３．０＜Ｄ／Ｉｒ＜６．５  ・・・（５）
ここで、
ＬT：望遠端におけるレンズ全長（第１レンズ群の最物体側面から像面までの距離）、
Ｄ：各レンズ群の光軸上での厚みの総和、
Ｉｒ：次式で表される値
Ｉｒ＝ｆT×ｔａｎ（ωT）、
ｆT：望遠端での全系の焦点距離、
ωT：望遠端での半画角（°）
である。
【００９７】
前記条件（４）は、望遠端におけるレンズ全長と各レンズ群の光軸上での厚みの総和との比を規定する条件である。条件（４）の下限を下回ると、厚みの総和に対してレンズ全長が短くなりすぎ、像面性の確保や色収差等の諸収差の補正が困難となる恐れがある。また、レンズ全長については性能維持に必要な長さを確保し、その分厚みの総和を増大させることも考えられるが、その場合コンパクトなレンズ鏡筒や撮像装置、カメラを提供することが困難となる恐れがある。そのため、前記条件（５）で厚みの総和が大きくなりすぎないように上限を規定している。逆に条件（４）の上限を上回ると、レンズ全長に対して厚みの総和が小さくなりすぎ、球面収差やコマ収差等の諸収差の補正が困難となる恐れがある。
【００９８】
なお、さらに以下の条件（４）’を満足することにより、前記効果をさらに奏功させることができる。
２．３＜ＬT／Ｄ  ・・・（４）’
【００９９】
前記条件（５）は、各レンズ群の光軸上での厚みの総和に関する条件である。条件（５）の下限を下回ると、厚みを薄くすることはできるが、撮像時において良好な光学性能を確保するのに必要な最低限の厚みを下回ることになり、特に球面収差やコマ収差等の諸収差の補正が困難となる恐れがある。逆に条件（５）の上限を上回ると、性能確保において必要以上に大きな厚みを持つことになり、コンパクトなレンズ鏡筒や撮像装置、カメラを提供することが困難となる恐れがある。
【０１００】
なお、さらに以下の条件（５）’及び（５）’’の少なくとも１つを満足することにより、前記効果をさらに奏功させることができる。
４．５＜Ｄ／Ｉｒ  ・・・（５）’
Ｄ／Ｉｒ＜５．６  ・・・（５）’’
【０１０１】
例えば実施の形態１〜８に係るズームレンズ系のように、基本構成を有するズームレンズ系は、以下の条件（６）及び（７）を同時に満足することが好ましい。
ＬW／Ｉｒ＜１４．０  ・・・（６）
ＬT／Ｉｒ＜１７．０  ・・・（７）
ここで、
ＬW：広角端におけるレンズ全長（第１レンズ群の最物体側面から像面までの距離）、
ＬT：望遠端におけるレンズ全長（第１レンズ群の最物体側面から像面までの距離）、
Ｉｒ：次式で表される値
Ｉｒ＝ｆT×ｔａｎ（ωT）、
ｆT：望遠端での全系の焦点距離、
ωT：望遠端での半画角（°）
である。
【０１０２】
前記条件（６）は、広角端におけるズームレンズ系のレンズ全長と最大像高との関係を規定する条件である。条件（６）の上限を上回ると、ズームレンズ系の広角端における全長が大きくなる傾向が著しくなり、コンパクトなズームレンズ系を達成することが困難になる恐れがある。
【０１０３】
なお、さらに以下の条件（６）’を満足することにより、前記効果をさらに奏功させることができる。
ＬW／Ｉｒ＜１２．６  ・・・（６）’
【０１０４】
前記条件（７）は、望遠端におけるズームレンズ系のレンズ全長と最大像高との関係を規定する条件である。条件（７）の上限を上回ると、ズームレンズ系の望遠端における全長が大きくなる傾向が著しくなり、コンパクトなズームレンズ系を達成することが困難になる恐れがある。
【０１０５】
なお、さらに以下の条件（７）’を満足することにより、前記効果をさらに奏功させることができる。
ＬT／Ｉｒ＜１５．０  ・・・（７）’
【０１０６】
例えば実施の形態１〜８に係るズームレンズ系のように、基本構成を有するズームレンズ系は、以下の条件（８）を満足することが好ましい。
Ｍ12／Ｉｒ＜４．７  ・・・（８）
ここで、
Ｍ12：撮像時の広角端から望遠端へのズーミングの際の、第１レンズ群と第２レンズ群との相対移動量、
Ｉｒ：次式で表される値
Ｉｒ＝ｆT×ｔａｎ（ωT）、
ｆT：望遠端での全系の焦点距離、
ωT：望遠端での半画角（°）
である。
【０１０７】
前記条件（８）は、第１レンズ群と第２レンズ群との相対移動量と、最大像高との関係を規定する条件である。高倍率を確保するためには、第１レンズ群と第２レンズ群との相対移動量は大きくなる傾向にあるが、条件（８）の上限を上回ると、相対移動量が大きくなり過ぎ、コンパクトなレンズ鏡筒や撮像装置、カメラを提供することが困難となる恐れがある。
【０１０８】
なお、さらに以下の条件（８）’を満足することにより、前記効果をさらに奏功させることができる。
Ｍ12／Ｉｒ＜４．２  ・・・（８）’
【０１０９】
例えば実施の形態１〜８に係るズームレンズ系のように、基本構成を有するズームレンズ系は、以下の条件（９）を満足することが好ましい。
Ｍ12×ｆ1／Ｉｒ2＜４４．０  ・・・（９）
ここで、
Ｍ12：撮像時の広角端から望遠端へのズーミングの際の、第１レンズ群と第２レンズ群との相対移動量、
ｆ1：第１レンズ群の合成焦点距離、
Ｉｒ：次式で表される値
Ｉｒ＝ｆT×ｔａｎ（ωT）、
ｆT：望遠端での全系の焦点距離、
ωT：望遠端での半画角（°）
である。
【０１１０】
前記条件（９）は、第１レンズ群と第２レンズ群との相対移動量と第１レンズ群の焦点距離との乗数と、最大像高との関係を規定する条件である。条件（９）の上限を上回ると、相対移動量が大きくなり過ぎ、コンパクトなレンズ鏡筒や撮像装置、カメラを提供することが困難となる恐れがある。また、第１レンズ群の焦点距離が大きくなり、高倍率を確保するために必要な第１レンズ群の移動量が大きくなり過ぎ、コンパクトなレンズ鏡筒や撮像装置、カメラを提供することが困難となる恐れがある。
【０１１１】
なお、さらに以下の条件（９）’を満足することにより、前記効果をさらに奏功させることができる。
Ｍ12×ｆ1／Ｉｒ2＜３５．０  ・・・（９）’
【０１１２】
例えば実施の形態１〜８に係るズームレンズ系のように、基本構成を有するズームレンズ系は、以下の条件（１０）を満足することが好ましい。
０．５０＜｜ｆ1／ｆ3b｜＜１．５０  ・・・（１０）
ここで、
ｆ1：第１レンズ群の合成焦点距離、
ｆ3b：第３ｂレンズ群の合成焦点距離
である。
【０１１３】
前記条件（１０）は、第１レンズ群の焦点距離と第３ｂレンズ群の焦点距離との比を規定する条件である。条件（１０）の下限を下回ると、第１レンズ群の焦点距離が小さくなり過ぎ、変倍時の収差変動が大きくなって緒収差の補正が困難になるとともに、第１レンズ群の径も大きくなることから、コンパクトなレンズ鏡筒や撮像装置、カメラを提供することが困難となる恐れがある。また、第１レンズ群の傾きに対する誤差感度も高くなり過ぎ、光学系の組み立てが困難になる場合がある。逆に条件（１０）の上限を上回ると、第３ｂレンズ群の焦点距離が小さくなり過ぎ、ぶれ補正時の収差変動が大きくなって緒収差の補正が困難になる恐れがある。また、第１レンズ群の焦点距離が大きくなり、高倍率を確保するために必要な第１レンズ群の移動量が大きくなり過ぎ、コンパクトなレンズ鏡筒や撮像装置、カメラを提供することが困難となる恐れがある。
【０１１４】
なお、さらに以下の条件（１０）’及び（１０）’’の少なくとも１つを満足することにより、前記効果をさらに奏功させることができる。
０．８５＜｜ｆ1／ｆ3b｜  ・・・（１０）’
｜ｆ1／ｆ3b｜＜１．３０  ・・・（１０）’’
【０１１５】
例えば実施の形態１〜８に係るズームレンズ系のように、基本構成を有し、第３レンズ群が、沈胴時に、撮像時とは異なる軸に沿って退避する第３ａレンズ群をさらに含むズームレンズ系は、以下の条件（１１）を満足することが好ましい。
０．１０＜｜ｆ3a／ｆ3b｜＜０．６５  ・・・（１１）
ここで、
ｆ3a：第３ａレンズ群の合成焦点距離、
ｆ3b：第３ｂレンズ群の合成焦点距離
である。
【０１１６】
前記条件（１１）は、第３ａレンズ群の焦点距離と第３ｂレンズ群の焦点距離との比を規定する条件である。条件（１１）の下限を下回ると、第３ｂレンズ群の焦点距離が大きくなり過ぎ、充分にぶれを補正することができなくなる恐れがある。また、第３ｂレンズ群が光軸に対して垂直方向に移動する移動量が大きくなり過ぎ、コンパクトなレンズ鏡筒や撮像装置、カメラを提供することが困難となる恐れがある。逆に条件（１１）の上限を上回ると、第３ｂレンズ群の焦点距離が小さくなり過ぎ、ぶれ補正時の収差変動が大きくなって緒収差の補正が困難になる恐れがある。
【０１１７】
なお、さらに以下の条件（１１）’及び（１１）’’の少なくとも１つを満足することにより、前記効果をさらに奏功させることができる。
０．３０＜｜ｆ3a／ｆ3b｜  ・・・（１１）’
｜ｆ3a／ｆ3b｜＜０．４５  ・・・（１１）’’
【０１１８】
例えば実施の形態１〜８に係るズームレンズ系のように、基本構成を有するズームレンズ系は、以下の条件（１２）及び（１３）を全系において満足することが好ましい。
｜ＹT｜＞｜Ｙ｜  ・・・（１２）
１．５＜（Ｙ／ＹT）／（ｆ／ｆT）＜３．０  ・・・（１３）
ここで、
ｆ：全系の焦点距離、
ｆT：望遠端における全系の焦点距離、
Ｙ：全系の焦点距離ｆにおける、第３ｂレンズ群の、最大ぶれ補正時の光軸に対して垂直方向への移動量、
ＹT：望遠端での全系の焦点距離ｆTにおける、第３ｂレンズ群の、最大ぶれ補正時の光軸に対して垂直方向への移動量
である。
【０１１９】
前記条件（１２）及び（１３）は、光軸に対して垂直方向に移動する第３ｂレンズ群の最大ぶれ補正時の垂直方向への移動量を規定する条件である。ズームレンズ系の場合、補正角が全ズーム域で一定のときには、ズーム比が大きいほど、光軸に対して垂直方向に移動するレンズ群やレンズ素子の移動量が大きく、逆にズーム比が小さいほど、光軸に対して垂直方向に移動するレンズ群やレンズ素子の移動量が小さくなる。条件（１２）を満足しない場合又は条件（１３）の上限を上回ると、ぶれ補正が過剰となり、光学性能の劣化が大きくなる恐れがある。一方、条件（１３）の下限を下回ると、充分にぶれを補正することができなくなる恐れがある。
【０１２０】
なお、さらに以下の条件（１３）’及び（１３）’’の少なくとも１つを満足することにより、前記効果をさらに奏功させることができる。
２．０＜（Ｙ／ＹT）／（ｆ／ｆT）  ・・・（１３）’
（Ｙ／ＹT）／（ｆ／ｆT）＜２．５  ・・・（１３）’’
【０１２１】
実施の形態１〜８に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【０１２２】
さらに各実施の形態では、像面Ｓの物体側（実施の形態１〜４及び８：像面Ｓと第４レンズ群Ｇ４の最像側レンズ面との間、実施の形態５〜７：像面Ｓと第５レンズ群Ｇ５の最像側レンズ面との間）には、光学的ローパスフィルタや撮像素子のフェースプレート等と等価な平行平板Ｐを配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【０１２３】
（実施の形態９）
図２５は、実施の形態９に係るデジタルスチルカメラの概略構成図であり、（ａ）図は撮像時の概略構成図を示し、（ｂ）図は沈胴時の概略構成図を示す。図２５において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図２５において、ズームレンズ系１は、第１レンズ群Ｇ１と、第２レンズ群Ｇ２と、開口絞りＡと、第３ａレンズ群Ｇ３ａ及び第３ｂレンズ群Ｇ３ｂからなる第３レンズ群Ｇ３と、第４レンズ群Ｇ４とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【０１２４】
鏡筒は、主鏡筒５と、移動鏡筒６と、円筒カム７とで構成されている。円筒カム７を回転させると、第１レンズ群Ｇ１、第２レンズ群Ｇ２、開口絞りＡと第３レンズ群Ｇ３及び第４レンズ群Ｇ４が撮像素子２を基準にした所定の位置に移動し、広角端から望遠端までのズーミングを行うことができる。この鏡筒は、いわゆるスライディング鏡筒であり、（ｂ）図に示すように、沈胴時に、第３レンズ群Ｇ３の一部である第３ａレンズ群Ｇ３ａは光軸上から退避する。すなわち、沈胴時に、第３ａレンズ群Ｇ３ａは撮像時とは異なる軸に沿って退避する。また、第４レンズ群Ｇ４はフォーカス調整用モータにより光軸方向に移動可能である。
【０１２５】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図２５に示したデジタルスチルカメラには、実施の形態１に係るズームレンズ系の替わりに実施の形態２〜８に係るズームレンズ系のいずれかを用いてもよい。また、図２５に示したデジタルスチルカメラの光学系は、動画像を対象とするデジタルビデオカメラに用いることもできる。この場合、静止画像だけでなく、解像度の高い動画像を撮影することができる。
【０１２６】
なお、本実施の形態９に係るデジタルスチルカメラでは、ズームレンズ系１として実施の形態１〜８に係るズームレンズ系を示したが、これらのズームレンズ系は、全てのズーミング域を使用する必要はない。すなわち、所望のズーミング域に応じて、光学性能が確保されている範囲を切り出し、実施の形態１〜８で説明したズームレンズ系よりも低倍率のズームレンズ系として使用してもよい。
【０１２７】
また、以上説明した実施の形態１〜８に係るズームレンズ系と、ＣＣＤやＣＭＯＳ等の撮像素子とから構成される撮像装置を、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等に適用することもできる。
【０１２８】
以下、実施の形態１〜８に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2011102091.tif 000030
ここで、κは円錐定数、Ａ４、Ａ６、Ａ８、Ａ１０、Ａ１２及びＡ１４は、それぞれ４次、６次、８次、１０次、１２次及び１４次の非球面係数である。
【０１２９】
図２、５、８、１１、１４、１７、２０及び２３は、各々実施の形態１〜８に係るズームレンズ系の縦収差図である。
【０１３０】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１３１】
また図３、６、９、１２、１５、１８、２１及び２４は、各々実施の形態１〜８に係るズームレンズ系の望遠端における横収差図である。
【０１３２】
各横収差図において、上段３つの収差図は、望遠端における像ぶれ補正を行っていない基本状態、下段３つの収差図は、第３レンズ群Ｇ３の最像側レンズ素子（第３ｂレンズ群Ｇ３ｂ）を光軸と垂直な方向に所定量移動させた望遠端における像ぶれ補正状態に、それぞれ対応する。基本状態の各横収差図のうち、上段は最大像高の７５％の像点における横収差、中段は軸上像点における横収差、下段は最大像高の−７５％の像点における横収差に、それぞれ対応する。像ぶれ補正状態の各横収差図のうち、上段は最大像高の７５％の像点における横収差、中段は軸上像点における横収差、下段は最大像高の−７５％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第３レンズ群Ｇ３の光軸とを含む平面としている。
【０１３３】
なお、各実施例のズームレンズ系について、望遠端における、像ぶれ補正状態での第３レンズ群Ｇ３の最像側レンズ素子（第３ｂレンズ群Ｇ３ｂ）の光軸と垂直な方向への移動量は、以下に示すとおりである。
実施例１    ０．３８０ｍｍ
実施例２    ０．４２０ｍｍ
実施例３    ０．３６０ｍｍ
実施例４    ０．４６０ｍｍ
実施例５    ０．３２０ｍｍ
実施例６    ０．４１０ｍｍ
実施例７    ０．４１０ｍｍ
実施例８    ０．７９０ｍｍ
【０１３４】
撮影距離が∞で望遠端において、ズームレンズ系が０．３°だけ傾いた場合の像偏心量は、第３レンズ群Ｇ３の最像側レンズ素子（第３ｂレンズ群Ｇ３ｂ）が光軸と垂直な方向に上記の各値だけ平行移動するときの像偏心量に等しい。
【０１３５】
各横収差図から明らかなように、軸上像点における横収差の対称性は良好であることがわかる。また、＋７５％像点における横収差と−７５％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【０１３６】
（数値実施例１）
数値実施例１のズームレンズ系は、図１に示した実施の形態１に対応する。数値実施例１のズームレンズ系の面データを表１に、非球面データを表２に、各種データを表３に示す。
【０１３７】
表  １（面データ）
面番号         r           d           nd         vd
物面             ∞
1         26.16640     0.65000     1.84666    23.8 
2         16.87260     0.01000     1.56732    42.8 
3         16.87260     2.29370     1.49700    81.6 
4         58.08220     0.15000 
5         22.56010     1.68840     1.80420    46.5 
6        113.60170        可変
7*       479.64580     0.30000     1.80470    41.0 
8*         5.35330     3.55510 
9*       -13.06530     0.40000     1.77200    50.0 
10       1020.12530     0.15000 
11         19.55860     1.07810     1.94595    18.0 
12        -89.63610        可変
13(絞り)           ∞     0.00000
14*         5.17740     2.23510     1.51845    70.0 
15*       -22.90790     0.73320 
16          7.12790     2.09740     1.74400    44.7 
17         -6.83580     0.01000     1.56732    42.8 
18         -6.83580     0.30000     1.90366    31.3 
19          4.35700     1.28850 
20         13.81280     0.89600     1.49700    81.6 
21        859.87630        可変
22*        17.51620     1.34500     1.77200    50.0 
23*        96.78090        可変
24               ∞     0.78000     1.51680    64.2
25               ∞        (BF)
像面             ∞
【０１３８】
表  ２（非球面データ）
第7面
K= 0.00000E+00, A4=-3.89079E-04, A6= 4.98917E-05, A8=-1.89028E-06
A10= 3.10699E-08, A12=-1.99009E-10, A14= 0.00000E+00 
第8面
K= 0.00000E+00, A4=-7.18555E-04, A6= 3.47356E-05, A8= 2.99389E-06
A10=-3.29477E-07, A12= 1.83371E-08, A14=-4.67338E-10 
第9面
K= 0.00000E+00, A4=-3.01424E-05, A6= 1.09721E-05, A8=-1.80340E-06
A10= 1.74030E-07, A12=-6.08132E-09, A14= 6.70912E-11 
第14面
K= 0.00000E+00, A4=-1.01933E-04, A6= 9.17188E-05, A8=-2.38544E-05
A10= 5.70399E-06, A12=-4.54685E-07, A14= 9.77076E-09 
第15面
K= 0.00000E+00, A4= 1.03317E-03, A6= 7.86252E-05, A8=-2.01278E-06
A10= 8.02553E-07, A12= 2.13081E-07, A14=-2.40496E-08 
第22面
K= 0.00000E+00, A4=-6.34089E-05, A6=-1.95567E-06, A8=-1.07258E-06
A10= 6.45858E-09, A12= 0.00000E+00, A14= 0.00000E+00 
第23面
K= 0.00000E+00, A4= 1.99061E-05, A6=-1.83589E-05, A8=-4.73078E-07
A10= 0.00000E+00, A12= 0.00000E+00, A14= 0.00000E+00
【０１３９】
表  ３（各種データ）
ズーム比     9.39150
広角      中間      望遠
焦点距離       4.6449   14.2408   43.6229
Ｆナンバー     3.19247   4.33397   5.80463
画角        42.5914   15.1233    5.0150
像高         3.7000    3.9020    3.9020
レンズ全長     43.7701   45.3322   53.9940
ＢＦ        0.77806   0.76271   0.76177
d6           0.3063    7.9591   15.8810 
d12         16.7125    5.2676    0.3000 
d21          3.1000    4.6876   13.9219 
d23          2.9127    6.6947    3.1688 
入射瞳位置      7.1954   22.6435   61.4754
射出瞳位置      9.9523  -37.8815  -60.9063
前側主点位置   14.1921   31.6364   74.2402
後側主点位置   39.1251   31.0914   10.3710
単レンズデータ
レンズ     始面     焦点距離
1         1      -57.9664
2         3       46.9808
3         5       34.7174
4         7       -6.7295
5         9      -16.7071
6        11       17.0546
7        14        8.3729
8        16        5.0111
9        18       -2.9077
10        20       28.2363
11        22       27.5001
ズームレンズ群データ
群   始面    焦点距離  レンズ構成長    前側主点位置  後側主点位置
1      1    31.72186     4.79210         0.91444       2.70158
2      7    -6.95359     5.48320        -0.03537       0.56284
3     13    10.18296     7.56020        -3.00192       0.70435
4     22    27.50006     1.34500        -0.16650       0.42504
ズームレンズ群倍率
群   始面    広角       中間       望遠
1      1    0.00000    0.00000    0.00000
2      7   -0.31033   -0.47130   -1.01778
3     13   -0.57991   -1.40767   -1.67862
4     22    0.81364    0.67667    0.80492
【０１４０】
（数値実施例２）
数値実施例２のズームレンズ系は、図４に示した実施の形態２に対応する。数値実施例２のズームレンズ系の面データを表４に、非球面データを表５に、各種データを表６に示す。
【０１４１】
表  ４（面データ）
面番号         r           d           nd         vd
物面             ∞
1         18.18950     0.65000     1.84666    23.8 
2         13.48870     0.01000     1.56732    42.8 
3         13.48870     3.59480     1.58332    59.1 
4*      -390.98650        可変
5*        83.26520     0.30000     1.84973    40.6 
6*         5.25780     3.48870 
7*       -13.26330     0.40000     1.68966    53.0 
8       -221.99470     0.15000 
9         23.18200     1.05020     1.94595    18.0 
10        -72.81230        可変
11(絞り)           ∞     0.00000
12*         4.52630     2.62910     1.51845    70.0 
13*       -65.83540     0.15150 
14          6.57030     2.01120     1.72916    54.7 
15         -6.66480     0.01000     1.56732    42.8 
16         -6.66480     0.30000     1.91082    35.2 
17          4.30720     1.29980 
18         15.44020     0.86440     1.49700    81.6 
19      -1122.04350        可変
20*        11.59550     1.24960     1.58332    59.1 
21*        33.00420        可変
22               ∞     0.78000     1.51680    64.2
23               ∞        (BF)
像面             ∞
【０１４２】
表  ５（非球面データ）
第4面
K= 0.00000E+00, A4= 8.13298E-06, A6=-6.20822E-09, A8=-9.01085E-11
A10= 3.92960E-13, A12= 0.00000E+00, A14= 0.00000E+00 
第5面
K= 0.00000E+00, A4=-5.31248E-04, A6= 4.94090E-05, A8=-1.86957E-06
A10= 3.16100E-08, A12=-2.16209E-10, A14= 0.00000E+00 
第6面
K= 0.00000E+00, A4=-7.58792E-04, A6= 2.71556E-05, A8= 3.41683E-06
A10=-4.11882E-07, A12= 2.09001E-08, A14=-4.78902E-10 
第7面
K= 0.00000E+00, A4= 9.87471E-05, A6= 1.93881E-05, A8=-2.73583E-06
A10= 2.29004E-07, A12=-7.42552E-09, A14= 9.63360E-11 
第12面
K= 0.00000E+00, A4= 1.94518E-04, A6= 1.15042E-04, A8=-2.37675E-05
A10= 5.97973E-06, A12=-4.62688E-07, A14= 9.77076E-09 
第13面
K= 0.00000E+00, A4= 2.04364E-03, A6= 1.65386E-04, A8=-1.08751E-06
A10= 2.65193E-06, A12= 2.13080E-07, A14=-2.40496E-08 
第20面
K= 0.00000E+00, A4=-2.24128E-04, A6= 4.26709E-05, A8=-2.71062E-06
A10= 3.07043E-08, A12= 0.00000E+00, A14= 0.00000E+00 
第21面
K= 0.00000E+00, A4=-6.63149E-05, A6= 2.08287E-05, A8=-1.52882E-06
A10= 0.00000E+00, A12= 0.00000E+00, A14= 0.00000E+00
【０１４３】
表  ６（各種データ）
ズーム比     9.39159
広角      中間      望遠
焦点距離       4.6450   14.2411   43.6237
Ｆナンバー     2.40348   3.41386   4.57845
画角        42.5499   15.1048    5.0138
像高         3.7000    3.9020    3.9020
レンズ全長     42.8050   44.7925   53.9765
ＢＦ        0.77744   0.76167   0.74695
d4           0.3001    8.7237   17.4211 
d10         17.0211    5.5104    0.3000 
d19          2.5007    4.2219   13.0968 
d21          3.2664    6.6355    3.4723 
入射瞳位置      6.9221   24.0722   67.3514
射出瞳位置      9.9739  -32.8631  -45.0331
前側主点位置   13.9132   32.2818   69.4062
後側主点位置   38.1601   30.5514   10.3528
単レンズデータ
レンズ     始面     焦点距離
1         1      -65.8192
2         3       22.4263
3         5       -6.6164
4         7      -20.4697
5         9       18.6879
6        12        8.2744
7        14        4.8482
8        16       -2.8356
9        18       30.6530
10        20       30.0000
ズームレンズ群データ
群   始面    焦点距離  レンズ構成長    前側主点位置  後側主点位置
1      1    34.82157     4.25480        -0.10165       1.51673
2      5    -7.26682     5.38890        -0.18610       0.30059
3     11    10.17703     7.26600        -3.19460       0.57446
4     20    30.00002     1.24960        -0.41847       0.05852
ズームレンズ群倍率
群   始面    広角       中間       望遠
1      1    0.00000    0.00000    0.00000
2      5   -0.29417   -0.44639   -0.95847
3     11   -0.56096   -1.31524   -1.62870
4     20    0.80836    0.69658    0.80251
【０１４４】
（数値実施例３）
数値実施例３のズームレンズ系は、図７に示した実施の形態３に対応する。数値実施例３のズームレンズ系の面データを表７に、非球面データを表８に、各種データを表９に示す。
【０１４５】
表  ７（面データ）
面番号         r           d           nd         vd
物面             ∞
1         32.98660     0.65000     1.84666    23.8 
2         19.29210     0.01000     1.56732    42.8 
3         19.29210     2.88350     1.49700    81.6 
4        186.62540     0.15000 
5         22.85250     2.12650     1.80420    46.5 
6        113.68470        可変
7*       -56.70780     0.30000     1.80470    41.0 
8*         5.58800     3.50600 
9*       -11.53190     0.40000     1.77200    50.0 
10       -150.26040     0.15000 
11         22.72440     1.09220     1.94595    18.0 
12        -50.17290        可変
13(絞り)           ∞     0.00000
14*         5.47000     3.42540     1.51845    70.0 
15*       -27.25050     1.17550 
16          9.08990     1.96990     1.74400    44.7 
17         -6.53250     0.01000     1.56732    42.8 
18         -6.53250     0.30000     1.90366    31.3 
19          5.32010     1.12400 
20         10.05270     1.22400     1.49700    81.6 
21         58.52130        可変
22*        15.06450     1.53970     1.77200    50.0 
23*        89.61500        可変
24               ∞     0.78000     1.51680    64.2
25               ∞        (BF)
像面             ∞
【０１４６】
表  ８（非球面データ）
第7面
K= 0.00000E+00, A4=-1.78054E-04, A6= 4.87857E-05, A8=-1.92618E-06
A10= 3.11771E-08, A12=-1.98035E-10, A14= 0.00000E+00 
第8面
K= 0.00000E+00, A4=-6.15715E-04, A6= 3.54329E-05, A8= 3.39574E-06
A10=-3.24029E-07, A12= 2.30597E-08, A14=-6.62002E-10 
第9面
K= 0.00000E+00, A4=-6.89382E-05, A6= 4.47455E-06, A8=-8.95100E-07
A10= 1.67335E-07, A12=-7.34789E-09, A14= 1.12687E-10 
第14面
K= 0.00000E+00, A4=-1.83783E-04, A6= 8.23332E-05, A8=-2.90236E-05
A10= 5.73502E-06, A12=-4.54757E-07, A14= 9.77076E-09 
第15面
K= 0.00000E+00, A4= 9.56808E-04, A6= 4.66025E-05, A8=-2.44285E-06
A10= 2.23228E-07, A12= 2.13081E-07, A14=-2.40496E-08 
第22面
K= 0.00000E+00, A4=-6.66750E-05, A6= 1.44621E-05, A8=-6.43388E-07
A10= 5.48989E-09, A12= 0.00000E+00, A14= 0.00000E+00 
第23面
K= 0.00000E+00, A4=-2.27364E-05, A6= 6.22248E-06, A8=-3.33711E-07
A10= 0.00000E+00, A12= 0.00000E+00, A14= 0.00000E+00
【０１４７】
表  ９（各種データ）
ズーム比    11.28083
広角      中間      望遠
焦点距離       4.6450   15.5999   52.3994
Ｆナンバー     3.22157   4.34379   5.85721
画角        42.5970   13.8787    4.1805
像高         3.7000    3.9020    3.9020
レンズ全長     48.2367   51.3826   59.4444
ＢＦ        0.77545   0.75181   0.74337
d6           0.4906    8.9958   16.5000 
d12         17.6570    5.6905    0.3000 
d21          3.8367    6.4278   16.0843 
d23          2.6602    6.7000    3.0000 
入射瞳位置      8.0530   27.1025   73.7442
射出瞳位置      9.1198  -82.0690 -304.0824
前側主点位置   15.2837   39.7640  117.1362
後側主点位置   43.5917   35.7827    7.0450
単レンズデータ
レンズ     始面     焦点距離
1         1      -56.1068
2         3       43.0464
3         5       35.1984
4         7       -6.3078
5         9      -16.1997
6        11       16.6555
7        14        9.1126
8        16        5.3992
9        18       -3.2062
10        20       24.2190
11        22       23.2476
ズームレンズ群データ
群   始面    焦点距離  レンズ構成長    前側主点位置  後側主点位置
1      1    30.43445     5.82000         1.47940       3.65346
2      7    -6.56017     5.44820        -0.08374       0.46328
3     13    10.92688     9.22880        -2.97444       1.41732
4     22    23.24756     1.53970        -0.17401       0.50453
ズームレンズ群倍率
群   始面    広角       中間       望遠
1      1    0.00000    0.00000    0.00000
2      7   -0.30798   -0.51269   -1.23976
3     13   -0.63084   -1.63147   -1.79813
4     22    0.78557    0.61281    0.77233
【０１４８】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【０１４９】
表  １０（面データ）
面番号         r           d           nd         vd
物面             ∞
1         36.53130     0.65000     1.84666    23.8 
2         20.60560     0.01000     1.56732    42.8 
3         20.60560     3.69600     1.49700    81.6 
4        495.95260     0.15000 
5         23.57650     2.56190     1.80420    46.5 
6        118.98210        可変
7*       -31.36170     0.30000     1.80470    41.0 
8*         5.89080     3.39080 
9*       -12.80210     0.40000     1.77200    50.0 
10        325.88280     0.15000 
11         19.13470     1.14430     1.94595    18.0 
12        -70.46300        可変
13(絞り)           ∞     0.00000
14*         5.72660     3.42480     1.51845    70.0 
15*       -31.26490     1.37100 
16          8.94370     2.05870     1.74400    44.7 
17         -6.23260     0.01000     1.56732    42.8 
18         -6.23260     0.30000     1.90366    31.3 
19          5.56600     1.09310 
20         11.24320     1.15270     1.49700    81.6 
21         65.75400        可変
22*        14.74060     1.59400     1.77200    50.0 
23*        93.11780        可変
24               ∞     0.78000     1.51680    64.2
25               ∞        (BF)
像面             ∞
【０１５０】
表  １１（非球面データ）
第7面
K= 0.00000E+00, A4=-8.58774E-05, A6= 4.93898E-05, A8=-1.93244E-06
A10= 3.10404E-08, A12=-1.96085E-10, A14= 0.00000E+00 
第8面
K= 0.00000E+00, A4=-6.32340E-04, A6= 3.47251E-05, A8= 3.55755E-06
A10=-3.27972E-07, A12= 2.35443E-08, A14=-6.48041E-10 
第9面
K= 0.00000E+00, A4=-1.52455E-04, A6=-1.19476E-06, A8=-6.60745E-07
A10= 1.65320E-07, A12=-7.45618E-09, A14= 1.09719E-10 
第14面
K= 0.00000E+00, A4=-1.66766E-04, A6= 9.35994E-05, A8=-3.19597E-05
A10= 5.97000E-06, A12=-4.56658E-07, A14= 9.85421E-09 
第15面
K= 0.00000E+00, A4= 7.92875E-04, A6= 4.44402E-05, A8=-3.65432E-06
A10= 2.43466E-07, A12= 2.14983E-07, A14=-2.39062E-08 
第22面
K= 0.00000E+00, A4=-5.26996E-05, A6= 1.71711E-05, A8=-5.23359E-07
A10= 5.54034E-09, A12= 0.00000E+00, A14= 0.00000E+00 
第23面
K= 0.00000E+00, A4=-2.22035E-05, A6= 1.08471E-05, A8=-2.27154E-07
A10= 0.00000E+00, A12= 0.00000E+00, A14= 0.00000E+00
【０１５１】
表  １２（各種データ）
ズーム比    13.13225
広角      中間      望遠
焦点距離       4.6449   16.7994   60.9984
Ｆナンバー     3.24252   4.33845   5.88945
画角        42.3856   12.8500    3.5930
像高         3.7000    3.9020    3.9020
レンズ全長     51.2734   55.7916   62.8055
ＢＦ        0.77607   0.74365   0.74673
d6           0.6275   10.4291   17.5772 
d12         18.6962    6.6413    0.3000 
d21          3.9936    7.0403   16.8915 
d23          2.9427    6.7000    3.0528 
入射瞳位置      9.0743   33.4049   88.1132
射出瞳位置      8.5390 -167.7650-6439.5354
前側主点位置   16.4985   48.5294  148.5338
後側主点位置   46.6284   38.9923    1.8071
単レンズデータ
レンズ     始面     焦点距離
1         1      -56.8912
2         3       43.1460
3         5       36.1290
4         7       -6.1408
5         9      -15.9480
6        11       16.0075
7        14        9.6404
8        16        5.2400
9        18       -3.2149
10        20       27.0980
11        22       22.4859
ズームレンズ群データ
群   始面    焦点距離  レンズ構成長    前側主点位置  後側主点位置
1      1    30.85080     7.06790         1.98462       4.61364
2      7    -6.44428     5.38510        -0.09673       0.49650
3     13    11.35332     9.41030        -3.26879       1.37313
4     22    22.48587     1.59400        -0.16769       0.53466
ズームレンズ群倍率
群   始面    広角       中間       望遠
1      1    0.00000    0.00000    0.00000
2      7   -0.30083   -0.55459   -1.44109
3     13   -0.65454   -1.63923   -1.80281
4     22    0.76464    0.59898    0.76105
【０１５２】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１５３】
表  １３（面データ）
面番号         r           d           nd         vd
物面             ∞
1         34.09060     0.65000     1.84666    23.8 
2         19.49590     0.01000     1.56732    42.8 
3         19.49590     2.44880     1.49700    81.6 
4        108.72980     0.15000 
5         21.78740     1.93480     1.80420    46.5 
6        107.26760        可変
7*       226.21220     0.30000     1.80470    41.0 
8*         5.31320     3.75900 
9*       -11.38950     0.40000     1.77200    50.0 
10        -86.57080     0.15000 
11         26.72740     1.07590     1.94595    18.0 
12        -43.48240        可変
13(絞り)           ∞     0.00000
14*         5.39480     2.26460     1.51845    70.0 
15*       -22.40410     0.55810 
16          6.63210     2.11530     1.74400    44.7 
17         -8.04460     0.01000     1.56732    42.8 
18         -8.04460     0.30000     1.90366    31.3 
19          4.37760     1.28410 
20         17.49510     0.94390     1.49700    81.6 
21        -38.81860        可変
22        -45.42900     0.30000     1.90715    35.4 
23*        45.42900        可変
24*        13.42830     1.68010     1.77200    50.0 
25*       164.09720        可変
26               ∞     0.78000     1.51680    64.2
27               ∞        (BF)
像面             ∞
【０１５４】
表  １４（非球面データ）
第7面
K= 0.00000E+00, A4=-4.00321E-04, A6= 4.98170E-05, A8=-1.89114E-06
A10= 3.10475E-08, A12=-1.99601E-10, A14= 0.00000E+00 
第8面
K= 0.00000E+00, A4=-6.99056E-04, A6= 3.31724E-05, A8= 3.05555E-06
A10=-3.30343E-07, A12= 1.83075E-08, A14=-4.71629E-10 
第9面
K= 0.00000E+00, A4=-5.01540E-06, A6= 1.33919E-05, A8=-1.84607E-06
A10= 1.72431E-07, A12=-6.04585E-09, A14= 7.25462E-11 
第14面
K= 0.00000E+00, A4=-2.48823E-05, A6= 8.72076E-05, A8=-2.47595E-05
A10= 5.77557E-06, A12=-4.54685E-07, A14= 9.77076E-09 
第15面
K= 0.00000E+00, A4= 1.00098E-03, A6= 7.10112E-05, A8=-3.23801E-06
A10= 8.13026E-07, A12= 2.13081E-07, A14=-2.40496E-08 
第23面
K= 0.00000E+00, A4= 1.04453E-04, A6= 9.06780E-06, A8=-7.08667E-08
A10=-1.91277E-08, A12= 0.00000E+00, A14= 0.00000E+00 
第24面
K= 0.00000E+00, A4=-5.17281E-05, A6=-1.07031E-06, A8=-7.28533E-07
A10= 2.51487E-09, A12= 0.00000E+00, A14= 0.00000E+00 
第25面
K= 0.00000E+00, A4= 1.61721E-05, A6=-1.47876E-05, A8=-3.54720E-07
A10= 0.00000E+00, A12= 0.00000E+00, A14= 0.00000E+00
【０１５５】
表  １５（各種データ）
ズーム比     9.39186
広角      中間      望遠
焦点距離       4.6449   14.2407   43.6245
Ｆナンバー     3.20683   4.23507   5.83306
画角        42.6300   15.0486    5.0149
像高         3.7000    3.9020    3.9020
レンズ全長     45.6712   46.2980   54.2910
ＢＦ        0.76810   0.77191   0.74951
d6           0.3000    8.4080   15.7445 
d12         17.5838    5.6751    0.4137 
d21          0.9587    2.5673    4.5000 
d23          2.1000    1.6426    8.2315 
d25          2.8460    6.1185    3.5372 
入射瞳位置      7.4845   24.2561   60.8988
射出瞳位置      9.9637  -33.7302  -81.9963
前側主点位置   14.4758   32.6190   81.5239
後側主点位置   41.0263   32.0573   10.6665
単レンズデータ
レンズ     始面     焦点距離
1         1      -54.9075
2         3       47.3663
3         5       33.6577
4         7       -6.7656
5         9      -17.0277
6        11       17.6301
7        14        8.6262
8        16        5.2061
9        18       -3.1016
10        20       24.4012
11        22      -25.0000
12        24       18.8528
ズームレンズ群データ
群   始面    焦点距離  レンズ構成長    前側主点位置  後側主点位置
1      1    31.55091     5.19360         1.27528       3.22895
2      7    -7.01843     5.68490        -0.07928       0.43656
3     13     9.61320     7.47600        -2.06466       1.08534
4     22   -25.00003     0.30000         0.07853       0.22147
5     24    18.85283     1.68010        -0.08409       0.65245
ズームレンズ群倍率
群   始面    広角       中間       望遠
1      1    0.00000    0.00000    0.00000
2      7   -0.31406   -0.49290   -1.01678
3     13   -0.47177   -0.98867   -1.18115
4     22    1.36765    1.67571    1.66652
5     24    0.72651    0.55273    0.69084
【０１５６】
（数値実施例６）
数値実施例６のズームレンズ系は、図１６に示した実施の形態６に対応する。数値実施例６のズームレンズ系の面データを表１６に、非球面データを表１７に、各種データを表１８に示す。
【０１５７】
表  １６（面データ）
面番号         r           d           nd         vd
物面             ∞
1         27.36560     0.65000     1.84666    23.8 
2         17.50700     0.01000     1.56732    42.8 
3         17.50700     2.31140     1.49700    81.6 
4         66.55860     0.15000 
5         22.99430     1.70060     1.80420    46.5 
6        116.77250        可変
7*       423.06520     0.30000     1.80470    41.0 
8*         5.38070     3.51300 
9*       -13.49680     0.40000     1.77200    50.0 
10        165.15700     0.15000 
11         17.77750     1.08830     1.94595    18.0 
12       -142.52680        可変
13(絞り)           ∞     0.00000
14*         5.18600     2.17260     1.51845    70.0 
15*       -22.50980     0.70730 
16          7.26580     2.07390     1.74400    44.7 
17         -6.83130     0.01000     1.56732    42.8 
18         -6.83130     0.30000     1.90366    31.3 
19          4.41440     1.27610 
20         13.96520     0.86220     1.49700    81.6 
21        145.93880        可変
22        139.69450     0.30000     1.69878    47.1 
23       -139.69450        可変
24*        19.69770     1.29890     1.77200    50.0 
25*       126.90490        可変
26               ∞     0.78000     1.51680    64.2
27               ∞        (BF)
像面             ∞
【０１５８】
表  １７（非球面データ）
第7面
K= 0.00000E+00, A4=-3.88394E-04, A6= 4.99032E-05, A8=-1.89039E-06
A10= 3.10733E-08, A12=-1.98706E-10, A14= 0.00000E+00 
第8面
K= 0.00000E+00, A4=-7.25095E-04, A6= 3.40011E-05, A8= 2.96023E-06
A10=-3.26939E-07, A12= 1.83618E-08, A14=-4.65100E-10 
第9面
K= 0.00000E+00, A4=-6.24673E-05, A6= 1.03630E-05, A8=-1.79004E-06
A10= 1.74942E-07, A12=-6.10851E-09, A14= 6.48782E-11 
第14面
K= 0.00000E+00, A4=-9.96181E-05, A6= 9.15266E-05, A8=-2.37780E-05
A10= 5.74371E-06, A12=-4.54685E-07, A14= 9.77076E-09 
第15面
K= 0.00000E+00, A4= 1.01627E-03, A6= 7.72953E-05, A8=-1.86830E-06
A10= 8.22156E-07, A12= 2.13081E-07, A14=-2.40496E-08 
第24面
K= 0.00000E+00, A4=-6.15277E-05, A6=-2.15138E-06, A8=-9.97641E-07
A10= 3.46774E-09, A12= 0.00000E+00, A14= 0.00000E+00 
第25面
K= 0.00000E+00, A4= 1.92574E-05, A6=-1.75853E-05, A8=-4.83897E-07
A10= 0.00000E+00, A12= 0.00000E+00, A14= 0.00000E+00
【０１５９】
表  １８（各種データ）
ズーム比     9.39168
広角      中間      望遠
焦点距離       4.6449   14.2406   43.6233
Ｆナンバー     3.19972   4.26584   5.82401
画角        42.5729   15.0788    5.0149
像高         3.7000    3.9020    3.9020
レンズ全長     44.1001   45.9749   54.9776
ＢＦ        0.77494   0.75804   0.75192
d6           0.3000    8.2464   15.8375 
d12         16.7452    5.3138    0.3000 
d21          1.2038    2.5000    4.6538 
d23          2.4727    2.5296   10.3801 
d25          2.5492    6.5728    3.0000 
入射瞳位置      7.1777   23.3643   60.5395
射出瞳位置      9.5663  -43.4130  -70.1216
前側主点位置   14.2767   33.0138   77.3123
後側主点位置   39.4553   31.7343   11.3543
単レンズデータ
レンズ     始面     焦点距離
1         1      -59.1863
2         3       47.0616
3         5       35.3182
4         7       -6.7749
5         9      -16.1464
6        11       16.7645
7        14        8.3536
8        16        5.0493
9        18       -2.9303
10        20       31.0053
11        22      100.0000
12        24       30.0446
ズームレンズ群データ
群   始面    焦点距離  レンズ構成長    前側主点位置  後側主点位置
1      1    31.79584     4.82200         0.97100       2.76922
2      7    -6.89612     5.45130         0.01312       0.65991
3     13    10.42079     7.40210        -3.18120       0.56003
4     22   100.00002     0.30000         0.08834       0.21166
5     24    30.04459     1.29890        -0.13397       0.43576
ズームレンズ群倍率
群   始面    広角       中間       望遠
1      1    0.00000    0.00000    0.00000
2      7   -0.30603   -0.47274   -0.98568
3     13   -0.61512   -1.56482   -2.01062
4     22    0.91999    0.85254    0.83480
5     24    0.84352    0.71016    0.82928
【０１６０】
（数値実施例７）
数値実施例７のズームレンズ系は、図１９に示した実施の形態７に対応する。数値実施例７のズームレンズ系の面データを表１９に、非球面データを表２０に、各種データを表２１に示す。
【０１６１】
表  １９（面データ）
面番号         r           d           nd         vd
物面             ∞
1         35.13230     0.65000     1.84666    23.8 
2         20.03470     0.01000     1.56732    42.8 
3         20.03470     2.45180     1.49700    81.6 
4        123.44660     0.15000 
5         20.37390     2.07020     1.80420    46.5 
6         76.91630        可変
7*       165.08270     0.30000     1.80470    41.0 
8*         5.33090     3.68440 
9*       -10.47890     0.40000     1.77200    50.0 
10        -64.17700     0.15000 
11         28.22460     1.05370     1.94595    18.0 
12        -39.00710        可変
13(絞り)           ∞     0.00000
14*         5.16230     2.41130     1.51845    70.0 
15*       -24.91140     0.74930 
16          7.15140     2.09050     1.74400    44.7 
17         -6.58510     0.01000     1.56732    42.8 
18         -6.58510     0.30000     1.90366    31.3 
19          4.41910     1.27510 
20         12.15630     0.88220     1.49700    81.6 
21         64.76980        可変
22*        19.74400     1.20050     1.77200    50.0 
23*        72.01610        可変
24*        48.62150     1.00000     1.48786    70.3 
25        -48.62150        可変
26               ∞     0.78000     1.51680    64.2
27               ∞        (BF)
像面             ∞
【０１６２】
表  ２０（非球面データ）
第7面
K= 0.00000E+00, A4=-4.08575E-04, A6= 4.96900E-05, A8=-1.89373E-06
A10= 3.10661E-08, A12=-1.98167E-10, A14= 0.00000E+00 
第8面
K= 0.00000E+00, A4=-6.80426E-04, A6= 2.69976E-05, A8= 3.43955E-06
A10=-3.38451E-07, A12= 1.82942E-08, A14=-4.71760E-10 
第9面
K= 0.00000E+00, A4= 3.73019E-06, A6= 1.28953E-05, A8=-1.73323E-06
A10= 1.69941E-07, A12=-6.09688E-09, A14= 7.13836E-11 
第14面
K= 0.00000E+00, A4=-3.84337E-05, A6= 9.01694E-05, A8=-2.51217E-05
A10= 5.73805E-06, A12=-4.54685E-07, A14= 9.77076E-09 
第15面
K= 0.00000E+00, A4= 1.14168E-03, A6= 7.41960E-05, A8=-2.50130E-06
A10= 8.24987E-07, A12= 2.13081E-07, A14=-2.40496E-08 
第22面
K= 0.00000E+00, A4=-9.61949E-05, A6=-1.04964E-05, A8=-3.17950E-07
A10=-1.18593E-08, A12= 0.00000E+00, A14= 0.00000E+00 
第23面
K= 0.00000E+00, A4=-1.31920E-04, A6=-1.02358E-05, A8=-4.94168E-07
A10= 0.00000E+00, A12= 0.00000E+00, A14= 0.00000E+00 
第24面
K= 0.00000E+00, A4=-6.75514E-04, A6= 5.77171E-05, A8=-2.48485E-06
A10= 6.06957E-08, A12= 0.00000E+00, A14= 0.00000E+00
【０１６３】
表  ２１（各種データ）
ズーム比     9.39173
広角      中間      望遠
焦点距離       4.6450   14.2412   43.6250
Ｆナンバー     3.20080   4.26732   5.81510
画角        42.7385   15.0377    5.0098
像高         3.7000    3.9020    3.9020
レンズ全長     44.7349   46.6754   54.7598
ＢＦ        0.77338   0.76409   0.74452
d6           0.3581    8.5800   15.8330 
d12         16.5784    5.5630    0.3000 
d21          2.5197    3.0714   13.3706 
d23          1.8844    5.7064    2.3404 
d25          1.0019    1.3715    0.5523 
入射瞳位置      7.6861   25.1824   63.1594
射出瞳位置      9.3709  -62.0134 -202.3563
前側主点位置   14.8407   36.1929   97.4140
後側主点位置   40.0898   32.4342   11.1348
単レンズデータ
レンズ     始面     焦点距離
1         1      -56.1732
2         3       47.7455
3         5       33.9097
4         7       -6.8515
5         9      -16.2754
6        11       17.4443
7        14        8.4801
8        16        4.9278
9        18       -2.8890
10        20       29.9441
11        22       34.8862
12        24       50.0000
ズームレンズ群データ
群   始面    焦点距離  レンズ構成長    前側主点位置  後側主点位置
1      1    31.46718     5.33200         1.17189       3.20003
2      7    -6.97759     5.58810        -0.04159       0.48197
3     13    10.28493     7.71840        -3.23322       0.73114
4     22    34.88620     1.20050        -0.25336       0.27637
5     24    50.00000     1.00000         0.33719       0.66281
ズームレンズ群倍率
群   始面    広角       中間       望遠
1      1    0.00000    0.00000    0.00000
2      7   -0.31657   -0.50492   -1.06265
3     13   -0.59269   -1.34414   -1.63764
4     22    0.83036    0.70921    0.83241
5     24    0.94747    0.94026    0.95704
【０１６４】
（数値実施例８）
数値実施例８のズームレンズ系は、図２２に示した実施の形態８に対応する。数値実施例８のズームレンズ系の面データを表２２に、非球面データを表２３に、各種データを表２４に示す。
【０１６５】
表  ２２（面データ）
面番号         r           d           nd         vd
物面             ∞
1         26.52200     0.65000     1.84666    23.8 
2         17.32350     0.01000     1.56732    42.8 
3         17.32350     2.46240     1.49700    81.6 
4         61.07240     0.15000 
5         21.02000     1.99660     1.80420    46.5 
6         81.41130        可変
7*       308.54550     0.30000     1.80470    41.0 
8*         5.28620     3.58240 
9*       -13.42040     0.40000     1.77200    50.0 
10       -648.30400     0.15000 
11         20.44370     1.04240     1.94595    18.0 
12        -93.28300        可変
13(絞り)           ∞     0.00000
14*         5.16880     3.02350     1.51845    70.0 
15*       -19.58140     0.82300 
16          7.38130     2.08110     1.74338    44.7 
17         -5.52350     0.01000     1.56732    42.8 
18         -5.52350     0.30000     1.90453    29.3 
19*         5.41140     1.13900 
20        -48.32330     0.90490     1.52625    52.4 
21         58.13950        可変
22*        14.92940     2.13320     1.77200    50.0 
23*       -47.83980        可変
24               ∞     0.78000     1.51680    64.2
25               ∞        (BF)
像面             ∞
【０１６６】
表  ２３（非球面データ）
第7面
K= 0.00000E+00, A4=-3.91513E-04, A6= 4.98664E-05, A8=-1.89044E-06
A10= 3.10698E-08, A12=-1.99335E-10, A14= 0.00000E+00 
第8面
K= 0.00000E+00, A4=-7.40892E-04, A6= 3.46511E-05, A8= 3.10370E-06
A10=-3.29090E-07, A12= 1.82092E-08, A14=-4.80007E-10 
第9面
K= 0.00000E+00, A4= 1.10557E-05, A6= 9.63559E-06, A8=-1.78891E-06
A10= 1.74520E-07, A12=-6.09446E-09, A14= 6.73871E-11 
第14面
K= 0.00000E+00, A4=-1.09054E-04, A6= 7.98463E-05, A8=-2.54906E-05
A10= 5.45100E-06, A12=-4.54685E-07, A14= 9.77076E-09 
第15面
K= 0.00000E+00, A4= 1.08055E-03, A6= 5.91226E-05, A8=-4.56934E-06
A10= 7.60109E-07, A12= 2.13081E-07, A14=-2.40496E-08 
第19面
K= 0.00000E+00, A4= 5.19188E-04, A6= 5.37414E-05, A8=-6.41731E-07
A10=-5.83048E-07, A12= 0.00000E+00, A14= 0.00000E+00 
第22面
K= 0.00000E+00, A4= 4.86875E-06, A6= 3.83391E-06, A8=-7.12995E-07
A10= 8.21904E-10, A12= 0.00000E+00, A14= 0.00000E+00 
第23面
K= 0.00000E+00, A4= 1.72646E-04, A6=-1.23123E-05, A8=-2.90937E-07
A10= 0.00000E+00, A12= 0.00000E+00, A14= 0.00000E+00
【０１６７】
表  ２４（各種データ）
ズーム比     9.39159
広角      中間      望遠
焦点距離       4.6450   14.2410   43.6241
Ｆナンバー     3.20252   4.26837   5.81038
画角        42.6783   15.2150    5.0176
像高         3.7000    3.9020    3.9020
レンズ全長     43.8768   46.7180   55.9985
ＢＦ        0.77921   0.74823   0.76884
d6           0.3693    8.4012   15.6921 
d12         16.0481    5.2222    0.3000 
d21          2.1709    4.8185   13.3777 
d23          2.5708    5.5894    3.9214 
入射瞳位置      7.7241   25.1267   64.4437
射出瞳位置      9.3660  -91.4581   86.1051
前側主点位置   14.8819   37.1682  130.3686
後側主点位置   39.2318   32.4771   12.3744
単レンズデータ
レンズ     始面     焦点距離
1         1      -60.9702
2         3       47.7660
3         5       34.7237
4         7       -6.6866
5         9      -17.7563
6        11       17.8063
7        14        8.2310
8        16        4.5638
9        18       -2.9831
10        20      -50.0000
11        22       14.9605
ズームレンズ群データ
群   始面    焦点距離  レンズ構成長    前側主点位置  後側主点位置
1      1    31.23752     5.26900         0.86635       2.85909
2      7    -6.97011     5.47480        -0.05130       0.52211
3     13    10.13775     8.28150        -5.09894       0.80696
4     22    14.96050     2.13320         0.29063       1.20190
ズームレンズ群倍率
群   始面    広角       中間       望遠
1      1    0.00000    0.00000    0.00000
2      7   -0.32360   -0.51601   -1.12119
3     13   -0.67631   -1.84156   -2.11162
4     22    0.67945    0.47975    0.58987
【０１６８】
以下の表２５に、各数値実施例のズームレンズ系における各条件の対応値を示す。ただし表２５中、ＹWは、
ＹW：広角端での全系の焦点距離ｆWにおける、第３ｂレンズ群の、最大ぶれ補正時の光軸に対して垂直方向への移動量
を示し、ズームレンズ系が広角端の状態のとき、すなわち条件（１３）においてＹ＝ＹW（ｆ＝ｆW）のときの対応値（ＹW／ＹT）／（ｆW／ｆT）を求めた。
【０１６９】
表  ２５（条件の対応値）
【表１】
2011102091.tif 000031
【産業上の利用可能性】
【０１７０】
本発明に係るズームレンズ系は、デジタルカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルカメラ等の高画質が要求される撮影光学系に好適である。
【符号の説明】
【０１７１】
Ｇ１    第１レンズ群
Ｇ２    第２レンズ群
Ｇ３    第３レンズ群
Ｇ３ａ  第３ａレンズ群
Ｇ３ｂ  第３ｂレンズ群
Ｇ４    第４レンズ群
Ｇ５    第５レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ａ      開口絞り
Ｐ      平行平板
Ｓ      像面
１      ズームレンズ系
２      撮像素子
３      液晶モニタ
４      筐体
５      主鏡筒
６      移動鏡筒
７      円筒カム
【手続補正２】
【補正対象書類名】特許請求の範囲
【補正対象項目名】全文
【補正方法】変更
【補正の内容】
【特許請求の範囲】
【請求項１】
少なくとも１枚のレンズ素子で構成されたレンズ群を複数有するズームレンズ系であって、
物体側から像側へと順に、
正のパワーを有する第１レンズ群と、
負のパワーを有する第２レンズ群と、
正のパワーを有する第３レンズ群と、
後続レンズ群とを備え、
撮像時の広角端から望遠端へのズーミングの際に、前記第１レンズ群と、前記第２レンズ群と、前記第３レンズ群とを光軸に沿って移動させて変倍を行い、
前記第３レンズ群の一部が、像のぶれを光学的に補正するために光軸に対して垂直方向に移動する第３ｂレンズ群であり、
以下の条件（２）及び（３）を満足する、ズームレンズ系：
１．５＜（Ｄ2＋Ｄ3b＋ＤB）／Ｉｒ＜２．４  ・・・（２）
ＢＦ／Ｉｒ＜１．４５  ・・・（３）
（ただし、Ｚ＝ｆT／ｆW＞９．０である）
ここで、
Ｄ2：第２レンズ群の光軸上での厚み、
Ｄ3b：第３ｂレンズ群の光軸上での厚み、
ＤB：各後続レンズ群の光軸上での厚みの総和、
ＢＦ：最像側レンズ面頂と像面との空気換算した場合の光軸上の最短距離、
Ｉｒ：次式で表される値
Ｉｒ＝ｆT×ｔａｎ（ωT）、
ｆT：望遠端での全系の焦点距離、
ｆW：広角端での全系の焦点距離、
ωT：望遠端での半画角（°）
である。
【請求項２】
後続レンズ群が、正のパワーを有する第４レンズ群からなる、請求項１に記載のズームレンズ系。
【請求項３】
第４レンズ群が、撮像時の広角端から望遠端へのズーミングの際に、光軸に沿って移動する、請求項２に記載のズームレンズ系。
【請求項４】
第４レンズ群が、無限遠合焦状態から近接物体合焦状態へのフォーカシングの際に、光軸に沿って物体側へ移動する、請求項２に記載のズームレンズ系。
【請求項５】
第４レンズ群が、２枚以下のレンズ素子からなる、請求項２に記載のズームレンズ系。
【請求項６】
後続レンズ群が、第４レンズ群と、正のパワーを有する第５レンズ群とからなる、請求項１に記載のズームレンズ系。
【請求項７】
第４レンズ群が、撮像時の広角端から望遠端へのズーミングの際に、光軸に沿って移動する、請求項６に記載のズームレンズ系。
【請求項８】
第５レンズ群が、撮像時の広角端から望遠端へのズーミングの際に、光軸に沿って移動する、請求項６に記載のズームレンズ系。
【請求項９】
第４レンズ群及び第５レンズ群のいずれかが、無限遠合焦状態から近接物体合焦状態へのフォーカシングの際に、光軸に沿って物体側へ移動する、請求項６に記載のズームレンズ系。
【請求項１０】
第４レンズ群及び第５レンズ群が、それぞれ２枚以下のレンズ素子からなる、請求項６に記載のズームレンズ系。
【請求項１１】
以下の条件（４）及び（５）を満足する、請求項１に記載のズームレンズ系：
１．５＜ＬT／Ｄ＜３．０  ・・・（４）
３．０＜Ｄ／Ｉｒ＜６．５  ・・・（５）
ここで、
ＬT：望遠端におけるレンズ全長（第１レンズ群の最物体側面から像面までの距離）、
Ｄ：各レンズ群の光軸上での厚みの総和、
Ｉｒ：次式で表される値
Ｉｒ＝ｆT×ｔａｎ（ωT）、
ｆT：望遠端での全系の焦点距離、
ωT：望遠端での半画角（°）
である。
【請求項１２】
以下の条件（６）及び（７）を満足する、請求項１に記載のズームレンズ系：
ＬW／Ｉｒ＜１４．０  ・・・（６）
ＬT／Ｉｒ＜１７．０  ・・・（７）
ここで、
ＬW：広角端におけるレンズ全長（第１レンズ群の最物体側面から像面までの距離）、
ＬT：望遠端におけるレンズ全長（第１レンズ群の最物体側面から像面までの距離）、
Ｉｒ：次式で表される値
Ｉｒ＝ｆT×ｔａｎ（ωT）、
ｆT：望遠端での全系の焦点距離、
ωT：望遠端での半画角（°）
である。
【請求項１３】
以下の条件（８）を満足する、請求項１に記載のズームレンズ系：
Ｍ12／Ｉｒ＜４．７  ・・・（８）
ここで、
Ｍ12：撮像時の広角端から望遠端へのズーミングの際の、第１レンズ群と第２レンズ群との相対移動量、
Ｉｒ：次式で表される値
Ｉｒ＝ｆT×ｔａｎ（ωT）、
ｆT：望遠端での全系の焦点距離、
ωT：望遠端での半画角（°）
である。
【請求項１４】
以下の条件（９）を満足する、請求項１に記載のズームレンズ系：
Ｍ12×ｆ1／Ｉｒ2＜４４．０  ・・・（９）
ここで、
Ｍ12：撮像時の広角端から望遠端へのズーミングの際の、第１レンズ群と第２レンズ群との相対移動量、
ｆ1：第１レンズ群の合成焦点距離、
Ｉｒ：次式で表される値
Ｉｒ＝ｆT×ｔａｎ（ωT）、
ｆT：望遠端での全系の焦点距離、
ωT：望遠端での半画角（°）
である。
【請求項１５】
以下の条件（１０）を満足する、請求項１に記載のズームレンズ系：
０．５０＜｜ｆ1／ｆ3b｜＜１．５０  ・・・（１０）
ここで、
ｆ1：第１レンズ群の合成焦点距離、
ｆ3b：第３ｂレンズ群の合成焦点距離
である。
【請求項１６】
第３レンズ群が、沈胴時に、撮像時とは異なる軸に沿って退避する第３ａレンズ群をさらに含み、以下の条件（１１）を満足する、請求項１に記載のズームレンズ系：
０．１０＜｜ｆ3a／ｆ3b｜＜０．６５  ・・・（１１）
ここで、
ｆ3a：第３ａレンズ群の合成焦点距離、
ｆ3b：第３ｂレンズ群の合成焦点距離
である。
【請求項１７】
第３ｂレンズ群が、１枚のレンズ素子からなる、請求項１に記載のズームレンズ系。
【請求項１８】
第３レンズ群が、少なくとも２つの空気間隔を有し、物体側から像側へと順に、
正のパワーを有するレンズ素子と、
正のパワーを有するレンズ素子と、
最像側に位置する負のパワーを有するレンズ素子とを含む、請求項１に記載のズームレンズ系。
【請求項１９】
以下の条件（１２）及び（１３）を全系において満足する、請求項１に記載のズームレンズ系：
｜ＹT｜＞｜Ｙ｜  ・・・（１２）
１．５＜（Ｙ／ＹT）／（ｆ／ｆT）＜３．０  ・・・（１３）
ここで、
ｆ：全系の焦点距離、
ｆT：望遠端における全系の焦点距離、
Ｙ：全系の焦点距離ｆにおける、第３ｂレンズ群の、最大ぶれ補正時の光軸に対して垂直方向への移動量、
ＹT：望遠端での全系の焦点距離ｆTにおける、第３ｂレンズ群の、最大ぶれ補正時の光軸に対して垂直方向への移動量
である。
【請求項２０】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、請求項１に記載のズームレンズ系である、撮像装置。
【請求項２１】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。
【手続補正３】
【補正対象書類名】図面
【補正対象項目名】全図
【補正方法】変更
【補正の内容】
【図１】
2011102091.tif 000032
【図２】
2011102091.tif 000033
【図３】
2011102091.tif 000034
【図４】
2011102091.tif 000035
【図５】
2011102091.tif 000036
【図６】
2011102091.tif 000037
【図７】
2011102091.tif 000038
【図８】
2011102091.tif 000039
【図９】
2011102091.tif 000040
【図１０】
2011102091.tif 000041
【図１１】
2011102091.tif 000042
【図１２】
2011102091.tif 000043
【図１３】
2011102091.tif 000044
【図１４】
2011102091.tif 000045
【図１５】
2011102091.tif 000046
【図１６】
2011102091.tif 000047
【図１７】
2011102091.tif 000048
【図１８】
2011102091.tif 000049
【図１９】
2011102091.tif 000050
【図２０】
2011102091.tif 000051
【図２１】
2011102091.tif 000052
【図２２】
2011102091.tif 000053
【図２３】
2011102091.tif 000054
【図２４】
2011102091.tif 000055
【図２５】
2011102091.tif 000056
【国際調査報告】
2011102091.tif 000057
2011102091.tif 000058
2011102091.tif 000059
2011102091.tif 000060
2011102091.tif 000061
2011102091.tif 000062